(57)【要約】  多様な実施形態によるインターレイヤビデオ復号化方法は、現在ブロックの、左側に位置する空間的周辺ブロック候補、上側に位置する空間的周辺ブロック候補、及びコロケーテッド位置の時間的周辺ブロック候補のうち、インターレイヤ方向の動きベクトルを有する周辺ブロック候補を検索する段階と、検索された周辺ブロック候補のインターレイヤ方向の動きベクトルを、現在ブロックのディスパリティベクトルと予測する段階と、インターレイヤ方向の動きベクトルを有する周辺ブロック候補が検索されない場合、空間的周辺ブロック候補のうち、ディスパリティベクトル情報を有する周辺ブロック候補を検索する段階と、検索された周辺ブロック候補のディスパリティベクトル情報を利用して、現在ブロックのディスパリティベクトルを予測する段階と、を含む。
2016528792.tif 000002
【特許請求の範囲】
【請求項１】
インターレイヤビデオ復号化方法において、
現在ブロックの、左側に位置する空間的周辺ブロック候補、上側に位置する空間的周辺ブロック候補、及びコロケーテッド位置の時間的周辺ブロック候補のうち、インターレイヤ方向の動きベクトルを有する周辺ブロック候補を検索する段階と、
前記検索された周辺ブロック候補のインターレイヤ方向の動きベクトルを、前記現在ブロックのディスパリティベクトルと予測する段階と、
前記インターレイヤ方向の動きベクトルを有する周辺ブロック候補が検索されない場合、前記空間的周辺ブロック候補のうち、ディスパリティベクトル情報を有する周辺ブロック候補を検索する段階と、
前記検索された周辺ブロック候補のディスパリティベクトル情報を利用して、前記現在ブロックのディスパリティベクトルを予測する段階と、を含むインターレイヤビデオ復号化方法。
【請求項２】
前記インターレイヤ方向の動きベクトルを有するブロック候補を検索する段階は、
前記現在ブロックの左側境界に隣接したブロックのうち最も下端に位置する空間的周辺ブロック候補、前記現在ブロックの上側境界に隣接したブロックのうち最も右側に位置する空間的周辺ブロック候補、及びコロケーテッド位置の時間的周辺ブロック候補のうち、インターレイヤ方向の動きベクトルを有する周辺ブロック候補を検索することを特徴とする請求項１に記載のインターレイヤビデオ復号化方法。
【請求項３】
前記ディスパリティベクトル情報を有する周辺ブロック候補を検索する段階は、
前記現在ブロックの左側境界に隣接したブロックのうち最も下端に位置する空間的周辺ブロック候補、及び前記現在ブロックの上側境界に隣接したブロックのうち最も右側に位置する空間的周辺ブロック候補がインターレイヤ動き補償を行ったか否かということを判断する段階を含むことを特徴とする請求項１に記載のインターレイヤビデオ復号化方法。
【請求項４】
前記インターレイヤ方向の動きベクトルを有するブロック候補を検索する段階は、
前記現在ブロックの対角方向に位置した時間的及び空間的な周辺ブロック候補に対する検索を省略することを特徴とする請求項１に記載のインターレイヤビデオ復号化方法。
【請求項５】
前記インターレイヤ方向の動きベクトルを有する周辺ブロック候補を検索する段階は、
前記現在ブロックの左側に位置する空間的周辺ブロック候補、前記現在ブロックの上側に位置する空間的周辺ブロック候補、及びコロケーテッド位置の時間的周辺ブロック候補に優先順位を置き、前記インターレイヤ方向の動きベクトルを有する周辺ブロック候補を検索することを特徴とする請求項１に記載のインターレイヤビデオ復号化方法。
【請求項６】
前記インターレイヤ方向の動きベクトルを有する周辺ブロック候補を検索する段階は、
検索される時間方向の参照ピクチャが２以上である場合、コロケーテッドピクチャに含まれた時間的周辺ブロック候補に優先順位を置き、インターレイヤ方向の動きベクトルを有する周辺ブロック候補を検索することを特徴とする請求項１に記載のインターレイヤビデオ復号化方法。
【請求項７】
前記インターレイヤビデオ復号化方法は、
前記現在ブロックのディスパリティベクトルが予測されない場合、基本ディスパリティベクトルとインターレイヤ深さ映像とを利用して、前記現在ブロックのディスパリティベクトルを決定する段階を含むことを特徴とする請求項１に記載のインターレイヤビデオ復号化方法。
【請求項８】
前記インターレイヤビデオ復号化方法は、
前記現在ブロックのディスパリティベクトルが（０，０）と予測される場合、インターレイヤ深さマップを利用して、前記現在ブロックのディスパリティベクトルを（０，０）ではない値に決定する段階を含むことを特徴とする請求項１に記載のインターレイヤビデオ復号化方法。
【請求項９】
前記インターレイヤビデオ復号化方法は、
前記現在ブロックのディスパリティベクトルが（０，０）と予測される場合、前記予測されたディスパリティベクトルを利用するモードを使用しないように設定する段階を含むことを特徴とする請求項１に記載のインターレイヤビデオ復号化方法。
【請求項１０】
インターレイヤビデオ復号化装置において、
ビットストリームから獲得された符号化情報に基づいて、第１レイヤ映像を復元する第１レイヤ復号化部と、
第２レイヤ現在ブロックの、左側に位置する空間的周辺ブロック候補、上側に位置する空間的周辺ブロック候補、及びコロケーテッド位置の時間的周辺ブロック候補のうち、インターレイヤ方向の動きベクトルを有する周辺ブロック候補を検索し、
前記検索された周辺ブロック候補のインターレイヤ方向の動きベクトルを、前記第２レイヤ現在ブロックのディスパリティベクトルと予測するディスパリティベクトル決定部と、を含むインターレイヤビデオ復号化装置において、
前記ディスパリティベクトル決定部は、
前記インターレイヤ方向の動きベクトルを有する周辺ブロック候補が検索されない場合、前記空間的周辺ブロック候補のうち、ディスパリティベクトル情報を有する周辺ブロック候補を検索し、前記検索された周辺ブロック候補のディスパリティベクトル情報を利用して、前記第２レイヤ現在ブロックのディスパリティベクトルを予測するインターレイヤビデオ復号化装置。
【請求項１１】
前記ディスパリティベクトル決定部は、
前記現在ブロックの左側境界に隣接したブロックのうち最も下端に位置する空間的周辺ブロック候補、前記現在ブロックの上側境界に隣接したブロックのうち最も右側に位置する空間的周辺ブロック候補、及びコロケーテッド位置の時間的周辺ブロック候補のうち、ディスパリティベクトルを予測するための検索を行うことを特徴とする請求項１０に記載のインターレイヤビデオ復号化装置。
【請求項１２】
前記ディスパリティベクトル決定部は、
前記現在ブロックの対角方向に位置した時間的及び空間的な周辺ブロック候補に対する検索を省略することを特徴とする請求項１０に記載のインターレイヤビデオ復号化装置。
【請求項１３】
前記ディスパリティベクトル決定部は、
検索される時間方向の参照ピクチャが２以上である場合、コロケーテッドピクチャに含まれた時間的周辺ブロック候補に優先順位を置き、インターレイヤ方向の動きベクトルを有する周辺ブロック候補を検索することを特徴とする請求項１０に記載のインターレイヤビデオ復号化装置。
【請求項１４】
前記ディスパリティベクトル決定部は、
前記現在ブロックのディスパリティベクトルが予測されない場合、基本ディスパリティベクトルとインターレイヤ深さ映像とを利用して、前記現在ブロックのディスパリティベクトルを決定する段階を含むことを特徴とする請求項１０に記載のインターレイヤビデオ復号化装置。
【請求項１５】
請求項１に記載のインターレイヤビデオ復号化方法を具現するためのプログラムが記録されたコンピュータで判読可能な記録媒体。
【発明の詳細な説明】
【技術分野】
【０００１】
本発明は、インターレイヤビデオ符号化方法及びインターレイヤビデオ復号化方法に係り、詳細には、インターレイヤビデオ符号化方法及びインターレイヤビデオ復号化方法において、ブロック基盤ディスパリティベクトルを決定する方法に関する。
【背景技術】
【０００２】
高解像度または高画質のビデオコンテンツを再生、保存することができるハードウェアの開発及び普及によって、高解像度または高画質のビデオコンテンツを効果的に符号化／復号化するビデオの必要性が増大している。既存のビデオコーデックによれば、ビデオは、ツリー構造の符号化単位に基づいて、制限された符号化方式によって符号化されている。
【０００３】
周波数変換を利用して、空間領域の映像データは、周波数領域の係数に変換される。ビデオコーデックは、周波数変換の迅速な演算のために、映像を所定サイズのブロックに分割し、ブロックごとにＤＣＴ（discrete  cosine  transformation）変換を行い、ブロック単位の周波数係数を符号化する。空間領域の映像データに比べ、周波数領域の係数が、圧縮しやすい形態を有する。特に、ビデオコーデックのインター予測またはイントラ予測を介して、空間領域の映像画素値は、予測誤差で表現されるので、予測誤差に対して周波数変換が行われれば、多くのデータが０に変換される。ビデオコーデックは、連続して反復して発生するデータを小サイズのデータに置換することにより、データ量を節減している。
【０００４】
マルチレイヤビデオコーデックは、第１レイヤビデオと、１以上の第２レイヤビデオとを符号化／復号化する。第１レイヤビデオと第２レイヤビデオとの時間的／空間的重複性（redundancy）と、レイヤ間の重複性とを除去する方式で、第１レイヤビデオと第２レイヤビデオとのデータ量が節減される。
【発明の概要】
【発明が解決しようとする課題】
【０００５】
一方、映像の符号化及び復号化のためのディスパリティベクトル予測方法は、周辺ブロック候補を利用して、現在ブロックのディスパリティベクトルを予測する方法を含む。ところで、周辺ブロック候補を決定するために、周辺ブロックを検索するとき、現在ブロックと周辺ブロックとの距離を考慮しない。従って、距離が遠い周辺ブロックが検索優先順位を有する。その場合、正確ではない周辺ブロックを、周辺ブロック候補に決定するという問題がある。従って、多様な実施形態によるインターレイヤビデオ符号化装置またはインターレイヤビデオ復号化装置が、現在ブロックと近い周辺ブロック候補を利用して、ディスパリティベクトル予測を行うことにより、さらに正確なディスパリティベクトルを予測することができるという方法が要求される。
【０００６】
本発明の技術的課題は、以上で言及した特徴に制限されるものではなく、言及されていない他の技術的課題は、以下の記載から、当該技術分野の当業者に明確に理解されるであろう。
【課題を解決するための手段】
【０００７】
本発明の多様な実施形態によるインターレイヤビデオ復号化方法において、現在ブロックの、左側に位置する空間的周辺ブロック候補、上側に位置する空間的周辺ブロック候補、及びコロケーテッド（co-located）位置の時間的周辺ブロック候補のうち、インターレイヤ方向の動きベクトルを有する周辺ブロック候補を検索する段階と、前記検索された周辺ブロック候補のインターレイヤ方向の動きベクトルを、前記現在ブロックのディスパリティベクトルと予測する段階と、前記インターレイヤ方向の動きベクトルを有する周辺ブロック候補が検索されない場合、前記空間的周辺ブロック候補のうち、ディスパリティベクトル情報を有する周辺ブロック候補を検索する段階と、前記検索された周辺ブロック候補のディスパリティベクトル情報を利用して、前記現在ブロックのディスパリティベクトルを予測する段階と、を含んでもよい。
【発明の効果】
【０００８】
本発明の一実施形態によって、さらに正確なディスパリティベクトル予測方法を提供してコーディング効率を高めることができ、さらには、処理過程を簡便化し、復号化／符号化装置の複雑度を低減させることができる。
【図面の簡単な説明】
【０００９】
【図１Ａ】多様な実施形態によるインターレイヤビデオ符号化装置のブロック図である。
【図１Ｂ】多様な実施形態によるインターレイヤビデオ符号化方法のフローチャートである。
【図２Ａ】多様な実施形態によるインターレイヤビデオ復号化装置のブロック図である。
【図２Ｂ】多様な実施形態によるインターレイヤビデオ復号化方法のフローチャートである。
【図３】多様な実施形態によるインターレイヤ予測構造を図示する図面である。
【図４Ａ】多様な実施形態による、インターレイヤ間予測のためのディスパリティベクトルについて説明するための図面である。
【図４Ｂ】多様な実施形態による、ディスパリティベクトルを予測するための空間的周辺ブロック候補を示す図面である。
【図４Ｃ】多様な実施形態による、ディスパリティベクトルを予測するための空間的周辺ブロック候補を示す図面である。
【図５】多様な実施形態によるブロック基盤ディスパリティベクトル予測方法を示すフローチャートである。
【図６Ａ】多様な実施形態によるディスパリティベクトルを予測するための空間的及び時間的な周辺ブロック候補を示す他の例である。
【図６Ｂ】多様な実施形態によるブロック基盤ディスパリティベクトル予測方法の他の例を示すフローチャートである。
【図７Ａ】多様な実施形態による、ディスパリティベクトルが予測可能ではない場合、ディスパリティベクトルを決定する方法を示すフローチャートである。
【図７Ｂ】多様な実施形態による、ディスパリティベクトルが予測可能ではない場合ディスパリティベクトルを決定する方法の一例を示す図面である。
【図７Ｃ】多様な実施形態によるディスパリティベクトルが（０，０）と予測される場合、ディスパリティベクトルを決定する方法のフローチャートである。
【図７Ｄ】多様な実施形態によるディスパリティベクトルが（０，０）と予測される場合、ディスパリティベクトルを利用するモードを設定する方法のフローチャートである。
【図８】図８は一実施形態による、ツリー構造による符号化単位に基づいたビデオ符号化装置のブロック図である。
【図９】一実施形態による、ツリー構造による符号化単位に基づいたビデオ復号化装置のブロック図である。
【図１０】本発明の多様な実施形態による符号化単位の概念を図示する図面である。
【図１１】本発明の多様な実施形態による、符号化単位に基づいた映像符号化部のブロック図である。
【図１２】本発明の多様な実施形態による、符号化単位に基づいた映像復号化部のブロック図である。
【図１３】本発明の多様な実施形態による、符号化単位及びパーティションを図示する図面である。
【図１４】本発明の多様な実施形態による、符号化単位及び変換単位の関係を図示する図面である。
【図１５】本発明の一実施形態による符号化情報を図示する図面である。
【図１６】本発明の多様な実施形態による符号化単位を図示する図面である。
【図１７】本発明の多様な実施形態による、符号化単位、予測単位及び変換単位の関係を図示する図面である。
【図１８】本発明の多様な実施形態による、符号化単位、予測単位及び変換単位の関係を図示する図面である。
【図１９】本発明の多様な実施形態による、符号化単位、予測単位及び変換単位の関係を図示する図面である。
【図２０】表９の符号化モード情報による、符号化単位、予測単位及び変換単位の関係を図示する図面である。
【図２１】多様な実施形態による、プログラムが保存されたディスクの物理的構造を例示する。
【図２２】ディスクを利用して、プログラムを記録して判読するためのディスクドライブを図示する図面である。
【図２３】コンテンツ流通サービス（content  distribution  service）を提供するためのコンテンツ供給システム（content  supply  system）の全体的構造を図示する図面である。
【図２４】多様な実施形態による、本発明のビデオ符号化方法及びビデオ復号化方法が適用される携帯電話の外部構造を図示する図面である。
【図２５】多様な実施形態による、本発明のビデオ符号化方法及びビデオ復号化方法が適用される携帯電話の内部構造を図示する図面である。
【図２６】本発明による通信システムが適用されたデジタル放送システムを図示する図面である。
【図２７】本発明の多様な実施形態による、ビデオ符号化装置及びビデオ復号化装置を利用するクラウドコンピューティングシステムのネットワーク構造を図示する図面である。
【発明を実施するための形態】
【００１０】
本発明の多様な実施形態によるインターレイヤビデオ復号化方法において、現在ブロックの、左側に位置する空間的周辺ブロック候補、上側に位置する空間的周辺ブロック候補及びコロケーテッド（co-located）位置の時間的周辺ブロック候補のうち、インターレイヤ方向の動きベクトルを有する周辺ブロック候補を検索する段階と、前記検索された周辺ブロック候補のインターレイヤ方向の動きベクトルを、前記現在ブロックのディスパリティベクトルと予測する段階と、前記インターレイヤ方向の動きベクトルを有する周辺ブロック候補が検索されない場合、前記空間的周辺ブロック候補のうち、ディスパリティベクトル情報を有する周辺ブロック候補を検索する段階と、前記検索された周辺ブロック候補のディスパリティベクトル情報を利用して、前記現在ブロックのディスパリティベクトルを予測する段階と、を含んでもよい。
【００１１】
多様な実施形態による前記インターレイヤ方向の動きベクトルを有するブロック候補を検索する段階は、前記現在ブロックの左側境界に隣接したブロックのうち最も下端に位置する空間的周辺ブロック候補、前記現在ブロックの上側境界に隣接したブロックのうち最も右側に位置する空間的周辺ブロック候補、及びコロケーテッド位置の時間的周辺ブロック候補のうち、インターレイヤ方向の動きベクトルを有する周辺ブロック候補を検索することができる。
【００１２】
多様な実施形態による前記ディスパリティベクトル情報を有する周辺ブロック候補を検索する段階は、前記現在ブロックの左側境界に隣接したブロックのうち最も下端に位置する空間的周辺ブロック候補、及び前記現在ブロックの上側境界に隣接したブロックのうち最も右側に位置する空間的周辺ブロック候補がインターレイヤ動き補償を行ったか否かということを判断する段階を含んでもよい。
【００１３】
多様な実施形態による前記インターレイヤ方向の動きベクトルを有するブロック候補を検索する段階は、前記現在ブロックの対角方向に位置した時間的及び空間的な周辺ブロック候補に対する検索を省略（omit）することができる。
【００１４】
多様な実施形態による前記インターレイヤ方向の動きベクトルを有する周辺ブロック候補を検索する段階は、前記現在ブロックの左側に位置する空間的周辺ブロック候補、前記現在ブロックの上側に位置する空間的周辺ブロック候補、及びコロケーテッド位置の時間的周辺ブロック候補に優先順位を置き、前記インターレイヤ方向の動きベクトルを有する周辺ブロック候補を検索することができる。
【００１５】
多様な実施形態による前記インターレイヤ方向の動きベクトルを有する周辺ブロック候補を検索する段階は、検索される時間方向の参照ピクチャが２以上である場合、コロケーテッドピクチャに含まれた時間的周辺ブロック候補に優先順位を置き、インターレイヤ方向の動きベクトルを有する周辺ブロック候補を検索することができる。
【００１６】
多様な実施形態による前記インターレイヤビデオ復号化方法は、前記現在ブロックのディスパリティベクトルが予測されない場合、基本（default）ディスパリティベクトルとインターレイヤ深さ映像とを利用して、前記現在ブロックのディスパリティベクトルを決定する段階を含んでもよい。
【００１７】
多様な実施形態による前記インターレイヤビデオ復号化方法は、前記現在ブロックのディスパリティベクトルが（０，０）と予測される場合、インターレイヤ深さマップを利用して、前記現在ブロックのディスパリティベクトルを（０，０）ではない値に決定する段階を含んでもよい。
【００１８】
多様な実施形態による前記インターレイヤビデオ復号化方法は、前記現在ブロックのディスパリティベクトルが（０，０）と予測される場合、前記予測されたディスパリティベクトルを利用するモードを使用しないように設定する段階を含んでもよい。
【００１９】
本発明は、多様な実施形態によるインターレイヤビデオ符号化方法において、現在ブロックの、左側に位置する空間的周辺ブロック候補、上側に位置する空間的周辺ブロック候補、及びコロケーテッド位置の時間的周辺ブロック候補のうち、インターレイヤ方向の動きベクトルを有する周辺ブロック候補を検索する段階と、前記検索された周辺ブロック候補のインターレイヤ方向の動きベクトルを、前記現在ブロックのディスパリティベクトルと予測する段階と、前記インターレイヤ方向の動きベクトルを有する周辺ブロック候補が検索されない場合、前記空間的周辺ブロック候補のうち、ディスパリティベクトル情報を有する周辺ブロック候補を検索する段階と、前記検索された周辺ブロック候補のディスパリティベクトル情報を利用して、前記現在ブロックのディスパリティベクトルを予測する段階と、を含んでもよい。
【００２０】
多様な実施形態による前記インターレイヤ方向の動きベクトルを有するブロック候補を検索する段階は、前記現在ブロックの左側境界に隣接したブロックのうち最も下端に位置する空間的周辺ブロック候補、前記現在ブロックの上側境界に隣接したブロックのうち最も右側に位置する空間的周辺ブロック候補、及びコロケーテッド位置の時間的周辺ブロック候補のうち、インターレイヤ方向の動きベクトルを有する周辺ブロック候補を検索することができる。
【００２１】
多様な実施形態による前記ディスパリティベクトル情報を有する周辺ブロック候補を検索する段階は、前記現在ブロックの左側境界に隣接したブロックのうち最も下端に位置する空間的周辺ブロック候補、及び前記現在ブロックの上側境界に隣接したブロックのうち最も右側に位置する空間的周辺ブロック候補がインターレイヤ動き補償を行ったか否かということを判断する段階を含んでもよい。
【００２２】
多様な実施形態による前記インターレイヤ方向の動きベクトルを有するブロック候補を検索する段階は、前記現在ブロックの対角方向に位置した時間的及び空間的な周辺ブロック候補に対する検索を省略することができる。
【００２３】
多様な実施形態による前記インターレイヤ方向の動きベクトルを有する周辺ブロック候補を検索する段階は、前記現在ブロックの左側及び上側に位置する空間的周辺ブロック候補、及びコロケーテッド位置の時間的周辺ブロック候補に優先順位を置き、前記インターレイヤ方向の動きベクトルを有する周辺ブロック候補を検索することができる。
【００２４】
多様な実施形態による前記インターレイヤ方向の動きベクトルを有する周辺ブロック候補を検索する段階は、検索される時間方向の参照ピクチャが２以上である場合、コロケーテッドピクチャに含まれた時間的周辺ブロック候補に優先順位を置き、インターレイヤ方向の動きベクトルを有する周辺ブロック候補を検索することができる。
【００２５】
多様な実施形態による前記インターレイヤビデオ符号化方法は、前記現在ブロックのディスパリティベクトルが予測されない場合、基本ディスパリティベクトルとインターレイヤ深さ映像とを利用して、前記現在ブロックのディスパリティベクトルを決定する段階を含んでもよい。
【００２６】
多様な実施形態による前記インターレイヤビデオ符号化方法は、前記現在ブロックのディスパリティベクトルが（０，０）と予測される場合、インターレイヤ深さマップを利用して、前記現在ブロックのディスパリティベクトルを（０，０）ではない値に決定する段階を含んでもよい。
【００２７】
多様な実施形態による前記インターレイヤビデオ符号化方法は、前記現在ブロックのディスパリティベクトルが（０，０）と予測される場合、前記予測されたディスパリティベクトルを利用するモードを使用しないように設定する段階を含んでもよい。
【００２８】
本発明は、多様な実施形態によるインターレイヤビデオ復号化装置において、ビットストリームから獲得された符号化情報に基づいて第１レイヤ映像を復元する第１レイヤ復号化部と、第２レイヤ現在ブロックの、左側に位置する空間的周辺ブロック候補、上側に位置する空間的周辺ブロック候補、及びコロケーテッド位置の時間的周辺ブロック候補のうち、インターレイヤ方向の動きベクトルを有する周辺ブロック候補を検索し、前記検索された周辺ブロック候補のインターレイヤ方向の動きベクトルを、前記第２レイヤ現在ブロックのディスパリティベクトルと予測するディスパリティベクトル決定部と、を含むインターレイヤビデオ復号化装置において、前記ディスパリティベクトル決定部は、前記インターレイヤ方向の動きベクトルを有する周辺ブロック候補が検索されない場合、前記空間的周辺ブロック候補のうち、ディスパリティベクトル情報を有する周辺ブロック候補を検索し、前記検索された周辺ブロック候補のディスパリティベクトル情報を利用して、前記第２レイヤ現在ブロックのディスパリティベクトルを予測することができる。
【００２９】
本発明は、多様な実施形態によるインターレイヤビデオ符号化装置において、第１レイヤ映像を符号化して生成された符号化情報を含む第１レイヤビットストリームを生成する第１レイヤ符号化部と、第２レイヤ現在ブロックの、左側に位置する空間的周辺ブロック候補、上側に位置する空間的周辺ブロック候補、及びコロケーテッド位置の時間的周辺ブロック候補のうち、インターレイヤ方向の動きベクトルを有する周辺ブロック候補を検索し、前記検索された周辺ブロック候補のインターレイヤ方向の動きベクトルを、前記第２レイヤ現在ブロックのディスパリティベクトルと予測するディスパリティベクトル決定部と、を含むインターレイヤビデオ符号化装置において、前記ディスパリティベクトル決定部は、前記インターレイヤ方向の動きベクトルを有する周辺ブロック候補が検索されない場合、前記空間的周辺ブロック候補のうち、ディスパリティベクトル情報を有する周辺ブロック候補を検索し、前記検索された周辺ブロック候補のディスパリティベクトル情報を利用して、前記第２レイヤ現在ブロックのディスパリティベクトルを予測することができる。
【００３０】
本発明は、多様な実施形態による方法を具現するためのプログラムが記録されたコンピュータで判読可能な記録媒体を含んでもよい。
【００３１】
以下、図１Ａないし図７Ｄを参照し、多様な実施形態によって、参照レイヤ深さマップを利用してディスパリティベクトルを決定するインターレイヤビデオ符号化技法、インターレイヤビデオ復号化技法を提案する。また、図８ないし図２０を参照し、先立って提案したインターレイヤビデオ符号化技法及び復号化技法に適用される多様な実施形態による、ツリー構造の符号化単位に基づいたビデオ符号化技法及びビデオ復号化技法を開示する。また、図２１ないし図２７を参照し、先立って提案したビデオ符号化方法、ビデオ復号化方法が適用される多様な実施形態を開示する。
【００３２】
以下、「映像」は、ビデオの静止映像や動画、すなわち、ビデオそれ自体を示す。
【００３３】
以下、「サンプル」は、映像のサンプリング位置に割り当てられたデータであり、プロセッシング対象になるデータを意味する。例えば、空間領域の映像において、ピクセルがサンプルでもある。
【００３４】
以下、「現在ブロック（current  block）」は、符号化または復号化を行う映像のブロックを意味する。
【００３５】
以下、「周辺ブロック（neighboring  block  around  the  current  block）」は、現在ブロックに隣接する、符号化または復号化される少なくとも１つのブロックを示す。例えば、周辺ブロックは、現在ブロックの上端、現在ブロックの右側上端、現在ブロックの左側、または現在ブロックの左側上端に位置することができる。また、空間的に隣接するブロックだけではなく、時間的に隣接するブロックを含んでもよい。
【００３６】
まず、図１Ａないし図７Ｄを参照し、多様な実施形態による、インターレイヤビデオ復号化装置及びインターレイヤビデオ符号化装置、並びにその方法のためのブロック基盤ディスパリティベクトル予測方法を開示する。
【００３７】
図１Ａは、多様な実施形態によるインターレイヤビデオ符号化装置１０のブロック図である。図１Ｂは、多様な実施形態によるインターレイヤビデオ符号化方法のフローチャートである。
【００３８】
多様な実施形態によるインターレイヤビデオ符号化装置１０は、第１レイヤ符号化部１２及び第２レイヤ符号化部１６を含む。第２レイヤ符号化部１６は、ディスパリティベクトル決定部１４を含んでもよい。ディスパリティベクトル決定部１４は、第２レイヤ符号化部１６の外部に位置することもできる。
【００３９】
多様な実施形態によるインターレイヤビデオ符号化装置１０は、スケーラブルビデオコーディング（scalable  video  coding）方式によって、多数の映像シーケンスをレイヤ別に分類してそれぞれ符号化し、レイヤ別に符号化されたデータを含む別個のストリームを出力することができる。インターレイヤビデオ符号化装置１０は、第１レイヤ映像シーケンスと第２レイヤ映像シーケンスとを、互いに異なるレイヤに符号化することができる。
【００４０】
第１レイヤ符号化部１２が第１レイヤ映像を符号化し、第１レイヤ映像の符号化データを含む第１レイヤストリームを出力することができる。
【００４１】
第２レイヤ符号化部１６が第２レイヤ映像を符号化し、第２レイヤ映像の符号化データを含む第２レイヤストリームを出力することができる。
【００４２】
例えば、空間的スケーラビリティ（spatial  scalability）に基づいたスケーラブルビデオコーディング方式によれば、低解像度映像が第１レイヤ映像として符号化され、高解像度映像が第２レイヤ映像として符号化される。第１レイヤ映像の符号化結果が第１レイヤストリームとして出力され、第２レイヤ映像の符号化結果が第２レイヤストリームとして出力される。
【００４３】
他の例として、多視点ビデオがスケーラブルビデオコーディング方式によって符号化される。その場合、中央視点映像は、第１レイヤ映像として符号化され、左視点映像及び右視点映像は、第１レイヤ映像を参照する第２レイヤ映像として符号化される。または、インターレイヤビデオ符号化装置１０が、第１レイヤ、第２レイヤ、第３レイヤなど３以上のレイヤを許容する場合、中央視点映像は、第１レイヤ映像として符号化され、左視点映像は、第２レイヤ映像として符号化され、右視点映像は、第３レイヤ映像として符号化される。必ずしもかような構成に限定されるものではなく、中央視点映像、左視点映像、右視点映像が符号化されるレイヤ、及び参照されるレイヤが変更されるということは言うまでもない。
【００４４】
他の例として、時間的スケーラビリティに基づいた時間階層的予測（temporal  hierarchical  prediction）によって、スケーラブルビデオコーディング方式が遂行される。基本フレームレートの映像を符号化して生成された符号化情報を含む第１レイヤストリームが出力される。フレームレート別に、時間的階層（temporal  level）が分類され、各時間的階層が各レイヤに符号化される。基本フレームレートの映像を参照し、高速フレームレートの映像をさらに符号化し、高速フレームレートの符号化情報を含む第２レイヤストリームが出力される。
【００４５】
また、第１レイヤ、及び多数の第２レイヤに対するスケーラブルビデオコーディングが行われる。第２レイヤが３以上である場合、第１レイヤ映像と、最初の第２レイヤ映像、２番目の第２レイヤ映像、…、Ｋ番目の第２レイヤ映像が符号化されもする。それにより、第１レイヤ映像の符号化結果が第１レイヤストリームとして出力され、最初、２番目、…、Ｋ番目の第２レイヤ映像の符号化結果が、それぞれ最初、２番目、…、Ｋ番目の第２レイヤストリームとして出力される。
【００４６】
多様な実施形態によるインターレイヤビデオ符号化装置１０は、単一レイヤの映像を参照して現在映像を予測するインター予測（inter  prediction）を行うことができる。インター予測を介して、現在映像と参照映像との動き情報を示すモーションベクトル（motion  vector）、及び現在映像と参照映像とのレジデュアル成分（residual）が生成される。
【００４７】
また、インターレイヤビデオ符号化装置１０は、第１レイヤ映像を参照して第２レイヤ映像を予測するインターレイヤ予測（inter-layer  prediction）を行うことができる。
【００４８】
また、多様な実施形態によるインターレイヤビデオ符号化装置１０が、第１レイヤ、第２レイヤ、第３レイヤなど３以上のレイヤを許容する場合には、マルチレイヤ予測構造によって、１つの第１レイヤ映像と第３レイヤ映像とのインターレイヤ予測、第２レイヤ映像と第３レイヤ映像とのインターレイヤ予測を行うこともできる。
【００４９】
インターレイヤ予測を介して、現在映像と異なるレイヤの参照映像間の位置差成分、及び現在映像と異なるレイヤの参照映像間のレジデュアル成分が生成される。
【００５０】
インターレイヤ予測構造は、追って図３を参照して詳細に説明する。
【００５１】
多様な実施形態によるインターレイヤビデオ符号化装置１０は、各レイヤごとに、ビデオのそれぞれの映像のブロック別に符号化する。ブロックのタイプは、正方形または長方形でもあり、任意の幾何学的形態でもある。一定サイズのデータ単位に制限されるものではない。ブロックは、ツリー構造による符号化単位のうちでは、最大符号化単位、符号化単位、予測単位、変換単位などでもある。ツリー構造の符号化単位を含む最大符号化単位は、コーディングツリーユニット（coding  tree  unit）、コーディングブロックツリー（coding  block  tree）、ブロックツリー、ルートブロックツリー（root  block  tree）、コーディングツリー、コーディングルートまたはツリートランク（tree  trunk）などで多様に命名される。ツリー構造による符号化単位に基づいたビデオ符号化／復号化方式は、図８ないし図２０を参照して後述する。
【００５２】
インター予測及びインターレイヤ予測は、符号化単位、予測単位または変換単位のデータ単位を基に行われもする。
【００５３】
多様な実施形態による第１レイヤ符号化部１２は、第１レイヤ映像に対して、インター予測またはイントラ予測を含むソースコーディング動作を遂行し、シンボルデータを生成することができる。シンボルデータは、各符号化パラメータのサンプル値、及びレジデュアルのサンプル値を示す。
【００５４】
例えば、符号化部１２は、第１レイヤ映像のデータ単位のサンプルに対して、インター予測またはイントラ予測、変換、量子化を行ってシンボルデータを生成し、シンボルデータに対してエントロピー符号化を行い、第１レイヤストリームを生成することができる。
【００５５】
第２レイヤ符号化部１６は、ツリー構造の符号化単位に基づいて、第２レイヤ映像を符号化することができる。第２レイヤ符号化部１６は、第２レイヤ映像の符号化単位のサンプルに対して、インター／イントラ予測、変換、量子化を行ってシンボルデータを生成し、シンボルデータに対してエントロピー符号化を行い、第２レイヤストリームを生成することができる。
【００５６】
多様な実施形態による第２レイヤ符号化部１６は、第１レイヤ映像の予測情報を利用して、第２レイヤ映像を予測するインターレイヤ予測を行うことができる。第２レイヤ符号化部１６は、インターレイヤ予測構造を介して、第２レイヤ映像シーケンスのうち第２レイヤ原本映像を符号化するために、第１レイヤ復元映像の予測情報を利用して、第２レイヤ現在映像の予測情報を決定し、決定された予測情報に基づいて、第２レイヤ予測映像を生成し、第２レイヤ原本映像と第２レイヤ予測映像との予測誤差を符号化することができる。
【００５７】
一方、第２レイヤ符号化部１６は、第２レイヤ映像に対して、符号化単位または予測単位のようなブロック別にインターレイヤ予測を行い、第２レイヤ映像のブロックが参照する第１レイヤ映像のブロックを決定することができる。例えば、第２レイヤ映像において、現在ブロックの位置に相応して位置する第１レイヤ映像の復元ブロックが決定される。第２レイヤ符号化部１６は、第２レイヤブロックに相応する第１レイヤ復元ブロックを利用して、第２レイヤ予測ブロックを決定することができる。
【００５８】
第２レイヤ符号化部１６は、インターレイヤ予測構造によって、第１レイヤ復元ブロックを利用して決定された第２レイヤ予測ブロックを、第２レイヤ原本ブロックのインターレイヤ予測のための参照映像として利用することができる。第２レイヤ符号化部１６は、第１レイヤ復元映像を利用して、第２レイヤ予測ブロックのサンプル値と、第２レイヤ原本ブロックのサンプル値との誤差、すなわち、インターレイヤ予測によるレジデュアル成分を変換及び量子化し、エントロピー符号化することができる。
一方、前述のインターレイヤビデオ符号化装置１０が多視点ビデオを符号化する場合、符号化される第１レイヤ映像は、第１視点ビデオであり、第２レイヤ映像は、第２視点ビデオでもある。かような多視点映像は、同一時間に取得されるために、各視点の映像別に類似度が非常に高い。
【００５９】
しかし、多視点映像は、視点別に撮影角度、照明または撮像ツール（カメラ、レンズなど）の特性が異なることにより、視差（disparity）が示される。従って、かような視差をディスパリティベクトルで示し、ディスパリティベクトルを利用して、他視点の映像において、現在符号化するブロックと最も類似した領域を求めて符号化するディスパリティ補償予測（disparity  compensated  prediction）を行うことにより、符号化効率を高めることができる。
【００６０】
インターレイヤビデオ符号化装置１０は、インターレイヤ予測のためのディスパリティベクトルを決定し、区別された情報として、ビットストリームを介して復号化装置に伝送することができる。
【００６１】
または、インターレイヤビデオ符号化装置１０は、予測単位別に伝送されるデータ量を低減させるために、他の符号化情報からディスパリティベクトルが予測（または、誘導）される。例えば、現在復元されるブロックの周辺ブロックから、ディスパリティベクトルが予測される。また、周辺ブロックからディスパリティベクトルを予測することができなければ、ディスパリティベクトルを、基本ディスパリティベクトルとして設定することができる。
【００６２】
ところで、インターレイヤビデオ符号化装置１０が、ディスパリティベクトル予測のために利用する周辺ブロックを決定するために、周辺ブロック候補を検索するとき、現在ブロックと周辺ブロックとの距離を考慮しない場合、距離が遠い周辺ブロックが、検索優先順位を有することができる。その場合、予測正確度が高い近い周辺ブロック候補の代わりに、距離が遠くて予測正確度が低い周辺ブロック候補が、ディスパリティベクトル予測のために利用される周辺ブロック候補に決定されるという問題がある。
【００６３】
従って、多様な実施形態によるインターレイヤビデオ符号化装置１０は、現在ブロックと近い周辺ブロック候補を利用して、ディスパリティベクトル予測を行うことにより、さらに正確なディスパリティベクトル予測方法を提供することができる。また、インターレイヤビデオ符号化装置１０は、コーディング効率を高めることができ、さらに、処理過程を簡便化し、符号化装置の複雑度を低減させることができる。
【００６４】
以下、多様な実施形態によるインターレイヤビデオ符号化装置１０において、ディスパリティベクトルを決定する方法は、図４ないし図７Ｄに係わる説明において、具体的に説明する。
【００６５】
インターレイヤビデオ符号化装置１０は、第１レイヤ復元映像を利用して、第２レイヤ予測ブロックのサンプル値と、第２レイヤ原本ブロックのサンプル値との誤差、すなわち、インターレイヤ予測によるレジデュアル成分を変換及び量子化してエントロピー符号化することができる。また、予測情報間の誤差も、エントロピー符号化される。
【００６６】
前述のように、インターレイヤビデオ符号化装置１０は、インターレイヤ予測構造を介して、第１レイヤ復元映像を参照し、現在レイヤ映像シーケンスを符号化することもできる。ただし、多様な実施形態によるインターレイヤビデオ符号化装置１０が、異なるレイヤサンプルを参照せずにも、単一レイヤ予測構造によって、第２レイヤ映像シーケンスを符号化することもできる。従って、インターレイヤビデオ符号化装置１０が第２レイヤ映像シーケンスを符号化するために、インターレイヤ予測構造のインター予測のみを遂行すると制限的に解釈しないように留意しなければならない。
【００６７】
以下、インターレイヤ予測のために、ディスパリティベクトルを予測するインターレイヤビデオ符号化装置１０の詳細な動作について、図１Ｂを参照して詳細に説明する。以下の説明において、第１レイヤ映像は、参照視点映像を意味し、第２レイヤ映像は、現在符号化される視点の映像を意味する。
【００６８】
図１Ｂは、多様な実施形態によるインターレイヤビデオ符号化方法のフローチャートである。
【００６９】
段階１１において、多様な実施形態によるディスパリティベクトル決定部１４は、現在ブロックの、左側に位置する空間的周辺ブロック候補、上側に位置する空間的周辺ブロック候補、及びコロケーテッド位置の時間的周辺ブロック候補のうち、インターレイヤ方向の動きベクトルを有する周辺ブロック候補を検索することができる。ここで、周辺ブロック候補のインターレイヤ方向の動きベクトルは、周辺ブロック候補が有するディスパリティベクトルを意味する。
【００７０】
例えば、ディスパリティベクトル決定部１４は、複数の時間的周辺ブロック候補のうち、コロケーテッド位置の周辺ブロック候補がインターレイヤ方向の動きベクトルを有するか否かということを判断することができる。
【００７１】
また、ディスパリティベクトル決定部１４は、複数の空間的周辺ブロック候補のうち、現在ブロックの左側境界に隣接したブロックのうち最も下端に位置する空間的周辺ブロック候補、及び前記現在ブロックの上側境界に隣接したブロックのうち最も右側に位置する空間的周辺ブロック候補がインターレイヤ方向の動きベクトルを有するか否かということを判断することができる。
【００７２】
そして、ディスパリティベクトル決定部１４は、複数の時間的及び空間的な周辺ブロック候補のうち、現在ブロックの対角方向に位置した時間的及び空間的な周辺ブロック候補に対する検索を省略することができる。
【００７３】
ただし、ディスパリティベクトル決定部１４は、前述の周辺ブロック候補のうち、インターレイヤ方向の動きベクトルを有する周辺ブロック候補を探し出すことができない場合、現在ブロックの左側境界に隣接したブロックのうち最も下端に位置するブロックの下端、現在ブロックの左側境界に隣接したブロックのうち最も上端に位置するブロックの上端、現在ブロックの上側境界に隣接したブロックのうち最も右側に位置するブロックの右側に位置する空間的周辺ブロック候補、及び現在ブロックの時間的コロケーテッドブロックの右側境界に隣接したブロックのうち最も下端に位置するブロックの下端に位置する時間的周辺ブロック候補のうち、インターレイヤ方向の動きベクトルを有する周辺ブロック候補を検索することができる。
【００７４】
すなわち、ディスパリティベクトル決定部１４は、前記現在ブロックの左側に位置する空間的周辺ブロック候補、前記現在ブロックの上側に位置する空間的周辺ブロック候補、及びコロケーテッド位置の時間的周辺ブロック候補に優先順位を置き、前記インターレイヤ方向の動きベクトルを有する周辺ブロック候補を検索することができる。また、ディスパリティベクトル決定部１４は、時間的周辺ブロック候補のうち、インターレイヤ方向の動きベクトルを有する周辺ブロック候補を検索した後、空間的周辺ブロック候補を検索することができるが、必ずしもかような順序に限定されるものではない。
【００７５】
一方、ディスパリティベクトル決定部１４は、時間的周辺ブロック候補を検索するために参照される時間方向の参照ピクチャが２以上である場合、コロケーテッドピクチャに含まれた時間的周辺ブロック候補に優先順位を置き、インターレイヤ方向の動きベクトルを有する周辺ブロック候補を検索することができる。
【００７６】
例えば、コロケーテッドピクチャを検索した後、ラップ（ＲＡＰ）ピクチャを検索することもでき、または、現在ピクチャと最も時間上距離が近いピクチャを先に探索することもできる。また、２つのピクチャにおいて、コロケーテッド位置の周辺ブロック候補をまず検索し、それ以外の周辺ブロック候補を探索することもできる。
【００７７】
段階１３において、多様な実施形態によるディスパリティベクトル決定部１４は、検索された周辺ブロック候補のインターレイヤ方向の動きベクトルを、前記現在ブロックのディスパリティベクトルと予測することができる。
【００７８】
一方、段階１５において、多様な実施形態によるディスパリティベクトル決定部１４は、インターレイヤ方向の動きベクトルを有する周辺ブロック候補が検索されない場合、周辺ブロック候補のうち、ディスパリティベクトル情報を有する周辺ブロック候補を検索することができる。例えば、周辺ブロック候補が、インターレイヤ間動き予測補償を行った場合には、ディスパリティベクトル情報を有するので、ディスパリティベクトル決定部１４は、周辺ブロック候補のうち、インターレイヤ間動き補償を行った周辺ブロック候補を検索することができる。
【００７９】
ここで、ディスパリティベクトル決定部１４が、ディスパリティベクトル情報を有する空間的周辺ブロック候補を検索する動作は、段階１１において説明したインターレイヤ方向の動きベクトルを有する空間的周辺ブロック候補を検索する動作と類似しているので、詳細な説明は省略する。
【００８０】
段階１７において、多様な実施形態によるディスパリティベクトル決定部１４は、検索された周辺ブロック候補のディスパリティベクトル情報を利用して、現在ブロックのディスパリティベクトルを予測することができる。
【００８１】
一方、ディスパリティベクトル決定部１４は、周辺ブロック候補のうち、インターレイヤ間動き補償を行った周辺ブロック候補を検索することができない場合には、周辺ブロック候補からディスパリティベクトルを予測することができない場合であると判断し、ディスパリティベクトルを、基本ディスパリティベクトルとして決定することができる。
【００８２】
ところで、周辺ブロックにおいて、ディスパリティベクトルを予測することができなかったとき、基本ディスパリティベクトルを（０，０）と設定する場合、ほとんどの多視点映像では、ディスパリティが発生するために、予測されたディスパリティベクトルが正確ではない可能性が高い。従って、ディスパリティベクトル決定部１４は、基本ディスパリティベクトルを０ではない値に設定し、実際のディスパリティベクトルと類似したディスパリティベクトルを予測することができる。
【００８３】
また、ディスパリティベクトル決定部１４は、周辺ブロックにおいて、ディスパリティベクトルを予測することができない場合にも、基本ディスパリティベクトルを０ではない値に設定し、ディスパリティベクトルを利用するモード（例えば、レジデュアル予測モード）を使用することができる。
【００８４】
ここで、レジデュアル予測モードは、第２レイヤ現在ブロックの動きベクトル値と、それに対応する第１レイヤ参照ブロックの動きベクトル値との差分値をシグナリングするモードを意味する。ところで、ディスパリティベクトルが周辺ブロックで予測されない場合には、その予測正確度が低くなり、レジデュアル予測モードを使用しない。しかし、多様な実施形態によるインターレイヤビデオ復号化装置２０は、ディスパリティベクトルを０ではない値に設定し、ディスパリティベクトルを利用するモードを使用することができる。
【００８５】
また、ディスパリティベクトル決定部１４は、周辺ブロックで予測されたディスパリティベクトルが（０，０）である場合にも、ディスパリティベクトルを０ではない値に再設定することができる。
【００８６】
または、ディスパリティベクトル決定部１４は、周辺ブロックで予測されたディスパリティベクトルが（０，０）である場合には、ディスパリティに対して、ベクトルの正確度が低いと判断されるので、ディスパリティベクトルを利用するモードを使用しないように設定することもできる。
【００８７】
前述のところにより、インターレイヤビデオ符号化装置１０は、予測されたディスパリティベクトルの正確度を高めることにより、符号化効率を高めることができる。
【００８８】
多様な実施形態によるインターレイヤビデオ符号化装置１０は、第１レイヤ符号化部１２、ディスパリティベクトル決定部１４及び第２レイヤ符号化部１６を総括的に制御する中央プロセッサ（図示せず）を含んでもよい。または、第１レイヤ符号化部１２、ディスパリティベクトル決定部１４及び第２レイヤ符号化部１６が、それぞれの自体プロセッサ（図示せず）によって作動し、プロセッサ（図示せず）が相互有機的に作動することにより、インターレイヤビデオ符号化装置１０が全体的に作動される。または、インターレイヤビデオ符号化装置１０の外部プロセッサ（図示せず）の制御によって、第１レイヤ符号化部１２、ディスパリティベクトル決定部１４及び第２レイヤ符号化部１６が制御されもする。
【００８９】
インターレイヤビデオ符号化装置１０は、第１レイヤ符号化部１２、ディスパリティベクトル決定部１４及び第２レイヤ符号化部１６の入出力データが保存される１以上のデータ保存部（図示せず）を含んでもよい。インターレイヤビデオ符号化装置１０は、データ保存部（図示せず）のデータ入出力を管轄するメモリ制御部（図示せず）を含んでもよい。
【００９０】
インターレイヤビデオ符号化装置１０は、ビデオ符号化結果を出力するために、内部に搭載されたビデオエンコーディングプロセッサまたは外部ビデオエンコーディングプロセッサと連繋して作動することにより、変換を含んだビデオ符号化動作を遂行することができる。インターレイヤビデオ符号化装置１０の内部ビデオエンコーディングプロセッサは、別個のプロセッサとして、ビデオ符号化動作を具現することができる。また、インターレイヤビデオ符号化装置１０、または中央演算装置、グラフィック演算装置がビデオエンコーディングプロセッシングモジュールを含むことにより、基本的なビデオ符号化動作を具現する場合も可能である。
【００９１】
図２Ａは、多様な実施形態によるインターレイヤビデオ復号化装置のブロック図である。
【００９２】
多様な実施形態によるインターレイヤビデオ復号化装置２０は、第１レイヤ復号化部２２、ディスパリティベクトル決定部２４及び第２レイヤ復号化部２６を含む。ディスパリティベクトル決定部２４は、第２レイヤ復号化部２６に含まれもする。他の実施形態によるディスパリティベクトル決定部２４は、第２レイヤ符号化部２６の外部に位置することもできる。
【００９３】
多様な実施形態によるインターレイヤビデオ復号化装置２０は、スケーラブル符号化方式によって、レイヤ別にビットストリームを受信することができる。インターレイヤビデオ復号化装置２０が受信するビットストリームのレイヤの個数が限定されるものではない。しかし、説明の便宜のために、以下、インターレイヤビデオ復号化装置２０の第１レイヤ復号化部２２が第１レイヤストリームを受信して復号化し、第２レイヤ復号化部２６が第２レイヤストリームを受信して復号化する実施形態について詳細に説明する。
【００９４】
例えば、空間的スケーラビリティに基づいたインターレイヤビデオ復号化装置２０は、互いに異なる解像度の映像シーケンスが、互いに異なるレイヤに符号化されたストリームを受信することができる。第１レイヤストリームを復号化して低解像度映像シーケンスが復元され、第２レイヤストリームを復号化して高解像度映像シーケンスが復元される。
【００９５】
他の例として、多視点ビデオが、スケーラブルビデオコーディング方式によって復号化される。ステレオスコピックビデオストリームが多数レイヤに受信された場合、第１レイヤストリームを復号化して左視点映像が復元される。第１レイヤストリームに、第２レイヤストリームをさらに復号化して右視点映像が復元される。
【００９６】
または、多視点ビデオストリームが多数レイヤに受信された場合、第１レイヤストリームを復号化し、中央視点映像が復元される。第１レイヤストリームに、第２レイヤストリームをさらに復号化し、左視点映像が復元される。第１レイヤストリームに、第３レイヤストリームをさらに復号化し、右視点映像が復元される。
【００９７】
他の例として、時間的スケーラビリティに基づいたスケーラブルビデオコーディング方式が遂行される。第１レイヤストリームを復号化し、基本フレームレートの映像が復元される。第１レイヤストリームに、第２レイヤストリームをさらに復号化し、高速フレームレートの映像が復元される。
【００９８】
また、第２レイヤが３以上である場合、第１レイヤストリームから第１レイヤ映像が復元され、第１レイヤ復元映像を参照し、第２レイヤストリームをさらに復号化すれば、第２レイヤ映像がさらに復元される。第２レイヤ復元映像を参照し、Ｋ番目レイヤストリームをさらに復号化すれば、Ｋ番目レイヤ映像がさらに復元されもする。
【００９９】
インターレイヤビデオ復号化装置２０は、第１レイヤストリーム及び第２レイヤストリームから、第１レイヤ映像及び第２レイヤ映像の符号化されたデータを獲得し、さらに、インター予測によって生成されたモーションベクトル、及びインターレイヤ予測によって生成された予測情報をさらに獲得することができる。
【０１００】
例えば、インターレイヤビデオ復号化装置２０は、各レイヤ別にインター予測されたデータを復号化し、多数レイヤ間でインターレイヤ予測されたデータを復号化することができる。符号化単位または予測単位を基に、動き補償（motion  compensation）、及びインターレイヤ復号化を介した復元が行われる。
【０１０１】
各レイヤストリームについては、同一レイヤのインター予測を介して予測された復元映像を参照し、現在映像のための動き補償を行うことにより、映像を復元することができる。動き補償は、現在映像のモーションベクトルを利用して決定された参照映像と、現在映像のレジデュアル成分とを合成し、現在映像の復元映像を再構成する動作を意味する。
【０１０２】
また、インターレイヤビデオ復号化装置２０は、インターレイヤ予測を介して予測された第２レイヤ映像を復号化するために、第１レイヤ映像の予測情報を参照し、インターレイヤ復号化を行うこともできる。インターレイヤ復号化は、現在映像の予測情報を決定するために、他レイヤの参照ブロックの予測情報を利用して、現在映像の予測情報を再構成する動作を意味する。
【０１０３】
多様な実施形態によるインターレイヤビデオ復号化装置２０は、第２レイヤ映像を参照して予測された第３レイヤ映像を復元するためのインターレイヤ復号化を行うこともできる。インターレイヤ予測構造は、追って図３を参照して詳細に説明する。
【０１０４】
ただし、多様な実施形態による第２レイヤ復号化部２６が、第１レイヤ映像シーケンスを参照せずにも、第２レイヤストリームを復号化することもできる。従って、第２レイヤ復号化部２６が第２レイヤ映像シーケンスを復号化するために、インターレイヤ予測を行うと制限的に解釈しないように留意しなければならない。
【０１０５】
インターレイヤビデオ復号化装置２０は、ビデオのそれぞれの映像のブロック別に復号化する。ブロックは、ツリー構造による符号化単位のうちでは、最大符号化単位、符号化単位、予測単位、変換単位などでもある。
【０１０６】
第１レイヤ復号化部２２は、パージングされた第１レイヤ映像の符号化シンボルを利用して、第１レイヤ映像を復号化することができる。インターレイヤビデオ復号化装置２０が、ツリー構造の符号化単位を基に符号化されたストリームを受信するならば、第１レイヤ復号化部２２は、第１レイヤストリームの最大符号化単位ごとに、ツリー構造の符号化単位を基に復号化を行うことができる。
【０１０７】
第１レイヤ復号化部２２は、最大符号化単位ごとにエントロピー復号化を行い、符号化情報、及び符号化されたデータを獲得することができる。第１レイヤ復号化部２２は、ストリームから獲得した符号化されたデータに対して逆量子化、逆変換を行い、レジデュアル成分を復元することができる。他の実施形態による第１レイヤ復号化部２２は、量子化された変換係数のビットストリームを直接受信することもできる。量子化された変換係数に対して逆量子化、逆変換を行った結果、映像のレジデュアル成分が復元されもする。
【０１０８】
第１レイヤ復号化部２２は、同一レイヤ映像間に動き補償を介して、予測映像を決定し、予測映像とレジデュアル成分とを結合し、第１レイヤ映像を復元することができる。
【０１０９】
第２レイヤ復号化部２６は、インターレイヤ予測構造によれば、第１レイヤ復元映像のサンプルを利用して、第２レイヤ予測映像を生成することができる。第２レイヤ復号化部２６は、第２レイヤストリームを復号化し、インターレイヤ予測による予測誤差を獲得することができる。第２レイヤ復号化部２６は、第２レイヤ予測映像に予測誤差を結合することにより、第２レイヤ復元映像を生成することができる。
【０１１０】
第２レイヤ復号化部２６は、第１レイヤ復号化部２２で復号化された第１レイヤ復元映像を利用して、第２レイヤ予測映像を決定することができる。第２レイヤ復号化部２６は、インターレイヤ予測構造によって、第２レイヤ映像の符号化単位または予測単位のようなブロックが参照する第１レイヤ映像のブロックを決定することができる。例えば、第２レイヤ映像において、現在ブロックの位置に相応して位置する第１レイヤ映像の復元ブロックが決定される。第２レイヤ復号化部２６は、第２レイヤブロックに相応する第１レイヤ復元ブロックを利用して、第２レイヤ予測ブロックを決定することができる。
【０１１１】
第２レイヤ復号化部２６は、インターレイヤ予測構造によって、第１レイヤ復元ブロックを利用して決定された第２レイヤ予測ブロックを、第２レイヤ原本ブロックのインターレイヤ予測のための参照映像として利用することもできる。その場合、第２レイヤ復号化部２６は、第１レイヤ復元映像を利用して決定した第２レイヤ予測ブロックのサンプル値と、インターレイヤ予測によるレジデュアル成分とを合成することにより、第２レイヤブロックを復元することができる。
【０１１２】
一方、前述のインターレイヤビデオ復号化装置２０が多視点ビデオを復号化する場合、符号化される第１レイヤ映像は、第１視点ビデオであり、第２レイヤ映像は、第２視点ビデオでもある。
【０１１３】
一方、多視点映像は、同一時間に取得されるために、各視点の映像別に類似度が非常に高い。従って、ディスパリティベクトルを利用して、他視点の映像において現在符号化するブロックと最も類似した領域を求めて符号化するディスパリティ補償予測（disparity  compensated  prediction）を行うことにより、符号化効率を高めることができる。
【０１１４】
インターレイヤビデオ復号化装置２０は、インターレイヤ予測のためのディスパリティベクトルをビットストリームを介して獲得したり、あるいは他の符号化情報から予測したりすることができる。
【０１１５】
例えば、現在復元されるブロックの周辺ブロックから、ディスパリティベクトルが予測される。また、周辺ブロックからディスパリティベクトルを予測することができなければ、ディスパリティベクトルを、基本ディスパリティベクトルとして設定することができる。
【０１１６】
ところで、インターレイヤビデオ復号化装置２０がディスパリティベクトル予測のために利用する周辺ブロックを決定するために、周辺ブロック候補を検索するとき、現在ブロックと周辺ブロックとの距離を考慮しない場合、距離が遠い周辺ブロック候補が検索優先順位を有することができる。その場合、予測正確度が高い近い周辺ブロック候補の代わりに、距離が遠くて予測正確度が低い周辺ブロック候補が、ディスパリティベクトル予測のために利用される周辺ブロック候補に決定されるという問題がある。
【０１１７】
従って、多様な実施形態によるインターレイヤビデオ復号化装置２０は、現在ブロックと近い周辺ブロック候補を利用して、ディスパリティベクトル予測を行うことにより、さらに正確なディスパリティベクトル予測方法を提供することができる。従って、インターレイヤビデオ復号化装置２０は、コーディング効率を高めることができ、さらには、処理過程を簡便化して復号化装置の複雑度を低減させることができる。
【０１１８】
以下、多様な実施形態によるインターレイヤビデオ復号化装置２０において、ディスパリティベクトルを決定する方法は、図４Ａないし図７Ｄに係わる説明において具体的に説明する。
【０１１９】
一方、空間的スケーラブルビデオコーディング方式によれば、第１レイヤ復号化部２２が、第２レイヤ映像と異なる解像度の第１レイヤ映像を復元した場合、第２レイヤ復号化部２６は、第１レイヤ復元映像を、第２レイヤ原本映像と同一解像度にサイズ調節を行うために補間することができる。補間された第１レイヤ復元映像を、インターレイヤ予測のための第２レイヤ予測映像として決定する。
【０１２０】
従って、インターレイヤビデオ復号化装置２０の第１レイヤ復号化部２２は、第１レイヤストリームを復号化し、第１レイヤ映像シーケンスを復元し、第２レイヤ復号化部２６は、第２レイヤストリームを復号化し、第２レイヤ映像シーケンスを復元することができる。
【０１２１】
以下、インターレイヤ予測のために、ディスパリティベクトルを決定するインターレイヤビデオ復号化装置２０の詳細な動作について、図２Ｂを参照して詳細に説明する。以下の説明において第１レイヤ映像は、参照視点映像を意味し、第２レイヤ映像は、復号化される現在視点の映像を意味する。
【０１２２】
図２Ｂは、多様な実施形態によるインターレイヤビデオ復号化方法のフローチャートである。
【０１２３】
段階２１において、多様な実施形態によるディスパリティベクトル決定部２４は、現在ブロックの、左側に位置する空間的周辺ブロック候補、上側に位置する空間的周辺ブロック候補、及びコロケーテッド位置の時間的周辺ブロック候補のうち、インターレイヤ方向の動きベクトルを有する周辺ブロック候補を検索することができる。ここで、周辺ブロック候補のインターレイヤ方向の動きベクトルは、周辺ブロック候補が有するディスパリティベクトルを意味する。
【０１２４】
例えば、ディスパリティベクトル決定部２４は、複数の時間的周辺ブロック候補のうち、コロケーテッド位置の周辺ブロック候補がインターレイヤ方向の動きベクトルを有するか否かということを判断することができる。
【０１２５】
また、ディスパリティベクトル決定部２４は、複数の空間的周辺ブロック候補のうち、現在ブロックの左側境界に隣接したブロックのうち最も下端に位置する空間的周辺ブロック候補、及び前記現在ブロックの上側境界に隣接したブロックのうち最も右側に位置する空間的周辺ブロック候補がインターレイヤ方向の動きベクトルを有するか否かということを判断することができる。
【０１２６】
そして、ディスパリティベクトル決定部２４は、複数の時間的及び空間的な周辺ブロック候補のうち、現在ブロックの対角方向に位置した時間的及び空間的な周辺ブロック候補に対する検索を省略することができる。
【０１２７】
ただし、ディスパリティベクトル決定部２４は、前述の周辺ブロック候補のうち、インターレイヤ方向の動きベクトルを有する周辺ブロック候補を探し出すことができない場合、現在ブロックの左側境界に隣接したブロックのうち最も下端に位置するブロックの下端、現在ブロックの左側境界に隣接したブロックのうち最も上端に位置するブロックの上端、現在ブロックの上側境界に隣接したブロックのうち最も右側に位置するブロックの右側に位置する空間的周辺ブロック候補、及び現在ブロックの時間的コロケーテッドブロックの右側境界に隣接したブロックのうち最も下端に位置するブロックの下端に位置する時間的周辺ブロック候補のうち、インターレイヤ方向の動きベクトルを有する周辺ブロック候補を検索することができる。
【０１２８】
すなわち、ディスパリティベクトル決定部２４は、前記現在ブロックの左側に位置する空間的周辺ブロック候補、前記現在ブロックの上側に位置する空間的周辺ブロック候補、及びコロケーテッド位置の時間的周辺ブロック候補に優先順位を置き、前記インターレイヤ方向の動きベクトルを有する周辺ブロック候補を検索することができる。また、ディスパリティベクトル決定部２４は、時間的周辺ブロック候補のうち、インターレイヤ方向の動きベクトルを有する周辺ブロック候補を検索した後、空間的周辺ブロック候補を検索することができるが、必ずにもかような順序に限定されるものではない。
【０１２９】
一方、ディスパリティベクトル決定部２４は、時間的周辺ブロック候補を検索するために参照される時間方向の参照ピクチャが２以上である場合、コロケーテッドピクチャに含まれた時間的周辺ブロック候補に優先順位を置き、インターレイヤ方向の動きベクトルを有する周辺ブロック候補を検索することができる。
【０１３０】
例えば、コロケーテッドピクチャを検索した後、ラップ（ＲＡＰ）ピクチャを検索することもでき、または、現在ピクチャと最も時間上距離が近いピクチャをまず検索することもできる。また、２つのピクチャにおいて、コロケーテッド位置の周辺ブロック候補をまず検索し、それ以外の周辺ブロック候補を探索することもできる。
【０１３１】
段階２３において、多様な実施形態によるディスパリティベクトル決定部２４は、検索された周辺ブロック候補のインターレイヤ方向の動きベクトルを、前記現在ブロックのディスパリティベクトルと予測することができる。
【０１３２】
一方、段階２５において、多様な実施形態によるディスパリティベクトル決定部２４は、インターレイヤ方向の動きベクトルを有する周辺ブロック候補が検索されない場合、周辺ブロック候補のうち、ディスパリティベクトル情報を有する周辺ブロック候補を検索することができる。例えば、周辺ブロック候補がインターレイヤ間動き予測補償を行った場合には、ディスパリティベクトル情報を有するので、ディスパリティベクトル決定部２４は、周辺ブロック候補のうち、インターレイヤ間動き補償を行った周辺ブロック候補を検索することができる。
【０１３３】
ここで、ディスパリティベクトル決定部２４がディスパリティベクトル情報を有する空間的周辺ブロック候補を検索する動作は、段階２１において説明したインターレイヤ方向の動きベクトルを有する空間的周辺ブロック候補を検索する動作と類似しているので、詳細な説明は省略する。
【０１３４】
段階２７において、多様な実施形態によるディスパリティベクトル決定部２４は、検索された周辺ブロック候補のディスパリティベクトル情報を利用して、現在ブロックのディスパリティベクトルを予測することができる。
【０１３５】
一方、ディスパリティベクトル決定部２４は、周辺ブロック候補のうち、インターレイヤ間動き補償を行った周辺ブロック候補を検索することができない場合には、周辺ブロック候補からディスパリティベクトルを予測することができない場合であると判断し、ディスパリティベクトルを基本ディスパリティベクトルとして決定することができる。
【０１３６】
ところで、周辺ブロックにおいて、ディスパリティベクトルを予測することができなかったとき、基本ディスパリティベクトルを（０，０）と設定する場合、ほとんどの多視点映像では、ディスパリティが発生するために、予測されたディスパリティベクトルが正確ではない可能性が高い。従って、ディスパリティベクトル決定部２４は、基本ディスパリティベクトルを０ではない値に設定し、実際のディスパリティベクトルと類似したディスパリティベクトルを予測することができる。
【０１３７】
また、ディスパリティベクトル決定部２４は、周辺ブロックにおいて、ディスパリティベクトルを予測することができない場合にも、基本ディスパリティベクトルを０ではない値に設定し、ディスパリティベクトルを利用するモード（例えば、レジデュアル予測モード）を使用することができる。
【０１３８】
また、ディスパリティベクトル決定部２４は、周辺ブロックで予測されたディスパリティベクトルが（０，０）である場合にも、ディスパリティベクトルを０ではない値に再設定することができる。
【０１３９】
または、ディスパリティベクトル決定部２４は、周辺ブロックで予測されたディスパリティベクトルが（０，０）である場合には、ディスパリティに対して、ベクトルの正確度が低いと判断されるので、ディスパリティベクトルを利用するモードを使用しないように設定することもできる。
【０１４０】
前述のところにより、インターレイヤビデオ復号化装置２０は、予測されたディスパリティベクトルの正確度を高めることにより、符号化効率を高めることができる。
【０１４１】
多様な実施形態によるインターレイヤビデオ復号化装置２０は、第１レイヤ復号化部２２、ディスパリティベクトル決定部２４及び第２レイヤ復号化部２６を総括的に制御する中央プロセッサ（図示せず）を含んでもよい。または、第１レイヤ復号化部２２、ディスパリティベクトル決定部２４及び第２レイヤ復号化部２６がそれぞれの自体プロセッサ（図示せず）によって作動し、プロセッサ（図示せず）が相互有機的に作動することにより、インターレイヤビデオ復号化装置２０を全体的に作動される。または、多様な実施形態によるインターレイヤビデオ復号化装置２０の外部プロセッサ（図示せず）の制御によって、第１レイヤ復号化部２２、ディスパリティベクトル決定部２４及び第２レイヤ復号化部２６が制御されもする。
【０１４２】
多様な実施形態によるインターレイヤビデオ復号化装置２０は、第１レイヤ復号化部２２、ディスパリティベクトル決定部２４及び第２レイヤ復号化部２６の入出力データが保存される１以上のデータ保存部（図示せず）を含んでもよい。インターレイヤビデオ復号化装置２０は、データ保存部（図示せず）のデータ入出力を管轄するメモリ制御部（図示せず）を含んでもよい。
【０１４３】
多様な実施形態によるインターレイヤビデオ復号化装置２０は、ビデオ復号化を介してビデオを復元するために、内部に搭載されたビデオデコーディングプロセッサまたは外部ビデオデコーディングプロセッサと連繋して作動することにより、逆変換を含んだビデオ復号化動作を遂行することができる。多様な実施形態によるインターレイヤビデオ復号化装置２０の内部ビデオデコーディングプロセッサは、別個のプロセッサだけではなく、インターレイヤビデオ復号化装置２０、または中央演算装置、グラフィック演算装置がビデオデコーディングプロセッシングモジュールを含むことにより、基本的なビデオ復号化動作を具現する場合を含んでもよい。
【０１４４】
以下、図３を参照し、多様な実施形態によるビデオストリーム符号化装置１０で遂行されるインターレイヤ予測構造について詳細に説明する。
【０１４５】
図３は、多様な実施形態によるインターレイヤ予測構造を図示している。
【０１４６】
一実施形態によるインターレイヤビデオ符号化装置１０は、図３に図示された多視点ビデオ予測構造の再生順序３０によって、基本視点映像、左視点映像及び右視点映像を予測符号化することができる。
【０１４７】
関連技術による多視点ビデオ予測構造の再生順序３０によれば、横方向に同一視点（view）の映像が配列されている。従って、「左（left）」と表記された左視点映像が横方向に一列に配列され、「真ん中（center）」と表記された基本視点映像が横方向に一列に配列され、「右（right）」と表記された右視点映像が横方向に一列に配列されている。基本視点映像は、左視点／右視点映像に対して、中央視点映像である。
【０１４８】
また、縦方向にＰＯＣ（picture  order  count）順序の同一映像が配列される。映像のＰＯＣ順序は、ビデオを構成する映像の再生順序を示す。多視点ビデオ予測構造３０で表示されている「ＰＯＣ  Ｘ」は、当該列（column）に位置した映像の相対的な再生順序を示し、Ｘの数字が小さいほど、再生順序が先になり、大きくなるほど再生順序が遅くなる。
【０１４９】
従って、関連技術による多視点ビデオ予測構造の再生順序３０によれば、「左」と表記された左視点映像が、ＰＯＣ順序（再生順序）によって横方向に配列され、「真ん中」と表記された基本視点映像が、ＰＯＣ順序（再生順序）によって横方向に配列され、「右」と表記された右視点映像が、ＰＯＣ順序（再生順序）によって横方向に配列されている。また、基本視点映像と同一列に位置した左視点映像及び右視点映像は、いずれも視点は異なるが、ＰＯＣ順序（再生順序）が同一である映像である。
【０１５０】
各視点別に、４個の連続映像が１つのＧＯＰ（group  of  picture）を構成している。各ＧＯＰは、連続するアンカーピクチャ間の映像と、１つのアンカーピクチャ（key  picture）とを含む。
【０１５１】
アンカーピクチャは、ランダムアクセスポイント（random  acces  spoint）であり、ビデオを再生するとき、映像の再生順序、すなわち、ＰＯＣ順序によって配列された映像のうち任意に再生位置が選択されれば、再生位置において、ＰＯＣ順序が最も隣接するアンカーピクチャが再生される。基本視点映像は、基本視点アンカーピクチャ３１，３２，３３，３４，３５を含み、左視点映像は、左視点アンカーピクチャ１３１，１３２，１３３，１３４，１３５を含み、右視点映像は、右視点アンカーピクチャ２３１，２３２，２３３，２３４，２３５を含む。
【０１５２】
多視点映像は、ＧＯＰ順に再生されて予測（復元）される。まず、多視点ビデオ予測構造の再生順序３０によれば、各視点別に、ＧＯＰ  ０に含まれた映像が再生された後、ＧＯＰ  １に含まれた映像が再生される。すなわち、ＧＯＰ  ０、ＧＯＰ  １、ＧＯＰ  ２、ＧＯＰ  ３の順序、各ＧＯＰに含まれた映像が再生される。また、多視点ビデオ予測構造のコーディング順序によれば、各視点別に、ＧＯＰ  ０に含まれた映像が予測（復元）された後、ＧＯＰ  １に含まれた映像が予測（復元）される。すなわち、ＧＯＰ  ０、ＧＯＰ  １、ＧＯＰ  ２、ＧＯＰ  ３の順序、各ＧＯＰに含まれた映像が予測（復元）される。
【０１５３】
多視点ビデオ予測構造の再生順序３０によれば、映像に対して、視点間予測（インターレイヤ予測）及びインター予測がいずれも行われる。多視点ビデオ予測構造において、矢印が始まる映像が参照映像であり、矢印が終わる映像が参照映像を利用して予測される映像である。
【０１５４】
基本視点映像の予測結果は、符号化された後、基本視点映像ストリームの形態で出力され、付加視点映像の予測結果は、符号化された後、レイヤビットストリームの形態で出力される。また、左視点映像の予測符号化結果は、第１レイヤビットストリームとして出力され、右視点映像の予測符号化結果は、第２レイヤビットストリームとして出力される。
【０１５５】
基本視点映像については、インター予測だけが行われる。すなわち、Ｉピクチャタイプであるアンカーピクチャ３１，３２，３３，３４，３５は、他の映像を参照しないが、Ｂピクチャタイプ及びｂピクチャタイプである残りの映像は、他の基本視点映像を参照して予測される。Ｂピクチャタイプ映像は、ＰＯＣ順序が先になるＩピクチャタイプアンカーピクチャと、後になるＩピクチャタイプアンカーピクチャとを参照して予測される。ｂピクチャタイプ映像は、ＰＯＣ順序が先になるＩピクチャタイプアンカーピクチャと、後になるＢピクチャタイプ映像とを参照するか、あるいはＰＯＣ順序が先になるＢピクチャタイプ映像と、後になるＩピクチャタイプアンカーピクチャとを参照して予測される。
【０１５６】
左視点映像及び右視点映像については、それぞれ、異なる視点映像を参照する視点間予測（インターレイヤ予測）、及び同一視点映像を参照するインター予測が行われる。
【０１５７】
左視点アンカーピクチャ１３１，１３２，１３３，１３４，１３５に対して、それぞれＰＯＣ順序が同一である基本視点アンカーピクチャ３１，３２，３３，３４，３５を参照して視点間予測（インターレイヤ予測）が行われる。右視点アンカーピクチャ２３１，２３２，２３３，２３４，２３５については、それぞれＰＯＣ順序が同一である基本視点映像３１，３２，３３，３４，３５、または左視点アンカーピクチャ１３１，１３２，１３３，１３４，１３５を参照し、視点間予測が行われる。また、左視点映像及び右視点映像のうち、アンカーピクチャ１３１，１３２，１３３，１３４，１３５、２３１，２３２，２３３，２３４，２３５ではない残りの映像についても、ＰＯＣが同一である他視点映像を参照する視点間予測（インターレイヤ予測）が行われる。
【０１５８】
左視点映像及び右視点映像のうち、アンカーピクチャ１３１，１３２，１３３，１３４，１３５、２３１，２３２，２３３，２３４，２３５ではない残りの映像は、同一視点映像を参照して予測される。
【０１５９】
ただし、左視点映像及び右視点映像は、それぞれ、同一視点の付加視点映像のうち、再生順序が先行するアンカーピクチャを参照して予測されないこともある。すなわち、現在左視点映像のインター予測のために、現在左視点映像より再生順序が先行する左視点アンカーピクチャを除いた左視点映像が参照される。同様に、現在右視点映像のインター予測のために、現在右視点映像より再生順序が先行する右視点アンカーピクチャを除いた右視点映像が参照される。
【０１６０】
また、現在左視点映像のインター予測のために、現在左視点映像が属した現在ＧＯＰより先行する以前ＧＯＰに属する左視点映像を参照せず、現在ＧＯＰに属するが、現在左視点映像より先に復元される左視点映像を参照して予測が行われることが望ましい。右視点映像の場合も同様である。
【０１６１】
多様な実施形態によるインターレイヤビデオ復号化装置２０は、図３に図示された多視点ビデオ予測構造の再生順序３０によって、基本視点映像、左視点映像及び右視点映像を復元することができる。
【０１６２】
左視点映像は、基本視点映像を参照する視点間ディスパリティ補償と、左視点映像を参照するインタ動き補償とを介して復元される。右視点映像は、基本視点映像及び左視点映像を参照する視点間ディスパリティ補償と、右視点映像を参照するインタ動き補償とを介して復元される。左視点映像及び右視点映像のディスパリティ補償及び動き補償のために、参照映像が先に復元されなければならない。
【０１６３】
左視点映像のインタ動き補償のために、復元された左視点の参照映像を参照するインタ動き補償を介して、左視点映像が復元される。右視点映像のインタ動き補償のために、復元された右視点の参照映像を参照するインタ動き補償を介して、右視点映像が復元される。
【０１６４】
また、現在左視点映像のインタ動き補償のために、現在左視点映像が属した現在ＧＯＰより先行する以前ＧＯＰに属する左視点映像を参照せず、現在ＧＯＰに属するが、現在左視点映像より先に復元される左視点映像だけ参照されることが望ましい。右視点映像の場合も同様である。
【０１６５】
また、多様な実施形態によるインターレイヤビデオ復号化装置２０は、多視点映像を復号化／符号化するために、ディスパリティ補償（または、インターレイヤ予測補償）を行うだけではなく、視点間動きベクトル予測を介して、映像間動き補償（または、インターレイヤ動き予測補償）を行うこともできる。
【０１６６】
以下、図４Ａを参照し、インターレイヤディスパリティ補償及びインターレイヤ動きベクトル予測補償について説明する。
【０１６７】
図４Ａは、多様な実施形態による、インターレイヤ間予測のためのディスパリティベクトルについて説明するための図面である。図４Ａを参照すれば、多様な実施形態によるインターレイヤビデオ復号化装置２０は、ディスパリティベクトルＤＶを利用して、第２レイヤ現在ピクチャ１４００に含まれた現在ブロック１４０１に対応する第１レイヤ参照ピクチャ１４０２に含まれた第１レイヤ参照ブロック１４０３を見い出すインターレイヤ予測を行い、第１レイヤ参照ブロック１４０３を利用して、ディスパリティ補償を行うことができる。
【０１６８】
また、多様な実施形態によるインターレイヤビデオ復号化装置２０は、インターレイヤ動き予測補償のために、第２レイヤ現在ブロック１４０１において、ディスパリティベクトルＤＶが示す第１レイヤ参照ブロック１４０３の参照動きベクトルＭＶｒｅｆを獲得し、獲得された参照動きベクトルＭＶｒｅｆを利用して、現在ブロック１４０１の動きベクトルＭＶｃｕｒを予測することができる。その場合、インターレイヤビデオ復号化装置２０は、予測された動きベクトルＭＶｃｕｒを利用して、第２レイヤ映像間に動き補償を行うことができる。ここで、参照位置は、現在ブロック１４０１の中心ピクセルから、ディスパリティベクトルＤＶが示す位置であるか、現在ブロック１４０１の左側上端ピクセルから、ディスパリティベクトルＤＶが示す位置でもある。
【０１６９】
前述のように、互いに異なる視点の映像を参照して補償予測を行うためにはデ、ィスパリティベクトルが必要である。ディスパリティベクトルは、別途の情報として、ビットストリームを介して、符号化装置から復号化装置に伝送され、深さ映像またはブロックを基に予測される。
【０１７０】
例えば、図４Ｂは、一実施形態によって、空間的周辺ブロック候補を利用して、ディスパリティベクトルを予測する一例を示している。
【０１７１】
図４Ｂを参照すれば、インターレイヤ復号化装置２０は、現在映像４０において、現在ブロック１５００のディスパリティベクトルを予測するために、空間的周辺ブロック候補を、所定検索順序（例えば、ｚ−scanまたはraster  scan）によって検索することができる。ここで、検索される周辺ブロック候補は、現在ブロック１５００に、時間的または空間的に隣接する予測単位でもある。
【０１７２】
例えば、現在ブロック１５００の左側下端に位置する周辺ブロックＡ０  １５１０、現在ブロック１５００の左側に位置する周辺ブロックＡ１  １５２０、現在ブロック１５００の右側上端に位置する周辺ブロックＢ０  １５３０、現在ブロック１５００の上端に位置する周辺ブロックＢ１  １５４０、現在ブロック１５００の左側上端に位置する周辺ブロックＢ２  １５５０がディスパリティベクトルを獲得するための空間的周辺ブロック候補にもなる。ディスパリティベクトルを獲得するために、周辺ブロック候補Ａ１  １５２０、Ｂ１  １５４０、Ｂ０  １５３０、Ａ０  １５１０、Ｂ２  １５５０の順序で所定位置の周辺ブロックが探索される。
【０１７３】
他の例として、図４Ｂの周辺ブロック候補Ａ１  １５２０上、Ｂ１  １５４０上、Ｂ０  １５３０上、Ａ０  １５１０上、Ｂ２  １５５０上の位置は、下記の表１のように定義される。
【０１７４】
【表１】
2016528792.tif 000003
前記表１において、（ｘＰｂ，ｘＰｂ）は、現在ブロックの位置を示し、ｎＰｂＷ及びｎＰｂＨは、それぞれ現在ブロックの縦横サイズ、（ｘＮ，ｙＮ）は、周辺ブロック（Ａ１，Ｂ１，Ｂ０，Ａ０，Ｂ２）の位置を示すことができる。
【０１７５】
一方、インターレイヤ復号化装置２０は、周辺ブロック候補のうち、ディスパリティベクトル（インターレイヤ方向の動きベクトル）が獲得される場合、獲得されたディスパリティベクトルを利用して、現在ブロックのディスパリティベクトルを予測することができる。
【０１７６】
図４Ｃは、多様な実施形態による、ディスパリティベクトルを予測するための空間的周辺ブロック候補を示している。
【０１７７】
図４Ｃを参照すれば、インターレイヤビデオ復号化装置２０は、現在ピクチャ４０に含まれた現在ブロック１５００のインター予測のために、参照ピクチャ４１に含まれ、現在ブロック１５００とコロケーテッドであるブロック（Ｃｏｌ）１５６０、及びコロケーテッドブロック１５６０の周辺のブロックのうち少なくとも一つが時間的周辺ブロック候補に含まれもする。例えば、コロケーテッドであるブロック（Ｃｏｌ）１５６０の右側下端ブロック（ＢＲ）１５７０が時間的予測候補に含まれもする。一方、時間的予測候補決定に利用されるブロックは、符号化単位または予測単位でもある。
【０１７８】
また、ここで、参照ピクチャ４１は、コロケーテッドピクチャ、参照リストにおいて最も近いか、あるいは参照リストにおいて、インデックス（index）が最小であるピクチャでもある。または、参照ピクチャ４１は、階層（hierarchical）予測構造上、現在参照リストのうち最も高いレベル（level）のピクチャでもある。または、参照ピクチャ４１は、任意接近ポイント（ＲＡＰ：random  access  point）ピクチャでもある。
【０１７９】
従来の方式によれば、インターレイヤビデオ復号化装置２０は、ディスパリティベクトルを予測するために、空間的及び時間的な周辺ブロック候補を、事前に決定された順序（例えば、コロケーテッドピクチャの右側下端ブロック（ＢＲ）→コロケーテッドピクチャのコロケーテッドブロック（Ｃｏｌ）→ＲＡＰピクチャの右側下端ブロック（ＢＲ）→ＲＡＰピクチャのコロケーテッドブロック（Ｃｏｌ）→現在ブロックの左側に位置する周辺ブロックＡ１→現在ブロックの上端に位置する周辺ブロックＢ１→現在ブロックにおいて対角方向に、右側上端に位置する周辺ブロックＢ０→現在ブロックにおいて対角方向に、左側下端に位置する周辺ブロックＡ０→現在ブロックにおいて対角方向に、左側上端に位置する周辺ブロックＢ２）通り検索し、インターレイヤ方向の動きベクトルを有しているか否かということを判断することができる。また、検索順序上最も先に獲得されるインターレイヤ方向の動きベクトルを、現在ブロックのディスパリティベクトルと予測することができる。
【０１８０】
もしディスパリティ補償が行われたブロックが存在しなければ、インターレイヤビデオ復号化装置２０は、空間的周辺ブロックＡ１，Ｂ１，Ｂ０，Ａ０，Ｂ２のうち、インターレイヤ動き予測補償を行ったブロックがあるか否かということを判断する。インターレイヤ復号化装置２０は、事前に決定された順序（例えば、現在ブロックの左側に位置する周辺ブロックＡ１→現在ブロックの上端に位置する周辺ブロックＢ１→現在ブロックにおいて対角方向に、右側上端に位置する周辺ブロックＢ０→現在ブロックにおいて対角方向に、左側下端に位置する周辺ブロックＡ０→現在ブロックにおいて対角方向に、左側上端に位置する周辺ブロックＢ２）によって、インターレイヤ動き予測補償を行った周辺ブロック候補を検索し、検索された周辺ブロック候補からディスパリティベクトル情報を獲得し、現在ブロック１５００のディスパリティベクトルを予測することができる。
【０１８１】
ところで、インターレイヤビデオ復号化装置２０がディスパリティベクトル予測のために利用する周辺ブロックを決定するために、周辺ブロック候補を検索するとき、現在ブロックと周辺ブロックとの距離を考慮しない場合、予測正確度が高い近くの周辺ブロック候補の代わりに、距離が遠くて予測正確度が低い周辺ブロック候補が、ディスパリティベクトル予測のために利用される周辺ブロックとして決定されるという問題がある。
【０１８２】
従って、以下、図５ないし図７Ｄ及びシンタックス要素を参照し、多様な実施形態による、インターレイヤビデオ符号化装置１０または復号化装置２０が、現在ブロックと近い周辺ブロック候補を利用して、ディスパリティベクトル予測を行うことにより、さらに正確なディスパリティベクトルを予測する方法について説明する。
【０１８３】
図５は、多様な実施形態によるブロック基盤ディスパリティベクトル予測方法を示すフローチャートである。
【０１８４】
段階５１において、多様な実施形態によるインターレイヤビデオ復号化装置２０は、現在ブロックとの距離に基づいて、時間的または空間的周辺ブロック候補の検索優先順位決定する。
【０１８５】
インターレイヤビデオ復号化装置２０は、現在ブロックと距離が近い周辺ブロック候補を、優先順位が高い周辺ブロック候補に決定し、相対的に距離が遠い残りのブロック候補を、検索優先順位が低い周辺ブロック候補に決定することができる。
【０１８６】
従って、インターレイヤビデオ復号化装置２０は、近くの周辺ブロック候補がディスパリティベクトルを有しているか否かということをまず検索し、次に残りの周辺ブロック候補が、ディスパリティベクトルを有しているか否かということを検索することができる。
【０１８７】
例えば、次のような組み合わせによって、検索順序が決定される。
【０１８８】
（１）近くの時間的周辺ブロック候補（複数含む）探索→近くの空間的周辺ブロック候補（複数含む）探索→それ以外の時間的周辺ブロック候補（複数含む）探索→それ以外の空間的周辺ブロック候補（複数含む）探索
（２）近くの空間的周辺ブロック候補（複数含む）探索→近くの時間的周辺ブロック候補（複数含む）探索→それ以外の空間的周辺ブロック候補（複数含む）探索→それ以外の時間的周辺ブロック候補（複数含む）探索
（３）近くの空間的周辺ブロック候補（複数含む）探索→それ以外の空間的周辺ブロック候補（複数含む）探索→近くの時間的周辺ブロック候補（複数含む）探索→それ以外の時間的周辺ブロック候補（複数含む）探索
（４）近くの時間的周辺ブロック候補（複数含む）探索→それ以外の時間的周辺ブロック候補（複数含む）探索→近くの空間的周辺ブロック候補（複数含む）探索→それ以外の空間的周辺ブロック候補（複数含む）探索
ここで、近くの周辺ブロック候補には、現在ブロックの左側に位置する空間的周辺ブロック候補（Ａ１）、現在ブロックの上側に位置する空間的周辺ブロック候補（Ｂ１）、及びコロケーテッド位置の時間的周辺ブロック候補（Ｃｏｌ）が含まれもする。
【０１８９】
ただし、前述の実施形態に限定されるものではなく、現在ブロックから近い周辺ブロック候補が優先順位を有する範囲内で検索順序が変更されるということは言うまでもない。
【０１９０】
一方、インターレイヤビデオ復号化装置２０は、時間的周辺ブロック候補を検索するために参照される時間方向の参照ピクチャが２以上である場合、コロケーテッドピクチャに含まれた時間的周辺ブロック候補に優先順位を置き、インターレイヤ方向の動きベクトルを有する周辺ブロック候補を検索することができる。
【０１９１】
例えば、インターレイヤビデオ復号化装置２０は、次のような組み合わせによって、時間的周辺ブロック候補を検索することができる。
【０１９２】
（１）コロケーテッドピクチャのコロケーテッドブロック（Ｃｏｌ）→ＲＡＰピクチャのコロケーテッドブロック（Ｃｏｌ）→コロケーテッドピクチャの右側下端ブロック（ＢＲ）→ＲＡＰピクチャの右側下端ブロック（ＢＲ）
（２）コロケーテッドピクチャのコロケーテッドブロック（Ｃｏｌ）→コロケーテッドピクチャの右側下端ブロック（ＢＲ）→ＲＡＰピクチャのコロケーテッドブロック（Ｃｏｌ）→ＲＡＰピクチャの右側下端ブロック（ＢＲ）
すなわち、コロケーテッドピクチャを検索した後、ラップ（ＲＡＰ）ピクチャを検索することもでき、または、現在ピクチャと最も時間上距離が近いピクチャを先に探索することもできる。また、２つのピクチャにおいて、コロケーテッド位置の周辺ブロック候補を先に検索し、それ以外の周辺ブロック候補を探索することもできる。一方、現在ピクチャと時間上距離が近いピクチャは、現在ピクチャとＰＯＣ値が最も近いピクチャを意味する。
【０１９３】
段階５２において、インターレイヤビデオ復号化装置２０は、決定された優先順位により、インターレイヤ方向の動きベクトルを有する周辺ブロック候補を検索することができる。
【０１９４】
段階５３において、インターレイヤビデオ復号化装置２０は、インターレイヤ方向の動きベクトルを有する周辺ブロック候補が存在するか否かということを判断することができる。
【０１９５】
インターレイヤビデオ復号化装置２０は、インターレイヤ方向の動きベクトルを有する周辺ブロック候補が存在する場合、段階５４に進み、検索された周辺ブロック候補のインターレイヤ方向動きベクトルを、現在ブロックのディスパリティベクトルと予測することができる。
【０１９６】
一方、インターレイヤビデオ復号化装置２０は、インターレイヤ方向の動きベクトルを有する周辺ブロック候補が存在しない場合、段階５５に進み、ディスパリティベクトル情報を有する周辺ブロック候補を検索することができる。
【０１９７】
例えば、インターレイヤビデオ復号化装置２０は、段階５１で決定された周辺ブロック候補の検索優先順位により、空間的周辺ブロック候補のうち、ディスパリティベクトル情報を有する周辺ブロック候補が存在するか否かということを判断することができる。
【０１９８】
段階５６において、インターレイヤビデオ復号化装置２０は、ディスパリティベクトル情報を有する周辺ブロック候補が検索されるか否かということを判断し、検索される場合、段階５７で検索された周辺ブロック候補のディスパリティベクトル情報を利用して、現在ブロックのディスパリティベクトルを予測することができる。
【０１９９】
一方、インターレイヤビデオ復号化装置２０は、インターレイヤ方向の動きベクトルを有する周辺ブロック候補が存在しない場合、段階５８に進み、ディスパリティベクトルを、基本ディスパリティベクトルとして設定することができる。
【０２００】
図６Ａは、多様な実施形態による、ディスパリティベクトルを予測するための空間的及び時間的な周辺ブロック候補を示す他の例である。図６Ａを参照すれば、多様な実施形態によるインターレイヤビデオ復号化装置２０は、ディスパリティベクトルを予測するための空間的及び時間的な周辺ブロック候補として、現在ブロック１６００の左側に位置する空間的周辺ブロック候補（Ａ１）１６２０、現在ブロック１６００の上側に位置する空間的周辺ブロック候補（Ｂ１）１６４０、及びコロケーテッド位置の時間的周辺ブロック候補（Ｃｏｌ）１６６０のみを利用することができる。
【０２０１】
すなわち、ビデオ復号化装置２０は、複数の時間的及び空間的な周辺ブロック候補のうち、現在ブロック１６００の対角方向に位置した時間的及び空間的な周辺ブロック候補（Ａ０，Ｂ０，Ｂ２，ＢＲ）に対する検索を省略することができる。
【０２０２】
例えば、図６Ｂは、多様な実施形態によるブロック基盤ディスパリティベクトル予測方法の他の例を示すフローチャートである。
【０２０３】
段階６１において、インターレイヤビデオ復号化装置２０は、現在ブロックの、左側に位置する空間的周辺ブロック候補、上側に位置する空間的周辺ブロック候補、及びコロケーテッド位置の時間的周辺ブロック候補のうち、インターレイヤ方向の動きベクトルを有する周辺ブロック候補を検索することができる。ここで、周辺ブロック候補のインターレイヤ方向の動きベクトルは、周辺ブロック候補が有するディスパリティベクトルを意味する。
【０２０４】
例えば、インターレイヤビデオ復号化装置２０は、次のような順序周辺ブロック候補を検索することができる。
【０２０５】
コロケーテッドピクチャのコロケーテッドブロック候補（Ｃｏｌ）→ＲＡＰピクチャのコロケーテッドブロック候補（Ｃｏｌ）→現在ブロックの左側に位置する空間的周辺ブロック候補（Ａ１）→現在ブロックの上側に位置する空間的周辺ブロック候補（Ａ２）
段階６２において、インターレイヤビデオ復号化装置２０は、インターレイヤ方向の動きベクトルを有する周辺ブロック候補が存在するか否かということを判断することができる。
【０２０６】
インターレイヤビデオ復号化装置２０は、インターレイヤ方向の動きベクトルを有する周辺ブロック候補が存在する場合、段階６４に進み、検索された周辺ブロック候補のインターレイヤ方向動きベクトルを、現在ブロックのディスパリティベクトルと予測することができる。
【０２０７】
一方、インターレイヤビデオ復号化装置２０は、インターレイヤ方向の動きベクトルを有する周辺ブロック候補が存在しない場合、段階６３に進み、ディスパリティベクトル情報を有する周辺ブロック候補を検索することができる。
【０２０８】
例えば、インターレイヤビデオ復号化装置２０は、現在ブロックの左側に位置する空間的周辺ブロック候補（Ａ１）、及び現在ブロックの上側に位置する空間的周辺ブロック（Ｂ１）のうちに、ディスパリティベクトル情報を有する周辺ブロック候補が存在するか否かということを判断することができる。
【０２０９】
段階６５において、インターレイヤビデオ復号化装置２０は、ディスパリティベクトル情報を有する周辺ブロック候補が検索されるか否かということを判断し、検索される場合、段階６７で検索された周辺ブロック候補のディスパリティベクトル情報を利用して、現在ブロックのディスパリティベクトルを予測することができる。
【０２１０】
一方、インターレイヤビデオ復号化装置２０は、インターレイヤ方向の動きベクトルを有する周辺ブロック候補が存在しない場合、段階６６に進み、ディスパリティベクトルを基本ディスパリティベクトルとして設定することができる。
【０２１１】
前述のところによって、インターレイヤビデオ復号化装置２０は、現在ブロックと近い周辺ブロック候補を利用して、ディスパリティベクトル予測を行うことにより、さらに正確なディスパリティベクトル予測方法を提供することができる。それを介して、インターレイヤビデオ復号化装置２０は、コーディング効率を高めることができ、さらには、処理過程を簡便化し、復号化装置の複雑度を低減させることができる。
【０２１２】
一方、多様な実施形態によれば、図６Ａ及び図６Ｂで説明した内容は、以下の実施形態によって具現される。
【０２１３】
多様な実施形態によって、インターレイヤビデオ復号化装置２０が周辺ブロック基盤ディスパリティベクトルを予測する方法において、入力は、現在ピクチャにおいて、現在ブロックの位置（ｘＣｂ，ｙＣｂ）、及び現在ブロックの横または縦の大きさであるｎＣｂＳである。ここで、現在ブロックの位置は、現在ブロックの左側上端サンプルの位置として示すことができる。
【０２１４】
まず、ディスパリティベクトルが予測可能であるか否かということを判断するフラグ（ｄｖＡｖａｉｌＦｌａｇ）及びディスパリティベクトル（ｍｖＤｉｓｐ）は、０に設定される。
【０２１５】
また、並列処理に係わる変数checkParallelMergeFlagは、次のように誘導される。具体的には、次の条件のうち少なくとも一つが満足される場合には、checkParallelMergeFlagが１に設定され、残り場合は、０に設定される。
【０２１６】
−現在ブロックの予測モード（ＣｕＰｒｅｄＭｏｄｅ［ｘＣｂ］［ｙＣｂ］）がスキップモード（ＭＯＤＥ＿ＳＫＩＰ）である場合
−現在ブロックの予測モードがインタモード（ＭＯＤＥ＿ＩＮＴＥＲ）であり、MergeFlag［ｘＣｂ］［ｙＣｂ］が１である場合
次に、時間的周辺ブロック候補を利用して、ディスパリティベクトルが予測可能であるか否かということを判断する。ここで、入力は、現在ブロックの位置（ｘＣｂ，ｙＣｂ）、及び現在ブロックの大きさ（ｎＣｂＳ）であり、出力は、ディスパリティベクトルが予測可能であるか否かということを判断するフラグ（ｄｖＡｖａｉｌＦｌａｇ）、ディスパリティベクトル（ｍｖＤｉｓｐ）及び参照ビュー順序インデックス（ｒｅｆＶｉｅｗＩｄｘ）である。一方、時間的周辺ブロック候補を利用して、ディスパリティベクトルが予測可能であるか否かということを判断する具体的な過程については説明する。
【０２１７】
次に、ｄｖＡｖａｉｌＦｌａｇが０であるとき、周辺ブロック候補（Ｎ）であるＡ１及びＢ１の位置（ｘＮ，ｙＮ）は、それぞれ（ｘＣｂ−１，ｙＣｂ＋ｎＣｂＳ−１）、（ｘＣｂ＋ｎＣｂＳ−１，ｙＣｂ−１）であり、次の過程が段階的に適用される。
【０２１８】
１．ｙＣｂ−１が（（ｙＣｂ≫Ｌｏｇ２ＣｔｂＳｉｚｅＹ）≪Ｌｏｇ２ＣｔｂＳｉｚｅＹ）より小さいとき、次の表２に示されたアルゴリズムが適用される。
【０２１９】
【表２】
2016528792.tif 000004
２．ｚスキャン順序によって、周辺ブロック候補（Ｎ）が使用可能（availableＮ）であるか否かということを判断するプロセスが遂行される。例えば、周辺ブロック候補（Ｎ）が、現在ピクチャの境界外に、ある場合、availableＮが０である。
【０２２０】
３．availableＮが１であり、現在ブロックの予測モード（ＣｕＰｒｅｄＭｏｄｅ［ｘＮ］［ｙＮ］）がイントラモード（ＭＯＤＥ＿ＩＮＴＲＡ）である場合、availableＮを０に設定する。
【０２２１】
４．次の表３に示された全ての条件を満足（true）する場合、availableＮを０に設定する。
【０２２２】
【表３】
2016528792.tif 000005
５．フラグavailableＩｖｐＭｖＳｅａｒｃｈＦｌａｇＮは、availableＮのような値に設定される。
【０２２３】
６．周辺ブロック候補（Ｎ）がＢ１であるとき、及び（（ｙＮ≫Ｌｏｇ２ＣｔｂＳｉｚｅＹ）≪Ｌｏｇ２ＣｔｂＳｉｚｅＹ）が（（ｙＣｂ≫Ｌｏｇ２ＣｔｂＳｉｚｅＹ）≪Ｌｏｇ２ＣｔｂＳｉｚｅＹ）より小さいときのうち１つの条件を満足すれば、availableＩｖｐＭｖＳｅａｒｃｈＦｌａｇＮは、０に設定される。
【０２２４】
７．フラグavailableＦｌａｇＩｖｐＭｖＮは、０に設定される。
【０２２５】
８．Ｘが０または１であるとき、フラグｄｖＡｖａｉｌＦｌａｇが０であり、availableＮが１であり、ＲｅｆＩｄｘＬＸ［ｘＮ［ｙＮ］が０より大きいか、あるいはそれと同じであるなり、ＰｒｅｄＦｌａｇＬＸ［ｘＮ］［ｙＮ］が１であるならば、次のプロセスが適用される。
【０２２６】
（１）もしＲｅｆＰｉｃＬｉｓｔＸ［ＲｅｆＩｄｘＬＸ［ｘＮ］［ｙＮ］］が現在ピクチャのインタビュー（inter-view）参照ピクチャであるならば、次の表４のように変数が設定される。
【０２２７】
【表４】
2016528792.tif 000006
すなわち、参照ビューインデックス（ｒｅｆＶｉｅｗＩｄｘ）は、周辺ブロック（Ｎ）のビューインデックス（ＶｉｅｗＩｄｘ（ＲｅｆＰｉｃＬｉｓｔＸ［ＲｅｆＩｄｘＬＸ［ｘＮ］［ｙＮ］］））に設定され、ディスパリティベクトル（ｍｖＤｉｓｐ）は、周辺ブロック候補の動きベクトルＭｖＬＸＮ［ｘＮ］［ｙＮ］に設定され、ディスパリティベクトルが使用可能であるとに設定される。
【０２２８】
（２）他の場合、周辺ブロック（Ｎ）の参照ピクチャ（ＲｅｆＰｉｃＬｉｓｔＸ［ＲｅｆＩｄｘＬＸ［ｘＮ］［ｙＮ］］）がインタビュー参照ピクチャではない場合）には、次のプロセスが適用される。availableＩｖｐＭｖＳｅａｒｃｈＦｌａｇＮが１であり、availableＦｌａｇＩｖｐＭｖＮが０であり、ＣｕＰｒｅｄＭｏｄｅ［ｘＮ］［ｙＮ］がスキップモード（ＭＯＤＥ＿ＳＫＩＰ）であり、ディスパリティが使用可能であるということを示すフラグＩｖｐＭｖＦｌａｇ［ｘＮ］［ｙＮ］が１である場合、次の表５のように変数が設定される。
【０２２９】
【表５】
2016528792.tif 000007
すなわち、ｉｖｐＭｖＤｉｓｐＮは、周辺ブロック候補（Ｎ）のディスパリティベクトル（ＭｖＲｅｆｉｎｅｄＤｉｓｐ［ｘＮ］［ｙＮ）に設定され、ｒｅｆＶｉｅｗＩｄｘＮは、周辺ブロック候補（Ｎ）の参照ビューインデックスに設定され、周辺ブロック候補（Ｎ）のインターレイヤ方向動きベクトルが利用可能であると設定される。
【０２３０】
次に、ｄｖＡｖａｉｌＦｌａｇが０であるならば、周辺ブロック候補（Ｎ）がそれぞれＡ１またはＢ１であるとき、フラグavailableＦｌａｇＩｖｐＭｖＮが１であるならば、次の表６のように変数が設定される。
【０２３１】
【表６】
2016528792.tif 000008
また、ｄｖＡｖａｉｌＦｌａｇが０であるならば、ｒｅｆＶｉｅｗＩｄｘは、ＤｅｆａｕｌｔＲｅｆＶｉｅｗＩｄｘであり、ディスパリティベクトルｍｖＤｉｓｐは、（０，０）に設定される。
【０２３２】
一方、前述の説明において、時間的周辺ブロック候補を利用して、ディスパリティベクトルを予測する方法は、次のように具現される。
【０２３３】
まず、入力は、現在ブロックの位置（ｘＣｂ，ｙＣｂ）、及び現在ブロックの大きさ（ｎＣｂＳ）であり、出力は、ディスパリティベクトルが予測可能であるか否かということを判断するフラグ（ｄｖＡｖａｉｌＦｌａｇ）、ディスパリティベクトル（ｍｖＤｉｓｐ）及び参照ビュー順序インデックス（ｒｅｆＶｉｅｗＩｄｘ）である。
【０２３４】
ルマ位置（ｘＣＣｔｒ，ｙＣＣｔｒ）は、次の表７の式によって誘導される現在ブロックの中心位置によって特定される。
【０２３５】
【表７】
2016528792.tif 000009
次に、フラグavailableＦｌａｇは、０に設定され、ディスパリティベクトルｍｖＤｉｓｐは、（０，０）に設定される。
【０２３６】
ｉが０からＮｕｍＤｄｖＣａｎｄＰｉｃｓ−１まで増加する間、再帰的に次のプロセスの各段階が反復され、availableＦｌａｇが１に設定されれば、次のプロセスが終わる。
【０２３７】
１．ＤｄｖＣａｎｄＰｉｃｓＬｉｓｔ［ｉ］の予測単位ｃｏｌＰｕが、ポジション（（ｘＣＣｔｒ≫４）≪４、（ｙＣＣｔｒ≫４）≪４）をカバーすると仮定する。
【０２３８】
２．ポジション（ｘＰＣｏｌ，ｙＰＣｏｌ）は、ＤｄｖＣａｎｄＰｉｃｓＬｉｓｔ［ｉ］のルマサンプルの左側上端と係わるｃｏｌＰｕの左側上端サンプルの位置に設定される。
【０２３９】
３．もしスライスタイプがＢであるならば、変数ｄｉｒは、collocated＿from＿ｌ０＿flagの値と同一に設定され、他の場合には、変数ｄｉｒは、１−collocated＿from＿ｌ０＿flagの値と同一に設定される。
【０２４０】
４．ｄｉｒから１−ｄｉｒまでの各Ｘ値に対して、再帰的に次のプロセスが遂行される。
【０２４１】
（３）変数ｃａｎｄＰｉｃＲｅｆＰｉｃＬｉｓｔ，ｃａｎｄＰｒｅｄＦｌａｇ，ｃａｎｄＲｅｆＩｄｘ及びｃａｎｄＭＶが、それぞれＲｅｆＰｉｃＬｉｓｔＸ、ＲｅｆＩｄｘＬＸ及びＤｄｖＣａｎｄＰｉｃｓＬｉｓｔ［ｉ］のＭｖＬＸに設定される。
【０２４２】
（４）ｃｏｌＰｕがイントラ予測モードで符号化されず、ｃａｎｄＰｒｅｄＦｌａｇ［ｘＰＣｏｌ］［ｙＰＣｏｌ］が１であるとき、ｃａｎｄＲｅｆＶｉｅｗＩｄｘがＶｉｅｗＩｄｘ（ｃａｎｄＰｉｃＲｅｆＰｉｃＬｉｓｔ［ｃａｎｄＲｅｆＩｄｘ［ｘＰＣｏｌ］［ｙＰＣｏｌ］］に設定される。
【０２４３】
また、ｃａｎｄＲｅｆＶｉｅｗＩｄｘが、ＶｉｅｗＩｄｘ（ＤｄｖＣａｎｄＰｉｃｓＬｉｓｔ［ｉ］）が互いに同じではなく、インタビュー参照ピクチャのＶｉｅｗＩｄｘが、ＲｅｆＰｉｃＬｉｓｔ０またはＲｅｆＰｉｃＬｉｓｔ１のｃａｎｄＶｉｅｗＩｄｘと同じであるならば、次の表８の動作が遂行される。
【０２４４】
【表８】
2016528792.tif 000010
ところで、周辺ブロックにおいて、スパリティベクトルを予測することができなかったとき、基本ディスパリティベクトルを（０，０）と設定する場合、ほとんどの多視点映像においては、ディスパリティが発生するために、予測されたディスパリティベクトルが正確ではない可能性が高い。従って、ディスパリティベクトル決定部１４は、基本ディスパリティベクトルを０ではない値に設定し、実際のディスパリティベクトルと類似したディスパリティベクトルを予測することができる。
【０２４５】
例えば、図７Ａは、多様な実施形態による、ディスパリティベクトルが予測可能ではない場合、ディスパリティベクトルを決定する方法を示すフローチャートである。
【０２４６】
段階７１において、インターレイヤビデオ復号化装置２０は、現在ブロックの周辺ブロック候補を利用して、ディスパリティベクトルを予測することができる。現在ブロックの周辺ブロックを基に、ディスパリティベクトルを予測する方法は、図５ないし図６Ｂを参照して説明したので省略する。
【０２４７】
段階７２において、インターレイヤビデオ復号化装置２０は、現在ブロックのディスパリティベクトルが予測可能であるか否かということを判断する。例えば、周辺ブロック候補において、インターレイヤ方向の動きベクトルを有した周辺ブロック候補、またはディスパリティベクトル情報自体を有する周辺ブロック候補が検索されるか否かということを判断する。
【０２４８】
もしディスパリティベクトルが予測可能である場合、段階７４に進み、インターレイヤビデオ復号化装置２０は、予測されたディスパリティベクトルを、現在ブロックのディスパリティベクトルとして決定する。
【０２４９】
一方、ディスパリティベクトルが予測可能ではない場合、ビデオ復号化装置２０は、現在ブロックに、０ではない基本ディスパリティベクトルを設定する。
【０２５０】
具体的には、ビデオ復号化装置２０は、既設定の基本ディスパリティベクトル（０，０）と、カメラパラメータ及びインターレイヤの深さ映像の深さ値とを利用して、現在ブロックのディスパリティ値を決定することができる。
【０２５１】
例えば、深さ映像の深さ値が有することができる値の範囲の中間値（例えば、深さ値が８ビットの範囲を有するとき、１２８を中間値とすることができる）をディスパリティに変換し、変換されたディスパリティ値を、基本ディスパリティベクトルとして決定することができる。
【０２５２】
他の例として、図７Ｂは、多様な実施形態による、ディスパリティベクトルが予測可能ではない場合、ディスパリティベクトルを決定する方法の一例を示している。
【０２５３】
一実施形態によるインターレイヤビデオ復号化装置２０は、周辺ブロック候補を利用して、ディスパリティベクトルが予測されない場合（ｄｖＡｖａｉｌＦｌａｇ＝＝０）、基本ディスパリティベクトル（ｍｖＤｉｓｐ）と、第１レイヤ深さ映像１７２０とを利用して、第２レイヤカラー映像１７００で復号化される現在ブロック１７１０のディスパリティベクトル（ｍｖＲｅｆｉｎｅｄＤｉｓｐ）を決定することができる。ここで、基本ディスパリティベクトル（ｍｖＤｉｓｐ）は、（０，０）値を有する。
【０２５４】
具体的には、インターレイヤビデオ復号化装置２０は、第２レイヤ現在ブロック１７１０位置を基準に、基本ディスパリティベクトル（ｍｖＤｉｓｐ）が示す第１レイヤ深さ映像１７２０のコロケーテッド参照ブロック１７３０を決定する。
【０２５５】
次に、インターレイヤビデオ復号化装置２０は、決定された第１レイヤ深さマップの参照ブロック１７３０のコーナー深さ値１７３１，１７３２，１７３３，１７３４のうち最大の深さ値を獲得し、ディスパリティベクトルに換算する。
【０２５６】
例えば、シンタックス要素として、現在ブロック１７１０の位置（ｘＣｂ，ｙＣｂ）、基本ディスパリティベクトル（ｍｖＤｉｓｐ）及び参照ビューインデックス（ｒｅｆＶｉｅｗｉｅｗＩｄｘ）を利用して（、ｎＣｂＳ）ｘ（ｎＣｂＳ）サイズに換算されたディスパリティベクトル値「disparitySamples［］［］」が決定される。ここで、ｎＣｂＳは、現在ブロック１７１０の符号化単位の水平方向または垂直方向の大きさを意味する。
【０２５７】
最後に、インターレイヤビデオ復号化装置２０は、換算されたディスパリティベクトルの水平成分値と、基本ディスパリティベクトル（ｍｖＤｉｓｐ）の垂直成分値とを利用して、現在ブロック１７１０のディスパリティベクトル（ｍｖＲｅｆｉｎｅｄＤｉｓｐ）を決定する。
【０２５８】
例えば、決定されたディスパリティベクトル（ｍｖＲｅｆｉｎｅｄＤｉｓｐ）は、（disparitySamples［０］［０］、ｍｖＤｉｓｐ［１］）と示される。ここで、ディスパリティベクトルの垂直成分値である「ｍｖＤｉｓｐ［１］」は、０である。
【０２５９】
一方、インターレイヤ符号化方式においては、特定モード（例えば、レジデュアル予測モード）の場合には、周辺ブロックからディスパリティベクトルを予測することができない場合、当該モードを実行しないが、ディスパリティベクトルを０ではない値に設定し、ディスパリティベクトルを利用するモードを使用することができる。
【０２６０】
具体的には、レジデュアル予測モードは、第２レイヤ現在ブロックの動きベクトル値と、それに対応する第１レイヤ参照ブロックの動きベクトル値との差分値をシグナリングするモードを意味する。ところで、ディスパリティベクトルが、周辺ブロックに予測されない場合には、その予測正確度が低くなり、レジデュアル予測モードを使用しない。しかし、多様な実施形態によるインターレイヤビデオ復号化装置２０は、ディスパリティベクトルを０ではない値に設定し、ディスパリティベクトルを利用するモードを使用することができる。
【０２６１】
一方、インターレイヤビデオ復号化装置２０は、周辺ブロックで予測されたディスパリティベクトルが（０，０）である場合にも、それと類似した動作を遂行することができる。
【０２６２】
図７Ｃは、多様な実施形態による、ディスパリティベクトルが（０，０）と予測される場合、ディスパリティベクトルを決定する方法のフローチャートを示している。
【０２６３】
段階８１において、インターレイヤビデオ復号化装置２０は、現在ブロックの周辺ブロック候補を利用して、ディスパリティベクトルを予測し、段階８２で予測されたディスパリティベクトルが（０，０）であるか否かということを判断する。
【０２６４】
もし予測されたディスパリティベクトルが（０，０）ではないならば、インターレイヤビデオ復号化装置２０は、段階８４に進み、予測されたディスパリティベクトルを、現在ブロックのディスパリティベクトルとして決定する。
【０２６５】
反対に、予測されたディスパリティベクトルが（０，０）であるならば、ディスパリティベクトル予測の正確度が低いと判断し、インターレイヤビデオ復号化装置２０は、段階８５に進む。その場合、インターレイヤビデオ復号化装置２０は、ディスパリティベクトルが予測されない場合と同様に、現在ブロックのディスパリティベクトルを、０ではないディスパリティベクトルとして設定することができる。
【０２６６】
一方、インターレイヤビデオ復号化装置２０は、周辺ブロックで予測されたディスパリティベクトルが（０，０）である場合には、ディスパリティが、ベクトルの正確度が低いと判断されるので、ディスパリティベクトルを利用するモードを使用しないように設定することもできる。
【０２６７】
例えば、図７Ｄは、多様な実施形態によるディスパリティベクトルが（０，０）と予測される場合、ディスパリティベクトルを利用するモードを設定する方法のフローチャートを示している。
【０２６８】
段階９１において、インターレイヤビデオ復号化装置２０は、現在ブロックの周辺ブロック候補を利用して、ディスパリティベクトルを予測し、段階９２で予測されたディスパリティベクトルが（０，０）であるか否かということを判断する。
【０２６９】
もし予測されたディスパリティベクトルが（０，０）ではないならば、インターレイヤビデオ復号化装置２０は、段階９４に進み、予測されたディスパリティベクトルを利用するモードを使用する。
【０２７０】
反対に、予測されたディスパリティベクトルが（０，０）であるならば、インターレイヤビデオ復号化装置２０は、ディスパリティベクトル予測の正確度が低いと判断し、段階９３に進み、予測されたディスパリティベクトルを利用するモードを使用しないように設定することができる。従って、インターレイヤビデオ復号化装置２０は、ディスパリティベクトルの正確度が低い場合、ディスパリティベクトルを利用するモードを使用しないことにより、符号化効率を向上させることができる。
【０２７１】
一方、図５ないし図７Ｄで説明した動作は、インターレイヤビデオ復号化装置２０が遂行することを前提に説明したが、インターレイヤビデオ符号化装置１０においても、同一動作が遂行されるということは、本実施形態が属する技術分野の当業者であるならば、容易に理解することができるであろう。
【０２７２】
多様な実施形態によるインターレイヤビデオ符号化装置１０、及び多様な実施形態によるインターレイヤビデオ復号化装置２０において、ビデオデータが分割されるブロックが、ツリー構造の符号化単位に分割され、符号化単位に対するインターレイヤ予測またはインター予測のために、符号化単位、予測単位、変換単位が利用される場合があるということは、前述の通りである。以下、図８ないし図２０を参照し、多様な実施形態による、ツリー構造の符号化単位及び変換単位に基づいたビデオ符号化方法及びその装置、ビデオ復号化方法及びその装置を開示する。
【０２７３】
原則的に、マルチレイヤビデオのための符号化／復号化過程において、第１レイヤ映像のための符号化／復号化過程と、第２レイヤ映像のための符号化／復号化過程とが別途に遂行される。すなわち、マルチレイヤビデオにおいて、インターレイヤ予測が発生する場合には、シングルレイヤビデオの符号化／復号化結果が相互参照されるが、シンググレイヤビデオごとに別途の符号化／復号化過程が発生する。
【０２７４】
従って、説明の便宜のために、図８ないし図２０を参照して説明するツリー構造の符号化単位に基づいたビデオ符号化過程及びビデオ復号化過程は、シングルレイヤビデオに係わるビデオ符号化過程及びビデオ復号化過程であるので、インター予測及び動き補償について詳細に説明する。しかし、図１Ａないし図７Ｄを参照して説明したように、ビデオストリーム符号化／復号化のために、基本視点映像と第２レイヤ映像とのインターレイヤ予測及び補償が行われる。
【０２７５】
従って、多様な実施形態によるインターレイヤビデオ符号化装置１０の符号化部１２が、ツリー構造の符号化単位に基づいて、マルチレイヤビデオを符号化するためには、それぞれのシングルレイヤビデオごとにビデオ符号化を行うために、図８のビデオ符号化装置１００を、マルチレイヤビデオのレイヤ数ほど含み、各ビデオ符号化装置１００ごとに割り当てられたシングルレイヤビデオの符号化を行うように制御することができる。また、インターレイヤビデオ符号化装置１０は、各ビデオ符号化装置１００の別個単一視点の符号化結果を利用して、視点間予測を行うことができる。それによって、インターレイヤビデオ符号化装置１０の符号化部１２は、レイヤ別に符号化結果を収録した基本視点ビデオストリームと、第２レイヤビデオストリームとを生成することができる。
【０２７６】
それと類似して、多様な実施形態によるインターレイヤビデオ復号化装置２０の復号化部２６、がツリー構造の符号化単位に基づいて、マルチレイヤビデオを復号化するためには、受信した第１レイヤビデオストリーム及び第２レイヤビデオストリームに対して、レイヤ別にビデオ復号化を行うため、に図９のビデオ復号化装置２００を、マルチレイヤビデオのレイヤ数ほど含み、各ビデオ復号化装置２００ごとに割り当てられたシングルレイヤビデオの復号化を行うように制御することができる、そして、インターレイヤビデオ復号化装置２０が、各ビデオ復号化装置２００の別個シングルレイヤの復号化結果を利用して、インターレイヤ補償を行うことができる。それによって、インターレイヤビデオ復号化装置２０の復号化部２６は、レイヤ別に復元された第１レイヤ映像と第２レイヤ映像とを生成することができる。
【０２７７】
図８は、本発明の一実施形態による、ツリー構造による符号化単位に基づいたビデオ符号化装置１００のブロック図である。
【０２７８】
一実施形態による、ツリー構造による符号化単位に基づいたビデオ予測を伴うビデオ符号化装置１００は、符号化単位決定部１２０及び出力部１３０を含む。以下、説明の便宜のために、一実施形態による、ツリー構造による符号化単位に基づいたビデオ予測を伴うビデオ符号化装置１００は、「ビデオ符号化装置１００」と縮約して指称する。
【０２７９】
符号化単位決定部１２０は、映像の現在ピクチャのための最大サイズの符号化単位である最大符号化単位に基づいて、現在ピクチャを区画することができる。現在ピクチャが最大符号化単位より大きければ、現在ピクチャの映像データは、少なくとも１つの最大符号化単位に分割される。多様な実施形態による最大符号化単位は、サイズ３２ｘ３２，６４ｘ６４，１２８ｘ１２８，２５６ｘ２５６などのデータ単位であり、縦横サイズが２の累乗である正方形のデータ単位でもある。
【０２８０】
多様な実施形態による符号化単位は、最大サイズ及び深度で特徴づけられる。深度とは、最大符号化単位から符号化単位が空間的に分割された回数を示し、深度が深くなるほど深度別符号化単位は、最大符号化単位から最小符号化単位まで分割される。最大符号化単位の深度が最上位深度であり、最小符号化単位が最下位符号化単位であると定義される。最大符号化単位は、深度が深くなるにつれ、深度別符号化単位の大きさは小さくなるので、上位深度の符号化単位は、複数個の下位深度の符号化単位を含んでもよい。
【０２８１】
前述のように、符号化単位の最大サイズによって、現在ピクチャの映像データを最大符号化単位に分割し、それぞれの最大符号化単位は、深度別に分割される符号化単位を含んでもよい。多様な実施形態による最大符号化単位は、深度別に分割されるので、最大符号化単位に含まれた空間領域（spatial  domain）の映像データは、深度によって階層的に分類される。
【０２８２】
最大符号化単位の高さ及び幅を階層的に分割することができる総回数を制限する最大深度、及び符号化単位の最大サイズが事前に設定されている。
【０２８３】
符号化単位決定部１２０は、深度ごとに最大符号化単位の領域が分割された少なくとも１つの分割領域を符号化し、少なくとも１つの分割領域別に最終符号化結果が出力される深度を決定する。すなわち、符号化単位決定部１２０は、現在ピクチャの最大符号化単位ごとに、深度別符号化単位で映像データを符号化し、最小の符号化誤差が発生する深度を選択して最終深度と決定する。決定された最終深度及び最大符号化単位別映像データは、出力部１３０に出力される。
【０２８４】
最大符号化単位内の映像データは、最大深度以下の少なくとも１つの深度によって、深度別符号化単位に基づいて符号化され、それぞれの深度別符号化単位に基づいた符号化結果が比較される。深度別符号化単位の符号化誤差の比較結果、符号化誤差が最小である深度が選択される。それぞれの最大化符号化単位ごとに、少なくとも１つの最終深度が決定される。
【０２８５】
最大符号化単位の大きさは深度が深くなるにつれ、符号化単位が階層的に分割されて分割され、符号化単位の個数は増加する。また、１つの最大符号化単位に含まれる同一深度の符号化単位であるとしても、それぞれのデータに係わる符号化誤差を測定し、下位深度への分割いかんが決定される。従って、１つの最大符号化単位に含まれるデータであるとしても、位置によって深度別符号化誤差が異なるので、位置によって最終深度が異なって決定される。従って、１つの最大符号化単位に対して、最終深度が１以上設定され、最大符号化単位のデータは、１以上の最終深度の符号化単位によって区画される。
【０２８６】
従って、多様な実施形態による符号化単位決定部１２０は、現在最大符号化単位に含まれるツリー構造による符号化単位が決定される。多様な実施形態による「ツリー構造による符号化単位」は、現在最大符号化単位に含まれる全ての深度別符号化単位において、最終深度に決定された深度の符号化単位を含む。最終深度の符号化単位は、最大符号化単位内で同一領域では、深度によって階層的に決定され、他の領域については、独立して決定される。同様に、現在領域に係わる最終深度は、他の領域に係わる最終深度と独立して決定される。
【０２８７】
多様な実施形態による最大深度は、最大符号化単位から最小符号化単位までの分割回数と係わる指標である。多様な実施形態による第１最大深度は、最大符号化単位から最小符号化単位までの総分割回数を示すことができる。多様な実施形態による第２最大深度は、最大符号化単位から最小符号化単位までの深度レベルの総個数を示すことができる。例えば、最大符号化単位の深度が０であるとするとき、最大符号化単位が１回分割された符号化単位の深度は、１に設定され、２回分割された符号化単位の深度は、２に設定される。その場合、最大符号化単位から４回分割された符号化単位が最小符号化単位であるならば、深度０，１，２，３及び４の深度レベルが存在するので、第１最大深度は、４に設定され、第２最大深度は、５に設定される。
【０２８８】
最大符号化単位の予測符号化及び変換が行われる。予測符号化及び変換も同様に、最大符号化単位ごとに、最大深度以下の深度ごとに、深度別符号化単位を基に行われる。
【０２８９】
最大符号化単位が深度別に分割されるたびに、深度別符号化単位の個数が増加するので、深度が深くなるにつれ、生成される全ての深度別符号化単位に対して、予測符号化及び変換を含んだ符号化が行われなければならない。以下、説明の便宜のために、少なくとも１つの最大符号化単位のうち現在深度の符号化単位を基に、予測符号化及び変換について説明する。
【０２９０】
多様な実施形態によるビデオ符号化装置１００は、映像データの符号化のためのデータ単位の大きさまたは形態を多様に選択することができる。映像データの符号化のためには、予測符号化、変換、エントロピー符号化などの段階を経るが、全ての段階にわたって、同一データ単位が使用され、段階別にデータ単位が変更されもする。
【０２９１】
例えば、ビデオ符号化装置１００は、映像データの符号化のための符号化単位だけではなく、符号化単位の映像データの予測符号化を行うために、符号化単位と異なるデータ単位を選択することができる。
【０２９２】
最大符号化単位の予測符号化のためには、多様な実施形態による最終深度の符号化単位、すなわち、それ以上分割されない符号化単位を基に予測符号化が行われる。以下、予測符号化の基になる、それ以上分割されない符号化単位を「予測単位」と指称する。予測単位が分割されたパーティションは、予測単位、並びに予測単位の高さ及び幅のうち少なくとも一つが分割されたデータ単位を含んでもよい。パーティションは、符号化単位の予測単位が分割された形態のデータ単位であり、予測単位は、符号化単位と同一サイズのパーティションでもある。
【０２９３】
例えば、サイズ２Ｎｘ２Ｎ（ただし、Ｎは正の整数）の符号化単位がそれ以上分割されない場合、サイズ２Ｎｘ２Ｎの予測単位になり、パーティションの大きさは、２Ｎｘ２Ｎ、２ＮｘＮ、Ｎｘ２Ｎ、ＮｘＮなどでもある。多様な実施形態によるパーティションモードは、予測単位の高さまたは幅が対称的な比率に分割された対称的パーティションだけではなく、１：ｎまたはｎ：１のように、非対称的な比率に分割されたパーティション、幾何学的な形態に分割されたパーティション、任意的形態のパーティションなどを選択的に含んでもよい。
【０２９４】
予測単位の予測モードは、イントラモード、インタモード及びスキップモードのうち少なくとも一つでもある。例えば、イントラモード及びインタモードは、２Ｎｘ２Ｎ，２ＮｘＮ，Ｎｘ２Ｎ，ＮｘＮサイズのパーティションに対して遂行される。また、スキップモードは、２Ｎｘ２Ｎサイズのパーティションに対してのみ遂行される。符号化単位以内の１つの予測単位ごとに、独立して符号化が行われ、符号化誤差が最小である予測モードが選択される。
【０２９５】
また、多様な実施形態によるビデオ符号化装置１００は、映像データの符号化のための符号化単位だけではなく、符号化単位と異なるデータ単位を基に、符号化単位の映像データ変換を行うことができる。符号化単位の変換のためには、符号化単位より小さいか、あるいはそれと同じである大きさの変換単位を基に変換が行われる。例えば、変換単位は、イントラモードのためのデータ単位、及びインタモードのための変換単位を含んでもよい。
【０２９６】
多様な実施形態による、ツリー構造による符号化単位と類似した方式で、符号化単位内の変換単位も、再帰的にさらに小サイズの変換単位に分割されながら、符号化単位のレジデュアルデータが、変換深度によって、ツリー構造による変換単位によって区画される。
【０２９７】
多様な実施形態による変換単位についても、符号化単位の高さ及び幅が分割され、変換単位に至るまでの分割回数を示す変換深度が設定される。例えば、サイズ２Ｎｘ２Ｎの現在符号化単位の変換単位の大きさが２Ｎｘ２Ｎであるならば、変換深度０に設定され、変換単位の大きさがＮｘＮであるならば、変換深度１に設定され、変換単位の大きさがＮ／２ｘＮ／２であるならば、変換深度２に設定される。すなわち、変換単位についても、変換深度によって、ツリー構造による変換単位が設定される。
【０２９８】
深度別分割情報は、深度だけではなく、予測関連情報及び変換関連情報が必要である。従って、符号化単位決定部１２０は、最小符号化誤差を発生させた深度だけではなく、予測単位をパーティションに分割したパーティションモード、予測単位別予測モード、変換のための変換単位の大きさなどを決定することができる。
【０２９９】
多様な実施形態による、最大符号化単位のツリー構造による符号化単位及び予測単位／パーティション、及び変換単位の決定方式については、図１７ないし図１９を参照して詳細に説明する。
【０３００】
符号化単位決定部１２０は、深度別符号化単位の符号化誤差をラグランジュ乗数（Lagrangian  multiplier）基盤の率歪曲最適化技法（rate-distortion  optimization）を利用して測定することができる。
【０３０１】
出力部１３０は、符号化単位決定部１２０で決定された少なくとも１つの深度に基づいて符号化された最大符号化単位の映像データ及び深度別分割情報を、ビットストリーム形態で出力する。
【０３０２】
符号化された映像データは、映像のレジデュアルデータの符号化結果でもある。
【０３０３】
深度別分割情報は、深度情報、予測単位のパーティションモード情報、予測モード情報、変換単位の分割情報などを含んでもよい。
【０３０４】
最終深度情報は、現在深度で符号化せず、下位深度の符号化単位で符号化するか否かということを示す深度別分割情報を利用して定義される。現在符号化単位の現在深度が深度であるならば、現在符号化単位は、現在深度の符号化単位で符号化されるので、現在深度の分割情報は、それ以上下位深度に分割されないように定義される。反対に、現在符号化単位の現在深度が深度ではないならば、下位深度の符号化単位を利用した符号化を試みなければならないので、現在深度の分割情報は、下位深度の符号化単位に分割されるように定義される。
【０３０５】
現在深度が深度ではないならば、下位深度の符号化単位に分割された符号化単位に対して符号化が行われる。現在深度の符号化単位内に、下位深度の符号化単位が１以上存在するので、それぞれの下位深度の符号化単位ごとに反復的に符号化が行われ、同一深度の符号化単位ごとに再帰的（recursive）符号化が行われる。
【０３０６】
１つの最大符号化単位内で、ツリー構造の符号化単位が決定され、深度の符号化単位ごとに、少なくとも１つの分割情報が決定されなければならないので、１つの最大符号化単位については、少なくとも１つの分割情報が決定される。また、最大符号化単位のデータは、深度によって階層的に区画され、位置別に深度が異なるので、データについて深度及び分割情報が設定される。
【０３０７】
従って、多様な実施形態による出力部１３０は、最大符号化単位に含まれている符号化単位、予測単位及び最小単位のうち少なくとも一つに対して、当該深度及び符号化モードに係わる符号化情報を割り当てられる。
【０３０８】
多様な実施形態による最小単位は、最下位深度である最小符号化単位が４分割された大きさの正方形のデータ単位である。多様な実施形態による最小単位は、最大符号化単位に含まれる全ての符号化単位、予測単位、パーティション単位及び変換単位内に含まれもする最大サイズの正方形データ単位でもある。
【０３０９】
例えば、出力部１３０を介して出力される符号化情報は、深度別符号化単位別符号化情報と、予測単位別符号化情報とに分類される。深度別符号化単位別符号化情報は、予測モード情報、パーティションサイズ情報を含んでもよい。予測単位別に伝送される符号化情報は、インタモードの推定方向に係わる情報、インタモードの参照映像インデックスに係わる情報、動きベクトルに係わる情報、イントラモードのクロマ成分に係わる情報、イントラモードの補間方式に係わる情報などを含んでもよい。
【０３１０】
ピクチャ別、スライス別またはＧＯＰ別に定義される符号化単位の最大サイズに係わる情報及び最大深度に係わる情報は、ビットストリームのヘッダ、シーケンスパラメータセット（ＳＰＳ）またはピクチャパラメータセット（ＰＰＳ）などに挿入される。
【０３１１】
また、現在ビデオに対して許容される変換単位の最大サイズに係わる情報、及び変換単位の最小サイズに係わる情報も、ビットストリームのヘッダ、シーケンスパラメータセットまたはピクチャパラメータセットなどを介して出力される。出力部１３０は、予測と係わる参照情報、予測情報、スライスタイプ情報などを符号化して出力することができる。
【０３１２】
ビデオ符号化装置１００の最も簡単な形態の実施形態によれば、深度別符号化単位は、１階層上位深度の符号化単位の高さ及び幅を半分にした大きさの符号化単位である。すなわち、現在深度の符号化単位の大きさが２Ｎｘ２Ｎであるならば、下位深度の符号化単位の大きさは、ＮｘＮである。また、２Ｎｘ２Ｎサイズの現在符号化単位は、ＮｘＮサイズの下位深度符号化単位を最大４個含んでもよい。
【０３１３】
従って、ビデオ符号化装置１００は、現在ピクチャの特性を考慮して決定された最大符号化単位の大きさ及び最大深度を基に、それぞれの最大符号化単位ごとに、最適の形態及び大きさの符号化単位を決定し、ツリー構造による符号化単位を構成することができる。また、それぞれの最大符号化単位ごとに、多様な予測モード、変換方式などで符号化することができるので、多様な映像サイズの符号化単位の映像特性を考慮し、最適の符号化モードが決定される。
【０３１４】
従って、映像の解像度が非常に高いか、あるいはデータ量が非常に多い映像を既存メクロブロック単位で符号化するならば、ピクチャ当たりメクロブロックの数が過度に多くなる。それによって、メクロブロックごとに生成される圧縮情報も多くなるので、圧縮情報の伝送負担が大きくなり、データ圧縮効率が低下するという傾向がある。従って、多様な実施形態によるビデオ符号化装置は、映像の大きさを考慮し、符号化単位の最大サイズを増大させながら、映像特性を考慮して符号化単位を調節することができるので、映像圧縮効率が上昇する。
【０３１５】
図１Ａを参照して説明したインターレイヤビデオ符号化装置１０は、マルチレイヤビデオのレイヤごとに、シングルレイヤ映像の符号化のために、レイヤ数ほどのビデオ符号化装置１００らを含んでもよい。例えば、第１レイヤ符号化部１２が１つのビデオ符号化装置１００を含み、第２レイヤ符号化部１６が第２レイヤの数ほどのビデオ符号化装置１００を含んでもよい。
【０３１６】
ビデオ符号化装置１００が第１レイヤ映像を符号化する場合、符号化単位決定部１２０は、最大符号化単位ごとに、ツリー構造による符号化単位別に、映像間予測のための予測単位を決定し、予測単位ごとに映像間予測を行うことができる。
【０３１７】
ビデオ符号化装置１００が第２レイヤ映像を符号化する場合にも、符号化単位決定部１２０は、最大符号化単位ごとに、ツリー構造による符号化単位及び予測単位を決定し、予測単位ごとにインター予測を行うことができる。
【０３１８】
ビデオ符号化装置１００は、第１レイヤ映像と第２レイヤ映像との輝度差を補償するために、輝度差を符号化することができる。ただし、符号化単位の符号化モードによって輝度遂行いかんが決定される。例えば、サイズ２Ｎｘ２Ｎの予測単位に対してのみ輝度補償が行われる。
【０３１９】
図９は、多様な実施形態による、ツリー構造による符号化単位に基づいたビデオ復号化装置２００のブロック図である。
【０３２０】
一実施形態による、ツリー構造による符号化単位に基づいたビデオ予測を伴うビデオ復号化装置２００は、受信部２１０、映像データ及び符号化情報抽出部２２０及び映像データ復号化部２３０を含む。以下、説明の便宜のために、一実施形態による、ツリー構造による符号化単位に基づいたビデオ予測を伴うビデオ復号化装置２００は、「ビデオ復号化装置２００」と縮約して指称する。
【０３２１】
多様な実施形態によるビデオ復号化装置２００の復号化動作のための符号化単位、深度、予測単位、変換単位、各種分割情報など各種用語の定義は、図８及びビデオ符号化装置１００を参照して説明したところと同一である。
【０３２２】
受信部２１０は、符号化されたビデオに係わるビットストリームを受信してパージングする。映像データ及び符号化情報抽出部２２０は、パージングされたビットストリームから、最大符号化単位別に、ツリー構造による符号化単位によって、符号化単位ごとに符号化された映像データを抽出し、映像データ復号化部２３０に出力する。映像データ及び符号化情報抽出部２２０は、現在ピクチャに係わるヘッダ、シーケンスパラメータセットまたはピクチャパラメータセットから、現在ピクチャの符号化単位の最大サイズに係わる情報を抽出することができる。
【０３２３】
また、映像データ及び符号化情報抽出部２２０は、パージングされたビットストリームから、最大符号化単位別に、ツリー構造による符号化単位に対する最終深度及び分割情報を抽出する。抽出された最終深度及び分割情報は、映像データ復号化部２３０に出力される。すなわち、ビット列の映像データを最大符号化単位に分割し、映像データ復号化部２３０が、最大符号化単位ごとに映像データを復号化する。
【０３２４】
最大符号化単位別深度及び分割情報は、１以上の深度情報に対して設定され、深度別分割情報は、当該符号化単位のパーティションモード情報、予測モード情報及び変換単位の分割情報などを含んでもよい。また、深度情報として、深度別分割情報が抽出されもする。
【０３２５】
映像データ及び符号化情報抽出部２２０が抽出した最大符号化単位別深度及び分割情報は、多様な実施形態によるビデオ符号化装置１００のように、符号化端で、最大符号化単位別深度別符号化単位ごとに反復的に符号化を行い、最小符号化誤差を発生させると決定された深度及び分割情報である。従って、ビデオ復号化装置２００は、最小符号化誤差を発生させる符号化方式によってデータを復号化し、映像を復元することができる。
【０３２６】
多様な実施形態による、深度及び符号化モードに係わる符号化情報は、当該符号化単位、予測単位及び最小単位のうち所定データ単位に対して割り当てられているので、映像データ及び符号化情報抽出部２２０は、所定データ単位別に、深度及び分割情報を抽出することができる。所定データ単位別に、当該最大符号化単位の深度及び分割情報が記録されているならば、同一深度及び分割情報を有している所定データ単位は、同一最大符号化単位に含まれるデータ単位に類推される。
【０３２７】
映像データ復号化部２３０は、最大符号化単位別深度及び分割情報に基づいて、それぞれの最大符号化単位の映像データを復号化し、現在ピクチャを復元する。すなわち、映像データ復号化部２３０は、最大符号化単位に含まれるツリー構造による符号化単位においてそれぞれの符号化単位ごとに、判読されたパーティションモード、予測モード、変換単位に基づいて符号化された映像データを復号化することができる。復号化過程は、イントラ予測及び動き補償を含む予測過程、並びに逆変換過程を含んでもよい。
【０３２８】
映像データ復号化部２３０は、深度別符号化単位の予測単位のパーティションモード情報及び予測モード情報に基づいて、符号化単位ごとに、それぞれのパーティション及び予測モードによって、イントラ予測または動き補償を行うことができる。
【０３２９】
また、映像データ復号化部２３０は、最大符号化単位別逆変換のために、符号化単位別に、ツリー構造による変換単位情報を判読し、符号化単位ごとに、変換単位に基づいた逆変換を行うことができる。逆変換を介して、符号化単位の空間領域の画素値が復元される。
【０３３０】
映像データ復号化部２３０は、深度別分割情報を利用して、現在最大符号化単位の深度を決定することができる。もし分割情報が、現在深度においてそれ以上分割されないということを示しているならば、現在深度である。従って、映像データ復号化部２３０は、現在最大符号化単位の映像データに対して、現在深度の符号化単位を、予測単位のパーティションモード、予測モード及び変換単位サイズ情報を利用して復号化することができる。
【０３３１】
すなわち、符号化単位、予測単位及び最小単位のうち所定データ単位に対して設定されている符号化情報を観察し、同一分割情報を含んだ符号化情報を保有しているデータ単位が集まり、映像データ復号化部２３０によって、同一符号化モードで復号化する１つのデータ単位と見なされる。かように決定された符号化単位ごとに、符号化モードに係わる情報を獲得し、現在符号化単位の復号化が行われる。
【０３３２】
図２Ａを参照して説明したインターレイヤビデオ復号化装置２０は、受信された第１レイヤ映像ストリーム及び第２レイヤ映像ストリームを復号化して第１レイヤ映像及び第２レイヤ映像を復元するために、ビデオ復号化装置２００を視点個数ほど含んでもよい。
【０３３３】
第１レイヤ映像ストリームが受信された場合には、ビデオ復号化装置２００の映像データ復号化部２３０は、抽出部２２０によって、第１レイヤ映像ストリームから抽出された第１レイヤ映像のサンプルを、最大符号化単位のツリー構造による符号化単位に分けることができる。映像データ復号化部２３０は、第１レイヤ映像のサンプルのツリー構造による符号化単位ごとに、映像間予測のための予測単位別に動き補償を行い、第１レイヤ映像を復元することができる。
【０３３４】
第２レイヤ映像ストリームが受信された場合には、ビデオ復号化装置２００の映像データ復号化部２３０は、抽出部２２０によって、第２レイヤ映像ストリームから抽出された第２レイヤ映像のサンプルを、最大符号化単位のツリー構造による符号化単位に分けることができる。映像データ復号化部２３０は、第２レイヤ映像のサンプルの符号化単位ごとに、映像間予測のための予測単位別に動き補償を行い、第２レイヤ映像を復元することができる。
【０３３５】
抽出部２２０は、第１レイヤ映像と第２レイヤ映像との輝度差を補償するために、輝度誤差と係わる情報を、ビットストリームから獲得することができる。ただし、符号化単位の符号化モードによって輝度遂行いかんが決定される。例えば、サイズ２Ｎｘ２Ｎの予測単位に対してのみ輝度補償が行われる。
【０３３６】
結局、ビデオ復号化装置２００は、符号化過程において、最大符号化単位ごとに再帰的に符号化を行い、最小符号化誤差を発生させた符号化単位に係わる情報を獲得し、現在ピクチャに係わる復号化に利用することができる。すなわち、最大符号化単位ごとに、最適符号化単位で決定されたツリー構造による符号化単位が符号化された映像データの復号化が可能になる。
【０３３７】
従って、高い解像度の映像、またはデータ量が過度に多い映像でも、符号化端から伝送された最適分割情報を利用して、映像の特性に適応的に決定された符号化単位の大きさ及び符号化モードによって効、率的に映像データを復号化して復元することができる。
【０３３８】
図１０は、多様な実施形態による符号化単位の概念を図示している。
【０３３９】
符号化単位の例は、符号化単位の大きさは、幅ｘ高さで表現され、サイズ６４ｘ６４である符号化単位から、サイズ３２ｘ３２，１６ｘ１６，８ｘ８を含んでもよい。サイズ６４ｘ６４の符号化単位は、サイズ６４ｘ６４，６４ｘ３２，３２ｘ６４，３２ｘ３２のパーティションに分割され、サイズ３２ｘ３２の符号化単位は、サイズ３２ｘ３２，３２ｘ１６，１６ｘ３２，１６ｘ１６のパーティションに分割され、サイズ１６ｘ１６の符号化単位は、サイズ１６ｘ１６，１６ｘ８，８ｘ１６，８ｘ８のパーティションに分割され、サイズ８ｘ８の符号化単位は、サイズ８ｘ８，８ｘ４，４ｘ８，４ｘ４のパーティションに分割される。
【０３４０】
ビデオデータ３１０については、解像度が１９２０ｘ１０８０、符号化単位の最大サイズが６４、最大深度が２に設定されている。ビデオデータ３２０については、解像度が１９２０ｘ１０８０、符号化単位の最大サイズが６４、最大深度が３に設定されている。ビデオデータ３３０については、解像度が３５２ｘ２８８、符号化単位の最大サイズが１６、最大深度が１に設定されている。図１０に図示された最大深度は、最大符号化単位から最小符号化単位までの総分割回数を示している。
【０３４１】
解像度が高いか、あるいはデータ量が多い場合、符号化効率の向上だけではなく、映像特性を正確に反映させるために、符号化サイズの最大サイズが相対的に大きいことが望ましい。従って、ビデオデータ３３０に比べ、解像度が高いビデオデータ３１０，３２０は、符号化サイズの最大サイズが６４に選択される。
【０３４２】
ビデオデータ３１０の最大深度が２であるので、ビデオデータ３１０の符号化単位３１５は、長軸サイズが６４である最大符号化単位から、２回分割されて深度が２階層深くなり、長軸サイズが３２，１６である符号化単位まで含んでもよい。一方、ビデオデータ３３０の最大深度が１であるので、ビデオデータ３３０の符号化単位３３５は、長軸サイズが１６である符号化単位から、１回分割されて深度が１階層深くなり、長軸サイズが８である符号化単位まで含んでもよい。
【０３４３】
ビデオデータ３２０の最大深度が３であるので、ビデオデータ３２０の符号化単位３２５は、長軸サイズが６４である最大符号化単位から、３回分割されて深度が３階層深くなり、長軸サイズが３２，１６，８である符号化単位まで含んでもよい。深度が深くなるほど、細部情報の表現能が向上する。
【０３４４】
図１１は、多様な実施形態による、符号化単位に基づいた映像符号化部４００のブロック図である。
【０３４５】
多様な実施形態による映像符号化部４００は、ビデオ符号化装置１００のピクチャ符号化部１２０において、映像データを符号化するのに経る作業を遂行する。すなわち、イントラ予測部４２０は、現在映像４０５のうちイントラモードの符号化単位に対して予測単位別にイントラ予測を行い、インター予測部４１５は、インタモードの符号化単位に対して、予測単位別に、現在映像４０５及び復元ピクチャバッファ４１０で獲得された参照映像を利用して、インター予測を行う。現在映像４０５は、最大符号化単位に分割された後、順次にエンコーディングが行われる。このとき、最大符号化単位がツリー構造に分割される符号化単位に対してエンコーディングが行われる。
【０３４６】
イントラ予測部４２０またはインター予測部４１５から出力された各モードの符号化単位に対する予測データを、現在映像４０５のエンコーディングされる符号化単位に対するデータから差し引くことにより、レジデュデータを生成し、レジデュデータは、変換部４２５及び量子化部４３０を経て、変換単位別に量子化された変換係数として出力される。量子化された変換係数は、逆量子化部４４５、逆変換部４５０を介して、空間領域のレジデュデータに復元される。復元された空間領域のレジデュデータは、イントラ予測部４２０またはインター予測部４１５から出力された各モードの符号化単位に係わる予測データと加えられることにより、現在映像４０５の符号化単位に係わる空間領域のデータに復元される。復元された空間領域のデータは、デブロッキング部４５５及びＳＡＯ（sample  adaptive  offset）遂行部４６０を経て、復元映像に生成される。生成された復元映像は、復元ピクチャバッファ４１０に保存される。復元ピクチャバッファ４１０に保存された復元映像は、他の映像のインター予測のための参照映像に利用される。変換部４２５及び量子化部４３０で量子化された変換係数は、エントロピー符号化部４３５を経て、ビットストリーム４４０として出力される。
【０３４７】
多様な実施形態による映像符号化部４００が、ビデオ符号化装置１００に適用されるために、映像符号化部４００の構成要素である、インター予測部４１５、イントラ予測部４２０、変換部４２５、量子化部４３０、エントロピー符号化部４３５、逆量子化部４４５、逆変換部４５０、デブロッキング部４５５及びＳＡＯ遂行部４６０が、最大符号化単位ごとに、ツリー構造による符号化単位のうちそれぞれの符号化単位に基づいた作業を遂行することができる。
【０３４８】
特に、イントラ予測部４２０及びインター予測部４１５は、現在最大符号化単位の最大サイズ及び最大深度を考慮し、ツリー構造による符号化単位のうちそれぞれの符号化単位のパーティションモード及び予測モードを決定し、変換部４２５は、ツリー構造による符号化単位のうち、それぞれの符号化単位内のクワッドツリーによる変換単位の分割いかんを決定することができる。
【０３４９】
図１２は、多様な実施形態による、符号化単位に基づいた映像復号化部５００のブロック図である。
【０３５０】
エントロピー復号化部５１５は、ビットストリーム５０５から、復号化対象である符号化された映像データ、及び復号化のために必要な符号化情報をパージングする。符号化された映像データは、量子化された変換係数であり、逆量子化部５２０及び逆変換部５２５は、量子化された変換係数からレジデュデータを復元する。
【０３５１】
イントラ予測部５４０は、イントラモードの符号化単位に対して、予測単位別にイントラ予測を行う。インター予測部５３５は、現在映像のうち、インタモードの符号化単位に対して、予測単位別に復元ピクチャバッファ５３０で獲得された参照映像を利用してインター予測を行う。
【０３５２】
イントラ予測部５４０またはインター予測部５３５を経た各モードの符号化単位に係わる予測データと、レジデュデータとが加えられることにより、現在映像４０５の符号化単位に係わる空間領域のデータが復元され、復元された空間領域のデータは、デブロッキング部５４５及びＳＡＯ遂行部５５０を経て、復元映像５６０として出力される。また、復元ピクチャバッファ５３０に保存された復元映像は、参照映像として出力される。
【０３５３】
ビデオ復号化装置２００のピクチャ復号化部２３０において映像データを復号化するために、多様な実施形態による映像復号化部５００のエントロピー復号化部５１５以後の段階別作業が遂行される。
【０３５４】
映像復号化部５００が、多様な実施形態によるビデオ復号化装置２００に適用されるために、映像復号化部５００の構成要素である、エントロピー復号化部５１５、逆量子化部５２０、逆変換部５２５、イントラ予測部５４０、インター予測部５３５、デブロッキング部５４５及びＳＡＯ遂行部５５０が、最大符号化単位ごとにツリー構造による符号化単位のうちそれぞれの符号化単位に基づいて作業を遂行することができる。
【０３５５】
特に、イントラ予測部５４０及びインター予測部５３５は、ツリー構造による符号化単位のうちそれぞれの符号化単位ごとに、パーティションモード及び予測モードを決定し、逆変換部５２５は、符号化単位ごとに、クォドツリー構造による変換単位の分割いかんを決定することができる。
【０３５６】
図１１の符号化動作及び図１２の復号化動作は、それぞれ単一レイヤでのビデオストリーム符号化動作及び復号化動作について説明したものである。従って、図１Ａの符号化部１２が２以上のレイヤのビデオストリームを符号化するならば、レイヤ別に、映像符号化部４００を含んでもよい。類似して、図２Ａの復号化部２６が２以上のレイヤのビデオストリームを復号化するならば、レイヤ別に、映像復号化部５００を含んでもよい。
【０３５７】
図１３は、多様な実施形態による、深度別符号化単位及びパーティションを図示している。
【０３５８】
多様な実施形態によるビデオ符号化装置１００、及び多様な実施形態によるビデオ復号化装置２００は、映像特性を考慮するために、階層的な符号化単位を使用する。符号化単位の最大高及び最大幅、最大深度は、映像の特性によって適応的に決定されもし、ユーザの要求によって多様に設定されもする。事前に設定された符号化単位の最大サイズによって、深度別符号化単位の大きさが決定される。
【０３５９】
多様な実施形態による符号化単位の階層構造６００は、符号化単位の最大高及び最大幅が６４であり、最大深度が３である場合を図示している。このとき、最大深度は、最大符号化単位から最小符号化単位までの総分割回数を示している。多様な実施形態による符号化単位の階層構造６００の縦軸に沿って、深度が深くなるので、深度別符号化単位の高さ及び幅がそれぞれ分割される。また、符号化単位の階層構造６００の横軸に沿って、それぞれの深度別符号化単位の予測符号化の基盤になる予測単位及びパーティションが図示されている。
【０３６０】
すなわち、符号化単位６１０は、符号化単位の階層構造６００において、最大符号化単位であって深度が０であり、符号化単位の大きさ、すなわち、高さ及び幅が６４ｘ６４である。縦軸に沿って深度が深くなり、サイズ３２ｘ３２である深度１の符号化単位６２０、サイズ１６ｘ１６である深度２の符号化単位６３０、サイズ８ｘ８である深度３の符号化単位６４０が存在する。サイズ８ｘ８である深度３の符号化単位６４０は、最小符号化単位である。
【０３６１】
それぞれの深度別に横軸に沿って、符号化単位の予測単位及びパーティションが配列される。すなわち、深度０のサイズ６４ｘ６４の符号化単位６１０が予測単位であるならば、予測単位は、サイズ６４ｘ６４の符号化単位６１０に含まれるサイズ６４ｘ６４のパーティション６１０、サイズ６４ｘ３２のパーティション６１２、サイズ３２ｘ６４のパーティション６１４、サイズ３２ｘ３２のパーティション６１６に分割される。
【０３６２】
同様に、深度１のサイズ３２ｘ３２の符号化単位６２０の予測単位は、サイズ３２ｘ３２の符号化単位６２０に含まれるサイズ３２ｘ３２のパーティション６２０、サイズ３２ｘ１６のパーティション６２２、サイズ１６ｘ３２のパーティション６２４、サイズ１６ｘ１６のパーティション６２６に分割される。
【０３６３】
同様に、深度２のサイズ１６ｘ１６の符号化単位６３０の予測単位は、サイズ１６ｘ１６の符号化単位６３０に含まれるサイズ１６ｘ１６のパーティション６３０、サイズ１６ｘ８のパーティション６３２、サイズ８ｘ１６のパーティション６３４、サイズ８ｘ８のパーティション６３６に分割される。
【０３６４】
同様に、深度３のサイズ８ｘ８の符号化単位６４０の予測単位は、サイズ８ｘ８の符号化単位６４０に含まれるサイズ８ｘ８のパーティション６４０、サイズ８ｘ４のパーティション６４２、サイズ４ｘ８のパーティション６４４、サイズ４ｘ４のパーティション６４６に分割される。
【０３６５】
多様な実施形態によるビデオ符号化装置１００の符号化単位決定部１２０は、最大符号化単位６１０の深度を決定するために、最大符号化単位６１０に含まれるそれぞれの深度の符号化単位ごとに符号化を行わなければならない。
【０３６６】
同一範囲及び同一サイズのデータを含むための深度別符号化単位の個数は、深度が深くなるほど深度別符号化単位の個数も増加する。例えば、深度１の符号化単位一つを含むデータに対して、深度２の符号化単位は、四つが必要である。従って、同一データの符号化結果を深度別に比較するために、１つの深度１の符号化単位、及び４つの深度２の符号化単位を利用して、それぞれ符号化されなければならない。
【０３６７】
それぞれの深度別符号化のためには、符号化単位の階層構造６００の横軸に沿って、深度別符号化単位の予測単位ごとに符号化を行い、当該深度で最小の符号化誤差である代表符号化誤差が選択される。また、符号化単位の階層構造６００の縦軸に沿って深度が深くなり、それぞれの深度ごとに符号化を行い、深度別代表符号化誤差を比較し、最小符号化誤差が検索される。最大符号化単位６１０において最小符号化誤差が発生する深度及びパーティションが、最大符号化単位６１０の深度及びパーティションモードに選択される。
【０３６８】
図１４は、多様な実施形態による、符号化単位及び変換単位の関係を図示している。
【０３６９】
多様な実施形態によるビデオ符号化装置１００、または多様な実施形態によるビデオ復号化装置２００は、最大符号化単位ごとに、最大符号化単位より小さいか、あるいはそれと同じである大きさの符号化単位で映像を符号化するか復号化する。符号化過程において、変換のための変換単位の大きさは、それぞれの符号化単位ほど大きくないデータ単位を基に選択される。
【０３７０】
例えば、多様な実施形態によるビデオ符号化装置１００、または多様な実施形態によるビデオ復号化装置２００において、現在符号化単位７１０が６４ｘ６４サイズであるとき、３２ｘ３２サイズの変換単位７２０を利用して変換が行われる。
【０３７１】
また、６４ｘ６４サイズの符号化単位７１０のデータを、６４ｘ６４サイズ以下の３２ｘ３２，１６ｘ１６，８ｘ８，４ｘ４サイズの変換単位にそれぞれ変換を行って符号化した後、原本との誤差が最小である変換単位が選択される。
【０３７２】
図１５は、多様な実施形態による符号化情報を図示している。
【０３７３】
多様な実施形態によるビデオ符号化装置１００の出力部１３０は、分割情報として、それぞれの深度の符号化単位ごとに、パーティションモードに係わる情報８００、予測モードに係わる情報８１０、変換単位サイズに係わる情報８２０を符号化して伝送する。
【０３７４】
パーティションモードに係わる情報８００は、現在符号化単位の予測符号化のためのデータ単位であり、現在符号化単位の予測単位が分割されたパーティションの形態に係わる情報を示している。例えば、サイズ２Ｎｘ２Ｎの現在符号化単位ＣＵ＿０は、サイズ２Ｎｘ２Ｎのパーティション８０２、サイズ２ＮｘＮのパーティション８０４、サイズＮｘ２Ｎのパーティション８０６、サイズＮｘＮのパーティション８０８のうちいずれか１つのタイプに分割されて利用される。その場合、現在符号化単位のパーティションモードに係わる情報８００は、サイズ２Ｎｘ２Ｎのパーティション８０２、サイズ２ＮｘＮのパーティション８０４、サイズＮｘ２Ｎのパーティション８０６及びサイズＮｘＮのパーティション８０８のうち一つを示すように設定される。
【０３７５】
予測モードに係わる情報８１０は、それぞれのパーティションの予測モードを示している。例えば、予測モードに係わる情報８１０を介して、パーティションモードに係わる情報８００が示すパーティションが、イントラモード８１２、インタモード８１４及びスキップモード８１６のうち一つで予測符号化が行われるということが設定される。
【０３７６】
また、変換単位サイズに係わる情報８２０は、現在符号化単位をいかなる変換単位を基に変換を行うかということを示している。例えば、変換単位は、第１イントラ変換単位サイズ８２２、第２イントラ変換単位サイズ８２４、第１インター変換単位サイズ８２６、第２インター変換単位サイズ８２８のうち一つである。
【０３７７】
多様な実施形態によるビデオ復号化装置２００の映像データ及び符号化情報抽出部２１０は、それぞれの深度別符号化単位ごとに、パーティションモードに係わる情報８００、予測モードに係わる情報８１０、変換単位サイズに係わる情報８２０を抽出して復号化に利用することができる。
【０３７８】
図１６は、多様な実施形態による深度別符号化単位を図示している。
【０３７９】
深度の変化を示すために、分割情報が利用される。分割情報は、現在深度の符号化単位が、下位深度の符号化単位に分割されるか否かということを示している。
【０３８０】
深度０及び２Ｎ＿０ｘ２Ｎ＿０サイズの符号化単位９００の予測符号化のための予測単位９１０は、２Ｎ＿０ｘ２Ｎ＿０サイズのパーティションモード９１２、２Ｎ＿０ｘＮ＿０サイズのパーティションモード９１４、Ｎ＿０ｘ２Ｎ＿０サイズのパーティションモード９１６、Ｎ＿０ｘＮ＿０サイズのパーティションモード９１８を含んでもよい。予測単位が対称的な比率に分割されたパーティション９１２，９１４，９１６，９１８のみが例示されているが、前述のように、パーティションモードは、それらに限定されるものではなく、非対称的パーティション、任意的形態のパーティション、幾何学的形態のパーティションなどを含んでもよい。
【０３８１】
パーティションモードごとに、１つの２Ｎ＿０ｘ２Ｎ＿０サイズのパーティションごと、２つの２Ｎ＿０ｘＮ＿０サイズのパーティションごと、２つのＮ＿０ｘ２Ｎ＿０サイズのパーティションごと、４つのＮ＿０ｘＮ＿０サイズのパーティションごとに反復して予測符号化が行われなければならない。サイズ２Ｎ＿０ｘ２Ｎ＿０、サイズＮ＿０ｘ２Ｎ＿０、サイズ２Ｎ＿０ｘＮ＿０及びサイズＮ＿０ｘＮ＿０のパーティションについては、イントラモード及びインタモードで予測符号化が行われる。スキップモードは、サイズ２Ｎ＿０ｘ２Ｎ＿０のパーティションについてのみ予測符号化が行われる。
【０３８２】
サイズ２Ｎ＿０ｘ２Ｎ＿０，２Ｎ＿０ｘＮ＿０及びＮ＿０ｘ２Ｎ＿０のパーティションモード９１２，９１４，９１６のうち一つによる符号化誤差が最小であるならば、それ以上下位深度に分割する必要はない。
【０３８３】
サイズＮ＿０ｘＮ＿０のパーティションモード９１８による符号化誤差が最小であるならば、深度０を１に変更しながら分割し（９２０）、深度２及びサイズＮ＿０ｘＮ＿０のパーティションモードの符号化単位９３０に対して反復して符号化を行い、最小符号化誤差を検索していく。
【０３８４】
深度１及びサイズ２Ｎ＿１ｘ２Ｎ＿１（＝Ｎ＿０ｘＮ＿０）の符号化単位９３０の予測符号化のための予測単位９４０は、サイズ２Ｎ＿１ｘ２Ｎ＿１のパーティションモード９４２、サイズ２Ｎ＿１ｘＮ＿１のパーティションモード９４４、サイズＮ＿１ｘ２Ｎ＿１のパーティションモード９４６、サイズＮ＿１ｘＮ＿１のパーティションモード９４８を含んでもよい。
【０３８５】
また、サイズＮ＿１ｘＮ＿１のパーティションモード９４８による符号化誤差が最小であるならば、深度１を深度２に変更しながら分割し（９５０）、深度２及びサイズＮ＿２ｘＮ＿２の符号化単位９６０に対して反復して符号化を行い、最小符号化誤差を検索していく。
【０３８６】
最大深度がｄである場合、深度別符号化単位は、深度ｄ−１になるまで設定され、分割情報は、深度ｄ−２まで設定される。すなわち、深度ｄ−２から分割され（９７０）、深度ｄ−１まで符号化が行われる場合、深度ｄ−１及びサイズ２Ｎ＿（ｄ−１）ｘ２Ｎ＿（ｄ−１）の符号化単位９８０の予測符号化のための予測単位９９０は、サイズ２Ｎ＿（ｄ−１）ｘ２Ｎ＿（ｄ−１）のパーティションモード９９２、サイズ２Ｎ＿（ｄ−１）ｘＮ＿（ｄ−１）のパーティションモード９９４、サイズＮ＿（ｄ−１）ｘ２Ｎ＿（ｄ−１）のパーティションモード９９６、サイズＮ＿（ｄ−１）ｘＮ＿（ｄ−１）のパーティションモード９９８を含んでもよい。
【０３８７】
パーティションモードにおいて、１つのサイズ２Ｎ＿（ｄ−１）ｘ２Ｎ＿（ｄ−１）のパーティションごと、２つのサイズ２Ｎ＿（ｄ−１）ｘＮ＿（ｄ−１）のパーティションごと、２つのサイズＮ＿（ｄ−１）ｘ２Ｎ＿（ｄ−１）のパーティションごと、４つのサイズＮ＿（ｄ−１）ｘＮ＿（ｄ−１）のパーティションごとに反復して予測符号化を介した符号化が行われ、最小符号化誤差が発生するパーティションモードが検索される。
【０３８８】
サイズＮ＿（ｄ−１）ｘＮ＿（ｄ−１）のパーティションモード９９８による符号化誤差が最小であるとしても、最大深度がｄであるので、深度ｄ−１の符号化単位ＣＵ＿（ｄ−１）は、それ以上下位深度への分割過程を経ず、現在最大符号化単位９００に対する深度が深度ｄ−１と決定され、パーティションモードは、Ｎ＿（ｄ−１）ｘＮ＿（ｄ−１）と決定される。また、最大深度がｄであるので、深度ｄ−１の符号化単位９８０について、分割情報は設定されない。
【０３８９】
データ単位９９９は、現在最大符号化単位に係わる「最小単位」とされる。多様な実施形態による最小単位は、最下位深度である最小符号化単位が４分割された大きさの正方形のデータ単位でもある。かような反復的符号化過程を介して、多様な実施形態によるビデオ符号化装置１００は、符号化単位９００の深度別符号化誤差を比較し、最小符号化誤差が発生する深度を選択し、深度を決定し、当該パーティションモード及び予測モードが深度の符号化モードに設定される。
【０３９０】
かように、深度０、１、…、ｄ−１、ｄの全ての深度別最小符号化誤差を比較し、誤差が最小である深度が選択されて深度で決定される。深度、並びに予測単位のパーティションモード及び予測モードは、分割情報として符号化されて伝送される。また、深度０から深度に至るまで符号化単位が分割されなければならないので、深度の分割情報だけが「０」に設定され、深度を除いた深度別分割情報は、「１」に設定されなければならない。
【０３９１】
多様な実施形態によるビデオ復号化装置２００の映像データ及び符号化情報抽出部２２０は、符号化単位９００に係わる深度、及び予測単位に係わる情報を抽出し、符号化単位９１２を復号化するのに利用することができる。多様な実施形態によるビデオ復号化装置２００は、深度別分割情報を利用して、分割情報が「０」である深度を深度として把握し、当該深度に係わる分割情報を利用して、復号化に利用することができる。
【０３９２】
図１７、図１８及び図１９は、多様な実施形態による、符号化単位、予測単位及び変換単位の関係を図示している。
【０３９３】
符号化単位１０１０は、最大符号化単位について、多様な実施形態によるビデオ符号化装置１００が決定した深度別符号化単位である。予測単位１０６０は、符号化単位１０１０において、それぞれの深度別符号化単位の予測単位のパーティションであり、変換単位１０７０は、それぞれの深度別符号化単位の変換単位である。
【０３９４】
深度別符号化単位１０１０は、最大符号化単位の深度が０であるとすれば、符号化単位１０１２，１０５４は、深度が１であり、符号化単位１０１４，１０１６，１０１８，１０２８，１０５０，１０５２は、深度が２であり、符号化単位１０２０，１０２２，１０２４，１０２６，１０３０，１０３２，１０４８は、深度が３であり、符号化単位１０４０，１０４２，１０４４，１０４６は、深度が４である。
【０３９５】
予測単位１０６０のうち一部パーティション１０１４，１０１６，１０２２，１０３２，１０４８，１０５０，１０５２，１０５４は、符号化単位が分割された形態である。すなわち、パーティション１０１４，１０２２，１０５０，１０５４は、２ＮｘＮのパーティションモードであり、パーティション１０１６，１０４８，１０５２は、Ｎｘ２Ｎのパーティションモード、パーティション１０３２は、ＮｘＮのパーティションモードである。深度別符号化単位１０１０の予測単位及びパーティションは、それぞれの符号化単位より小さいか、あるいはそれと同じです。
【０３９６】
変換単位１０７０のうち一部の変換単位１０５２の映像データについては、符号化単位に比べ、小サイズのデータ単位で変換または逆変換が行われる。また、変換単位１０１４，１０１６，１０２２，１０３２，１０４８，１０５０，１０５２，１０５４は、予測単位１０６０における当該予測単位及びパ−ティションと比較すれば、互いに異なる大きさまたは形態のデータ単位である。すなわち、多様な実施形態によるビデオ符号化装置１００、及び一実施形態に他のビデオ復号化装置２００は、同一符号化単位に係わるイントラ予測／動き推定／動き補償作業、及び変換／逆変換作業であるとしても、それぞれ別個のデータ単位を基に遂行することができる。
【０３９７】
それによって、最大符号化単位ごとに、領域別に階層的な構造の符号化単位ごとに、再帰的に符号化が行われ、最適符号化単位が決定されることにより、再帰的ツリー構造による符号化単位が構成される。符号化情報は、符号化単位に係わる分割情報、パーティションモード情報、予測モード情報、変換単位サイズ情報を含んでもよい。以下、表９は、多様な実施形態によるビデオ符号化装置１００、及び多様な実施形態によるビデオ復号化装置２００において設定することができる一例を示している。
【０３９８】
【表９】
2016528792.tif 000011
多様な実施形態によるビデオ符号化装置１００の出力部１３０は、ツリー構造による符号化単位に係わる符号化情報を出力し、多様な実施形態によるビデオ復号化装置２００の符号化情報抽出部２２０は、受信されたビットストリームから、ツリー構造による符号化単位に係わる符号化情報を抽出することができる。
【０３９９】
分割情報は、現在符号化単位が下位深度の符号化単位に分割されるか否かということを示している。現在深度ｄの分割情報が０であるならば、現在符号化単位が下位符号化単位にそれ以上分割されない深度が深度であるので、深度に対して、パーティションモード情報、予測モード、変換単位サイズ情報が定義される。分割情報によって、１段階さらに分割されなければならない場合には、分割された４個の下位深度の符号化単位ごとに独立して符号化が行われなければならない。
【０４００】
予測モードは、イントラモード、インタモード及びスキップモードのうち一つで示すことができる。イントラモード及びインタモードは、全てのパーティションモードで定義され、スキップモードは、パーティションモード２Ｎｘ２Ｎでのみ定義される。
【０４０１】
パーティションモード情報は、予測単位の高さまたは幅が対称的な比率に分割された対称的パーティションモード２Ｎｘ２Ｎ，２ＮｘＮ，Ｎｘ２Ｎ及びＮｘＮと、非対称的な比率に分割された非対称的パーティションモード２ＮｘｎＵ，２ＮｘｎＤ，ｎＬｘ２Ｎ，ｎＲｘ２Ｎを示すことができる。非対称的パーティションモード２ＮｘｎＵ及び２ＮｘｎＤは、それぞれ高さが１：３及び３：１に分割された形態であり、非対称的パーティションモードｎＬｘ２Ｎ及びｎＲｘ２Ｎは、それぞれ幅が１：３及び３：１に分割された形態を示している。
【０４０２】
変換単位サイズは、イントラモードにおいて２種の大きさ、インタモードにおいて２種の大きさに設定される。すなわち、変換単位分割情報が０であるならば、変換単位の大きさが、現在符号化単位のサイズ２Ｎｘ２Ｎに設定される。変換単位分割情報が１であるならば、現在符号化単位が分割された大きさの変換単位が設定される。また、サイズ２Ｎｘ２Ｎである現在符号化単位に係わるパーティションモードが対称形パーティションモードであるならば、変換単位の大きさは、ＮｘＮに設定され、非対称形パーティションモードであるならば、Ｎ／２ｘＮ／２に設定される。
【０４０３】
多様な実施形態によるツリー構造による符号化単位の符号化情報は、深度の符号化単位、予測単位及び最小単位単位のうち少なくとも一つに対して割り当てられる。深度の符号化単位は、同一符号化情報を保有している予測単位及び最小単位を１以上含んでもよい。
【０４０４】
従って、隣接したデータ単位同士それぞれ保有している符号化情報を確認すれば、同一深度の符号化単位に含まれるか否かということが確認される。また、データ単位が保有している符号化情報を利用すれば、当該深度の符号化単位を確認することができるので、最大符号化単位内の深度の分布が類推される。
【０４０５】
従って、その場合、現在符号化単位が周辺データ単位を参照して予測する場合、現在符号化単位に隣接する深度別符号化単位内のデータ単位の符号化情報が直接参照されて利用される。
【０４０６】
他の実施形態において、現在符号化単位が周辺符号化単位を参照して予測符号化が行われる場合、隣接する深度別符号化単位の符号化情報を利用して、深度別符号化単位内において、現在符号化単位に隣接するデータが検索されることにより、周辺符号化単位が参照されもする。
【０４０７】
図２０は、表１の符号化モード情報による、符号化単位、予測単位及び変換単位の関係を図示している。
【０４０８】
最大符号化単位１３００は、深度の符号化単位１３０２，１３０４，１３０６，１３１２，１３１４，１３１６，１３１８を含む。そのうち１つの符号化単位１３１８は、深度の符号化単位であるので、分割情報が０に設定される。サイズ２Ｎｘ２Ｎの符号化単位１３１８のパーティションモード情報は、パーティションモード２Ｎｘ２Ｎ  １３２２，２ＮｘＮ  １３２４，Ｎｘ２Ｎ  １３２６，ＮｘＮ  １３２８，２ＮｘｎＵ  １３３２，２ＮｘｎＤ  １３３４，ｎＬｘ２Ｎ  １３３６及びｎＲｘ２Ｎ  １３３８のうち一つに設定される。
【０４０９】
変換単位分割情報（ＴＵ  size  flag）は、変換インデックスの一種であり、変換インデックスに対応する変換単位の大きさは、符号化単位の予測単位タイプまたはパーティションモードによって変更される。
【０４１０】
例えば、パーティションモード情報が、対称形パーティションモード２Ｎｘ２Ｎ  １３２２，２ＮｘＮ  １３２４，Ｎｘ２Ｎ  １３２６及びＮｘＮ  １３２８のうち一つに設定されている場合、変換単位分割情報が０であるならば、サイズ２Ｎｘ２Ｎの変換単位１３４２が設定され、変換単位分割情報が１であるならば、サイズＮｘＮの変換単位１３４４が設定される。
【０４１１】
パーティションモード情報が非対称形パーティションモード２ＮｘｎＵ  １３３２，２ＮｘｎＤ  １３３４，ｎＬｘ２Ｎ  １３３６及びｎＲｘ２Ｎ  １３３８のうち一つに設定された場合、変換単位分割情報（ＴＵ  size  flag）が０であるならば、サイズ２Ｎｘ２Ｎの変換単位１３５２が設定され、変換単位分割情報が１であるならば、サイズＮ／２ｘＮ／２の変換単位１３５４が設定される。
【０４１２】
図２０を参照して説明した変換単位分割情報（ＴＵ  size  flag）は、０または１の値を有するフラグであるが、多様な実施形態による変換単位分割情報は、１ビットのフラグに限定されるものではなく、設定によって、０、１、２、３、…などに増加し、変換単位が階層的に分割されもする。変換単位分割情報は、変換インデックスの一実施形態として利用される。
【０４１３】
その場合、多様な実施形態による変換単位分割情報を、変換単位の最大サイズ、変換単位の最小大きさと共に利用すれば、実際に利用された変換単位の大きさが表現される。多様な実施形態によるビデオ符号化装置１００は、最大変換単位サイズ情報、最小変換単位サイズ情報及び最大変換単位分割情報を符号化することができる。符号化された最大変換単位サイズ情報、最小変換単位サイズ情報及び最大変換単位分割情報は、ＳＰＳに挿入される。多様な実施形態によるビデオ復号化装置２００は、最大変換単位サイズ情報、最小変換単位サイズ情報及び最大変換単位分割情報を利用して、ビデオ復号化に利用することができる。
【０４１４】
例えば、（ａ）現在符号化単位がサイズ６４ｘ６４であり、最大変換単位サイズが３２ｘ３２であるならば、（ａ−１）変換単位分割情報が０であるとき、変換単位の大きさは、３２ｘ３２に設定され、（ａ−２）変換単位分割情報が１であるとき、変換単位の大きさは、１６ｘ１６に設定され、（ａ−３）変換単位分割情報が２であるとき、変換単位の大きさは、８ｘ８に設定される。
【０４１５】
他の例として、（ｂ）現在符号化単位がサイズ３２ｘ３２であり、最小変換単位サイズが３２ｘ３２であるならば、（ｂ−１）変換単位分割情報が０であるとき、変換単位の大きさは、３２ｘ３２に設定され、変換単位の大きさは、３２ｘ３２より小さいことがないので、それ以上の変換単位分割情報が設定されることがない。
【０４１６】
さらに他の例として、（ｃ）現在符号化単位がサイズ６４ｘ６４であり、最大変換単位分割情報が１であるならば、変換単位分割情報は、０または１であり、他の変換単位分割情報が設定されることがない。
【０４１７】
従って、最大変換単位分割情報を「MaxTransformSizeIndex」、最小変換単位サイズを「MinTransformSize」、変換単位分割情報が０である場合の変換単位サイズを「RootTuSize」と定義するとき、現在符号化単位で可能な最小変換単位サイズ「CurrMinTuSize」は、以下の数式（１）のように定義される。
【０４１８】
CurrMinTuSize
＝ｍａｘ（MinTransformSize，RootTuSize／（２＾MaxTransformSizeIndex））  （１）
現在符号化単位で可能な最小変換単位サイズ「CurrMinTuSize」と比較し、変換単位分割情報が０である場合の変換単位サイズである「RootTuSize」は、システム上採択可能な最大変換単位サイズを示すことができる。すなわち、数式（１）によれば、「RootTuSize／（２＾MaxTransformSizeIndex）」は、変換単位分割情報が０である場合の変換単位サイズである「RootTuSize」を最大変換単位分割情報に相応する回数ほど分割した変換単位サイズであり、「MinTransformSize」は、最小変換単位サイズであるので、それらのうち小さい値が、現在現在符号化単位で可能な最小変換単位サイズ「CurrMinTuSize」である。
【０４１９】
多様な実施形態による最大変換単位サイズ「RootTuSize」は、予測モードによって異なる。
【０４２０】
例えば、現在予測モードがインタモードであるならば、「RootTuSize」は、以下の数式（２）によって決定される。数式（２）で、「MaxTransformSize」は、最大変換単位サイズを示し、「PUSize」は、現在予測単位サイズを示している。
【０４２１】
RootTuSize＝ｍｉｎ（MaxTransformSize，PUSize）      （２）
すなわち、現在予測モードがインタモードであるならば、変換単位分割情報が０である場合の変換単位サイズである「RootTuSize」は、最大変換単位サイズ及び現在予測単位サイズのうち小さい値に設定される。
【０４２２】
現在パーティション単位の予測モードがイントラモードであるならば、「RootTuSize」は、以下の数式（３）によって決定される。「PartitionSize」は、現在パーティション単位の大きさを示している。
【０４２３】
RootTuSize＝ｍｉｎ（MaxTransformSize，PartitionSize）      （３）
すなわち、現在予測モードがイントラモードであるならば、変換単位分割情報が０である場合の変換単位サイズである「RootTuSize」は、最大変換単位サイズ及び現在パーティション単位サイズのうち小さい値に設定される。
【０４２４】
ただし、パーティション単位の予測モードによって変動する多様な実施形態による現在最大変換単位サイズ「RootTuSize」は、一実施形態であるのみ、現在最大変換単位サイズを決定する要因は、それらに限定されるものではないことに留意しなければならない。
【０４２５】
図８ないし図２０を参照して説明した、ツリー構造の符号化単位に基づいたビデオ符号化技法によって、ツリー構造の符号化単位ごとに、空間領域の映像データが符号化され、ツリー構造の符号化単位に基づいたビデオ復号化技法によって、最大符号化単位ごとに復号化が行われながら、空間領域の映像データが復元され、ピクチャ及びピクチャシーケンスであるビデオが復元される。復元されたビデオは、再生装置によって再生されるか、記録媒体に保存されるか、あるいはネットワークを介して伝送される。
【０４２６】
一方、前述の本発明の実施形態は、コンピュータで実行されるプログラムによって作成可能であり、コンピュータで読み取り可能な記録媒体を利用して、前記プログラムを動作させる汎用デジタルコンピュータで具現される。前記コンピュータで読み取り可能な記録媒体は、マグネチック記録媒体（例えば、ＲＯＭ（read  only  memory）、フロッピー（登録商標）ディスク、ハードディスクなど）、光学的判読媒体（例えば、ＣＤ（compact  disc）−ＲＯＭ、ＤＶＤ（digital  versatile  disc）など）のような記録媒体を含む。
【０４２７】
説明の便宜のために、先の図１Ａないし図２０を参照して説明したインターレイヤビデオ符号化方法及び／またはビデオ符号化方法は、「本発明のビデオ符号化方法」とする。また、先の図１Ａないし図２０を参照して説明したインターレイヤビデオ復号化方法及び／またはビデオ復号化方法は、「本発明のビデオ復号化方法」とする
また、先の図１Ａないし図２０を参照して説明したインターレイヤビデオ符号化装置１０、ビデオ符号化装置１００、または映像符号化部４００で構成されたビデオ符号化装置は、「本発明のビデオ符号化装置」とする。また、先の図１Ａないし図２０を参照して説明したインターレイヤビデオ復号化装置２０、ビデオ復号化装置２００、または映像復号化部５００で構成されたビデオ復号化装置は、「本発明のビデオ復号化装置」とする。
【０４２８】
多様な実施形態による、プログラムが保存されるコンピュータで判読可能な記録媒体がディスク２６０００である実施形態について以下で詳細に説明する。
【０４２９】
図２１は、多様な実施形態による、プログラムが保存されたディスク２６０００の物理的構造を例示している。記録媒体として説明したディスク２６０００は、ハードドライブ、ＣＤ−ＲＯＭディスク、ブルーレイ（登録商標（Blu-ray））ディスク、ＤＶＤディスクでもある。ディスク２６０００は、多数の同心円のトラックＴｒから構成され、トラックは、円周方向に沿って、所定個数のセクタＳｅに分割される。前述の多様な実施形態によるプログラムを保存するディスク２６０００における特定領域に、前述の量子化パラメータ決定方法、ビデオ符号化方法及びビデオ復号化方法を具現するためのプログラムが割り当てられて保存される。
【０４３０】
前述のビデオ符号化方法及びビデオ復号化方法を具現するためのプログラムを保存する記録媒体を利用して達成されたコンピュータシステムについて、図２２を参照して説明する。
【０４３１】
図２２は、ディスク２６０００を利用して、プログラムを記録して判読するためのディスクドライブ２６８００を図示している。コンピュータシステム２６７００は、ディスクドライブ２６８００を利用して、本発明のビデオ符号化方法及びビデオ復号化方法のうち少なくとも一つを具現するためのプログラムを、ディスク２６０００に保存することができる。ディスク２６０００に保存されたプログラムを、コンピュータシステム２６７００上で実行するために、ディスクドライブ２６８００によって、ディスク２６０００からプログラムが判読され、プログラムがコンピュータシステム２６７００に伝送される。
【０４３２】
図２１及び図２２で例示されたディスク２６０００だけではなく、メモリカード、ＲＯＭカセット、ＳＳＤ（solid  state  drive）にも、本発明のビデオ符号化方法及びビデオ復号化方法のうち少なくとも一つを具現するためのプログラムが保存される。
【０４３３】
前述の実施形態によるビデオ符号化方法及びビデオ復号化方法が適用されたシステムについて説明する。
【０４３４】
図２３は、コンテンツ流通サービス（content  distribution  service）を提供するためのコンテンツ供給システム（content  supply  system）１１０００の全体的構造を図示している。通信システムのサービス領域は、所定サイズのセルに分割され、各セルに、ベースステーションになる無線基地局１１７００，１１８００，１１９００，１２０００が設置される。
【０４３５】
コンテンツ供給システム１１０００は、多数の独立デバイスを含む。例えば、コンピュータ１２１００、ＰＤＡ（personal  digital  assistant）１２２００、カメラビデオ１２３００及び携帯電話１２５００のような独立デバイスが、インターネットサービス・プロバイダ１１２００、通信網１１４００及び無線基地局１１７００，１１８００，１１９００，１２０００を経て、インターネット１１１００に連結される。
【０４３６】
しかし、コンテンツ供給システム１１０００は、図２４に図示された構造にのみ限定されるものではなく、デバイスが選択的に連結される。独立デバイスは、無線基地局１１７００，１１８００，１１９００，１２０００を経ずみ、通信網１１４００に直接連結されもする。
【０４３７】
ビデオカメラ１２３００は、デジタルビデオカメラのように、ビデオ映像を撮影することができる撮像デバイスである。携帯電話１２５００は、ＰＤＣ（personal  digital  communications）方式、ＣＤＭＡ（code  division  multiple  access）方式、Ｗ−ＣＤＭＡ（wideband  code  division  multiple  access）方式、ＧＳＭ（登録商標（global  system  for  mobile  communications））方式及びＰＨＳ（personal  handyphone  system）方式のような多様なプロトコルのうち少なくとも１つの通信方式を採択することができる。
【０４３８】
ビデオカメラ１２３００は、無線基地局１１９００及び通信網１１４００を経て、ストリーミングサーバ１１３００に連結される。ストリーミングサーバ１１３００は、ユーザがビデオカメラ１２３００を使用して伝送したコンテンツを、リアルタイム放送でストリーミング伝送する。ビデオカメラ１２３００から受信されたコンテンツは、ビデオカメラ１２３００またはストリーミングサーバ１１３００によって符号化される。ビデオカメラ１２３００によって撮影されたビデオデータは、コンピュータ１２１００を経て、ストリーミングサーバ１１３００に伝送される。
【０４３９】
カメラ１２６００によって撮影されたビデオデータも、コンピュータ１２１００を経て、ストリーミングサーバ１１３００に伝送される。カメラ１２６００は、デジタルカメラのように、静止映像及びビデオ映像をいずれも撮影することができる撮像装置である。カメラ１２６００から受信されたビデオデータは、カメラ１２６００またはコンピュータ１２１００によって符号化される。ビデオ符号化及びビデオ復号化のためのソフトウェアは、コンピュータ１２１００がアクセスすることができるＣＤ−ＲＯＭディスク、フロッピー（登録商標）ディスク、ハードディスクドライブ、ＳＳＤ、メモリカードのようなコンピュータで判読可能な記録媒体に保存される。
【０４４０】
また、携帯電話１２５００に搭載されたカメラによってビデオが撮影された場合、ビデオデータが携帯電話１２５００から受信される。
【０４４１】
ビデオデータは、ビデオカメラ１２３００、携帯電話１２５００またはカメラ１２６００に搭載されたＬＳＩ（large  scale  integrated  circuit）システムによって符号化される。
【０４４２】
多様な実施形態によるコンテンツ供給システム１１０００において、例えば、コンサートの現場録画コンテンツのように、ユーザがビデオカメラ１２３００、カメラ１２６００、携帯電話１２５００または他の撮像デバイスを利用して録画されたコンテンツが符号化され、ストリーミングサーバ１１３００に伝送される。ストリーミングサーバ１１３００は、コンテンツデータを要請した他のクライアントに、コンテンツデータをストリーミング伝送する。
【０４４３】
クライアントは、符号化されたコンテンツデータを復号化することができるデバイスであり、例えば、コンピュータ１２１００、ＰＤＡ  １２２００、ビデオカメラ１２３００または携帯電話１２５００である。従って、コンテンツ供給システム１１０００は、クライアントをして、符号化されたコンテンツデータを受信して再生させる。また、コンテンツ供給システム１１０００は、クライアントをして、符号化されたコンテンツデータを受信し、リアルタイムで復号化して再生させ、個人放送（personal  broadcasting）が可能にする。
【０４４４】
コンテンツ供給システム１１０００に含まれた独立デバイスの符号化動作及び復号化動作に、本発明のビデオ符号化装置及びビデオ復号化装置が適用される。
【０４４５】
図２４及び図２５を参照し、コンテンツ供給システム１１０００における携帯電話１２５００の一実施形態について詳細に説明する。
【０４４６】
図２４は、多様な実施形態による、本発明のビデオ符号化方法及びビデオ復号化方法が適用される携帯電話１２５００の外部構造を図示している。携帯電話１２５００は、機能が制限されておらず、応用プログラムを介して、相当部分の機能を変更したり拡張したりすることができるスマートフォンでもある。
【０４４７】
携帯電話１２５００は、無線基地局１２０００とＲＦ（radio  frequency）信号を交換するための内蔵アンテナ１２５１０を含み、カメラ１２５３０によって撮影された映像、またはアンテナ１２５１０によって受信されて復号化された映像をディスプレイするためのＬＣＤ（liquid  crystal  display）画面、ＯＬＥＤ（organic  light  emitting  diodes）画面のようなディスプレイ画面１２５２０を含む。スマートフォン１２５１０は、制御ボタン、タッチパネルを含む動作パネル１２５４０を含む。ディスプレイ画面１２５２０がタッチスクリーンである場合、動作パネル１２５４０は、ディスプレイ画面１２５２０のタッチ感知パネルをさらに含む。スマートフォン１２５１０は、音声、音響を出力するためのスピーカ１２５８０、または他の形態の音響出力部と、音声、音響が入力されるマイクロホン１２５５０、または他の形態の音響入力部と、を含む。スマートフォン１２５１０は、ビデオ及び静止映像を撮影するためのＣＣＤ（charge  coupled  device）カメラのようなカメラ１２５３０をさらに含む。また、スマートフォン１２５１０は、カメラ１２５３０によって撮影されるか、電子メール（Ｅ−mail）に受信されるか、他の形態によって獲得されたビデオや静止映像のように、符号化されるか復号化されたデータを保存するための記録媒体１２５７０；及び記録媒体１２５７０を携帯電話１２５００に装着するためのスロット１２５６０；を含んでもよい。記録媒体１２５７０は、ＳＤカード、またはプラスチックケースに内蔵されたＥＥＰＲＯＭ（electrically  erasable  and  programmable  read  only  memory）のような他の形態のフラッシュメモリでもある。
【０４４８】
図２５は、携帯電話１２５００の内部構造を図示している。ディスプレイ画面１２５２０及び動作パネル１２５４０で構成された携帯電話１２５００の各パートを組織的に制御するために、電力供給回路１２７００、動作入力制御部１２６４０、映像符号化部１２７２０、カメラ・インターフェース１２６３０、ＬＣＤ制御部１２６２０、映像復号化部１２６９０、マルチプレクサ／デマルチプレクサ（ＭＵＸ／ＤＥＭＵＸ：multiplexer/demultiplexer）１２６８０、記録／判読部１２６７０、変調／復調（modulation/demodulation）部１２６６０及び音響処理部１２６５０が、同期化バス１２７３０を介して中央制御部１２７１０に連結される。
【０４４９】
ユーザが電源ボタンを動作し、「電源オフ」状態から「電源オン」状態に設定すれば、電力供給回路１２７００は、バッテリパックから携帯電話１２５００の各パートに電力を供給することにより、携帯電話１２５００が動作モードにセッティングされる。
【０４５０】
中央制御部１２７１０は、ＣＰＵ、ＲＯＭ及びＲＡＭ（random  access  memory）を含む。
【０４５１】
携帯電話１２５００が外部に信データを送信する過程においては、中央制御部１２７１０の制御によって、携帯電話１２５００でデジタル信号が生成される、例えば、音響処理部１２６５０では、デジタル音響信号が生成され、映像符号化部１２７２０では、デジタル映像信号が生成され、動作パネル１２５４０及び動作入力制御部１２６４０を介して、メッセージのテキストデータが生成される。中央制御部１２７１０の制御によって、デジタル信号が変調／復調部１２６６０に伝達されれば、変調／復調部１２６６０は、デジタル信号の周波数帯域を変調し、通信回路１２６１０は、帯域変調されたデジタル音響信号に対して、Ｄ／Ａ変換（digital-analog  conversion）処理及び周波数変換（frequency  conversion）処理を行う。通信回路１２６１０から出力された送信信号は、アンテナ１２５１０を介して、音声通信基地局または無線基地局１２０００に送出される。
【０４５２】
例えば、携帯電話１２５００が通話モードであるとき、マイクロフォン１２５５０によって獲得された音響信号は、中央制御部１２７１０の制御によって、音響処理部１２６５０においてデジタル音響信号に変換される。生成されたデジタル音響信号は、変調／復調部１２６６０及び通信回路１２６１０を経て、送信信号に変換され、アンテナ１２５１０を介して送出される。
【０４５３】
データ通信モードにおいて、電子メールのようなテキストメッセージが伝送される場合、動作パネル１２５４０を利用して、メッセージのテキストデータが入力され、テキストデータが動作入力制御部１２６４０を介して、中央制御部１２６１０に伝送される。中央制御部１２６１０の制御によって、テキストデータは、変調／復調部１２６６０及び通信回路１２６１０を介して送信信号に変換され、アンテナ１２５１０を介して、無線基地局１２０００に送出される。
【０４５４】
データ通信モードで映像データを伝送するために、カメラ１２５３０によって撮影された映像データが、カメラ・インターフェース１２６３０を介して映像符号化部１２７２０に提供される。カメラ１２５３０によって撮影された映像データは、カメラ・インターフェース１２６３０及びＬＣＤ制御部１２６２０を介して、ディスプレイ画面１２５２０に直ちにディスプレイされる。
【０４５５】
映像符号化部１２７２０の構造は、前述の本発明のビデオ符号化装置の構造と相応する。映像符号化部１２７２０は、カメラ１２５３０から提供された映像データを、前述の本発明のビデオ符号化方式によって符号化し、圧縮符号化された映像データに変換し、符号化された映像データを多重化／逆多重化部１２６８０に出力することができる。カメラ１２５３０の録画中に、携帯電話１２５００のマイクロフォン１２５５０によって獲得された音響信号も、音響処理部１２６５０を経て、デジタル音響データに変換され、デジタル音響データは、多重化／逆多重化部１２６８０に伝達される。
【０４５６】
多重化／逆多重化部１２６８０は、音響処理部１２６５０から提供された音響データと共に、映像符号化部１２７２０から提供された符号化された映像データを多重化する。多重化されたデータは、変調／復調部１２６６０及び通信回路１２６１０を介して、送信信号に変換され、アンテナ１２５１０を介して送出される。
【０４５７】
携帯電話１２５００が、外部から通信データを受信する過程では、アンテナ１２５１０を介して受信された信号を、周波数復元（frequencyre  covery）処理及びＡ／Ｄ変換（analog-digital  conversion）処理を介して、デジタル信号を変換する。変調／復調部１２６６０は、デジタル信号の周波数帯域を復調する。帯域復調されたデジタル信号は、種類によって、ビデオ復号化部１２６９０、音響処理部１２６５０またはＬＣＤ制御部１２６２０に伝達される。
【０４５８】
携帯電話１２５００は、通話モードであるとき、アンテナ１２５１０を介して受信された信号を増幅し、周波数変換処理及びＡ／Ｄ変換（analog-digital  conversion）処理を介して、デジタル音響信号を生成する。受信されたデジタル音響信号は、中央制御部１２７１０の制御によって、変調／復調部１２６６０及び音響処理部１２６５０を経て、アナログ音響信号に変換され、アナログ音響信号がスピーカ１２５８０を介して出力される。
【０４５９】
データ通信モードにおいて、インターネットのウェブサイトからアクセスされたビデオファイルのデータが受信される場合、アンテナ１２５１０を介して、無線基地局１２０００から受信された信号は、変調／復調部１２６６０の処理結果、多重化されたデータを出力し、多重化されたデータは、多重化／逆多重化部１２６８０に伝達される。
【０４６０】
アンテナ１２５１０を介して受信した多重化されたデータを復号化するために、多重化／逆多重化部１２６８０は、多重化されたデータを逆多重化して符号化されたビデオデータストリームと、符号化されたオーディオデータストリームとを分離する。同期化バス１２７３０によって、符号化されたビデオデータストリームは、ビデオ復号化部１２６９０に提供され、符号化されたオーディオデータストリームは、音響処理部１２６５０に提供される。
【０４６１】
映像復号化部１２６９０の構造は、前述の本発明のビデオ復号化装置の構造と相応する。映像復号化部１２６９０は、前述の本発明のビデオ復号化方法を利用して、符号化されたビデオデータを復号化して復元されたビデオデータを生成し、復元されたビデオデータを、ＬＣＤ制御部１２６２０を経て、ディスプレイ画面１２５２に復元されたビデオデータとして提供することができる。
【０４６２】
それによって、インターネットのウェブサイトからアクセスされたビデオファイルのビデオデータが、ディスプレイ画面１２５２０でディスプレイされる。それと同時に、音響処理部１２６５０も、オーディオデータをアナログ音響信号に変換し、アナログ音響信号をスピーカ１２５８０に提供することができる。それによって、インターネットのウェブサイトからアクセスされたビデオファイルに含まれたオーディオデータも、スピーカ１２５８０で再生される。
【０４６３】
携帯電話１２５００、または他の形態の通信端末機は、本発明の、ビデオ符号化装置及びビデオ復号化装置をいずれも含む送受信端末機であるか、前述の本発明のビデオ符号化装置のみを含む送信端末機であるか、あるいは本発明のビデオ復号化装置のみを含む受信端末機でもある。
【０４６４】
本発明の通信システムは、図２４を参照して説明した構造に限定されるものではない。例えば、図２６は、多様な実施形態による通信システムが適用されたデジタル放送システムを図示している。図２６の多様な実施形態によるデジタル放送システムは、本発明のビデオ符号化装置及びビデオ復号化装置を利用して、衛星ネットワークまたは地上波ネットワークを介して伝送されるデジタル放送を受信することができる。
【０４６５】
具体的に見れば、放送局１２８９０は、電波を介して、ビデオデータストリームを通信衛星または放送衛星１２９００に伝送する。放送衛星１２９００は、放送信号を伝送し、放送信号は、家庭にあるアンテナ１２８６０によって、衛星放送受信機に受信される。各家庭において、符号化されたビデオストリームは、ＴＶ（television）受信機１２８１０、セットトップボックス（set-top  box）１２８７０または他のデバイスによって復号化されて再生される。
【０４６６】
再生装置１２８３０において、本発明のビデオ復号化装置が具現されることにより、再生装置１２８３０が、ディスク及びメモリカードのような記録媒体１２８２０に記録された符号化されたビデオストリームを判読して復号化することができる。それによって、復元されたビデオ信号は、例えば、モニタ１２８４０で再生される。
【０４６７】
衛星／地上波放送のためのアンテナ１２８６０、またはケーブルＴＶ受信のためのケーブルアンテナ１２８５０に連結されたセットトップボックス１２８７０にも、本発明のビデオ復号化装置が搭載される。セットトップボックス１２８７０の出力データも、ＴＶモニタ１２８８０で再生される。
【０４６８】
他の例として、セットトップボックス１２８７０の代わりに、ＴＶ受信機１２８１０自体に、本発明のビデオ復号化装置が搭載されもする。
【０４６９】
適切なアンテナ１２９１０を具備した自動車１２９２０が、衛星１２８００または無線基地局１１７００から送出される信号を受信することもできる。自動車１２９２０に搭載された自動車ナビゲーションシステム１２９３０のディスプレイ画面に、復号化されたビデオが再生される。
【０４７０】
ビデオ信号は、本発明のビデオ符号化装置によって符号化され、記録媒体に記録されて保存される。具体的に見れば、ＤＶＤレコーダによって、映像信号がＤＶＤディスク１２９６０に保存されるか、ハードディスクレコーダ１２９５０によって、ハードディスクに映像信号が保存される。他の例として、ビデオ信号は、ＳＤカード１２９７０に保存されもする。ハードディスクレコーダ１２９５０が、多様な実施形態による本発明のビデオ復号化装置を具備すれば、ＤＶＤディスク１２９６０、ＳＤカード１２９７０、または他の形態の記録媒体に記録されたビデオ信号がモニタ１２８８０で再生される。
【０４７１】
自動車ナビゲーションシステム１２９３０は、図２３のカメラ１２５３０、カメラ・インターフェース１２６３０及び映像符号化部１２７２０を含まないこともある。例えば、コンピュータ１２１００及びＴＶ受信機１２８１０も、図２３のカメラ１２５３０、カメラ・インターフェース１２６３０及び映像符号化部１２７２０を含まないこともある。
【０４７２】
図２７は、多様な実施形態による、ビデオ符号化装置、及びビデオ復号化装置を利用するクラウドコンピューティングシステムのネットワーク構造を図示している。
【０４７３】
本発明のクラウドコンピューティングシステムは、クラウドコンピューティングサーバ１４１００、ユーザＤＢ（database）１４１００、コンピューディング資源１４２００及びユーザ端末機を含んでなる。
【０４７４】
クラウドコンピューティングシステムは、ユーザ端末機の要請によって、インターネットのような情報通信網を介して、コンピューディング資源のオンデマンド・アウトソーシングサービスを提供する。クラウドコンピューティング環境において、サービスプロバイダは、互いに異なる物理的な位置に存在するデータセンターのコンピューティング資源を仮想化技術で統合し、ユーザが必要とするサービスを提供する。サービスユーザは、アプリケーション（application）、ストレージ（storage）、運用体制（ＯＳ）、保安（security）などのコンピューディング資源を、各ユーザ所有の端末にインストールして使用するのではなく、仮想化技術を介して生成された仮想空間上のサービスを、所望する時点で、所望するほど選んで使用することができる。
【０４７５】
特定サービスユーザのユーザ端末機は、インターネット及び移動通信網を含む情報通信網を介して、クラウドコンピューティングサーバ１４１００に接続する。ユーザ端末機は、クラウドコンピューティングサーバ１４１００から、クラウドコンピューティングサービス、特に、動画再生サービスを提供される。ユーザ端末機は、デスクトップＰＣ（personal  computer）１４３００、スマートＴＶ  １４４００、スマートフォン１４５００、ノート型パソコン１４６００、ＰＭＰ（portable  multimedia  player）１４７００、テブレットＰＣ  １４８００など、インターネット接続が可能な全ての電子機器にもなる。
【０４７６】
クラウドコンピューティングサーバ１４１００は、クラウド網に分散されている多数のコンピューディング資源１４２００を統合し、ユーザ端末機に提供することができる。多数のコンピューディング資源１４２００は、さまざまなデータサービスを含み、ユーザ端末機からアップロードされたデータを含んでもよい。かように、クラウドコンピューティングサーバ１４１００は、さまざまなところに分散されている動画データベースを仮想化技術で統合し、ユーザ端末機が要求するサービスを提供する。
【０４７７】
ユーザＤＢ  １４１００には、クラウドコンピューティングサービスに加入しているユーザ情報が保存される。ここで、ユーザ情報は、ログイン情報と、住所、名前など個人信用情報とを含んでもよい。また、ユーザ情報は、動画のインデックス（index）を含んでもよい。ここで、インデックスは、再生を完了した動画リストや、再生中の動画リストや、再生中の動画の停止時点などを含んでもよい。
【０４７８】
ユーザＤＢ  １４１００に保存された動画に係わる情報は、ユーザデバイス間に共有される。従って、例えば、ノート型パソコン１４６００から再生要請され、ノート型パソコン１４６００に所定動画サービスを提供した場合、ユーザＤＢ  １４１００に、所定動画サービスの再生ヒストリーが保存される。スマートフォン１４５００から同一動画サービスの再生要請が受信される場合、クラウドコンピューティングサーバ１４１００は、ユーザＤＢ  １４１００を参照し、所定動画サービスを探し出して再生する。スマートフォン１４５００がクラウドコンピューティングサーバ１４１００を介して動画データストリームを受信する場合、動画データストリームを復号化してビデオを再生する動作は、先の図２４を参照して説明した携帯電話１２５００の動作と類似している。
【０４７９】
クラウドコンピューティングサーバ１４１００は、ユーザＤＢ  １４１００に保存された所定動画サービスの再生ヒストリーを参照することもできる。例えば、クラウドコンピューティングサーバ１４１００は、ユーザ端末機から、ユーザＤＢ  １４１００に保存された動画に対する再生要請を受信する。動画がその前に再生中であったならば、クラウドコンピューティングサーバ１４１００は、ユーザ端末機への選択によって、最初から再生するか、以前の停止時点から再生するかということにより、ストリーミング方法が異なる。例えば、ユーザ端末機が最初から再生するように要請した場合には、クラウドコンピューティングサーバ１４１００は、ユーザ端末機に、当該動画を、最初のフレームからストリーミング伝送する。一方、端末機が、以前の停止時点から続けて再生するように要請した場合には、クラウドコンピューティングサーバ１４１００は、ユーザ端末機に、当該動画を、停止時点のフレームからストリーミング伝送する。
【０４８０】
このとき、ユーザ端末機は、図１Ａないし図２０を参照して説明した本発明のビデオ復号化装置を含んでもよい。他の例として、ユーザ端末機は、図１Ａないし図２０を参照して説明した本発明のビデオ符号化装置を含んでもよい。また、ユーザ端末機は、図１Ａないし図２０を参照して説明した本発明のビデオ符号化装置及びビデオ復号化装置をいずれも含んでもよい。
【０４８１】
図１Ａないし図２０を参照して説明したビデオ符号化方法及びビデオ復号化方法、ビデオ符号化装置及びビデオ復号化装置が活用される多様な実施形態について、図２１ないし図２７で説明した。しかし、図１Ａないし図２０を参照して説明したビデオ符号化方法及びビデオ復号化方法が記録媒体に保存されたり、ビデオ符号化装置及びビデオ復号化装置がデバイスで具現されたりする多様な実施形態は、図２１ないし図２７の実施形態に限定されるものではない。
【０４８２】
以上で開示された多様な実施形態が属する技術分野で当業者であるならば、本明細書で開示された実施形態の本質的な特性からはずれない範囲で変形された形態によって具現されるということを理解することができるであろう。従って、開示された実施形態は、限定的な観点ではなく、説明的な観点から考慮されなければならない。本明細書の開示範囲は、前述の説明ではなく、特許請求の範囲に示されており、それと同等な範囲内にある全ての差異は、本明細書の開示範囲に含まれたものであると解釈されなければならないであろう。
【図１Ａ】
2016528792.tif 000012
【図１Ｂ】
2016528792.tif 000013
【図２Ａ】
2016528792.tif 000014
【図２Ｂ】
2016528792.tif 000015
【図３】
2016528792.tif 000016
【図４Ａ】
2016528792.tif 000017
【図４Ｂ】
2016528792.tif 000018
【図４Ｃ】
2016528792.tif 000019
【図５】
2016528792.tif 000020
【図６Ａ】
2016528792.tif 000021
【図６Ｂ】
2016528792.tif 000022
【図７Ａ】
2016528792.tif 000023
【図７Ｂ】
2016528792.tif 000024
【図７Ｃ】
2016528792.tif 000025
【図７Ｄ】
2016528792.tif 000026
【図８】
2016528792.tif 000027
【図９】
2016528792.tif 000028
【図１０】
2016528792.tif 000029
【図１１】
2016528792.tif 000030
【図１２】
2016528792.tif 000031
【図１３】
2016528792.tif 000032
【図１４】
2016528792.tif 000033
【図１５】
2016528792.tif 000034
【図１６】
2016528792.tif 000035
【図１７】
2016528792.tif 000036
【図１８】
2016528792.tif 000037
【図１９】
2016528792.tif 000038
【図２０】
2016528792.tif 000039
【図２１】
2016528792.tif 000040
【図２２】
2016528792.tif 000041
【図２３】
2016528792.tif 000042
【図２４】
2016528792.tif 000043
【図２５】
2016528792.tif 000044
【図２６】
2016528792.tif 000045
【図２７】
2016528792.tif 000046
【国際調査報告】
2016528792.tif 000047
2016528792.tif 000048
2016528792.tif 000049
2016528792.tif 000050